(57)【要約】【課題】発光素子を、劣化等による電流特性の変化によらず一定の輝度で発光させることが可能で、且つ、各画素への信号の書き込み速度が速く、正確な階調が表現可能で、また、低コストで、小型化可能な表示装置及びその駆動方法を提供することを課題とする。【解決手段】表示装置の各画素はそれぞれ、電流源回路と、スイッチ部と、発光素子とを有する。発光素子と、電流源回路と、スイッチ部とは、電源基準線と、電源線の間に直列に接続されている。デジタルの映像信号を用いることによって、スイッチ部のオン・オフを切り替える。また、電流源回路を流れる一定電流の大きさは、画素外部より入力される制御信号によって定められる。スイッチ部がオン状態の場合は、発光素子には、電流源回路によって定まる一定電流が流れ発光する。【選択図】図１
2020060772.tif 000002
【特許請求の範囲】
【請求項１】
第１のトランジスタと、
第２のトランジスタと、
第３のトランジスタと、
第４のトランジスタと、
第５のトランジスタと、
発光素子と、を有し、
前記第１のトランジスタのゲートは、前記第２のトランジスタと電気的に接続され、
前記第１のトランジスタのソースドレインの一方は、前記第３のトランジスタのソースドレインの一方と電気的に接続され、
前記第３のトランジスタのソースドレインの他方は、前記発光素子と電気的に接続され、
前記第１のトランジスタのソースドレインの一方は、前記第４のトランジスタと電気的に接続され、
前記第１のトランジスタのソースドレインの他方は、前記第５のトランジスタを介して電源線に接続される表示装置。
【請求項２】
第１のトランジスタと、
第２のトランジスタと、
第３のトランジスタと、
第４のトランジスタと、
第５のトランジスタと、
第６のトランジスタと、
発光素子と、を有し、
前記第１のトランジスタのゲートは、前記第２のトランジスタと電気的に接続され、
前記第１のトランジスタのソースドレインの一方は、前記第３のトランジスタのソースドレインの一方と電気的に接続され、
前記第３のトランジスタのソースドレインの他方は、前記発光素子と電気的に接続され、
前記第１のトランジスタのソースドレインの一方は、前記第４のトランジスタと電気的に接続され、
前記第１のトランジスタのソースドレインの他方は、前記第５のトランジスタを介して電源線に接続され、
前記第３のトランジスタのソースドレインの他方は、前記第６のトランジスタと電気的に接続される表示装置。
【請求項３】
第１のトランジスタと、
第２のトランジスタと、
第３のトランジスタと、
第４のトランジスタと、
第５のトランジスタと、
第６のトランジスタと、
容量と、
発光素子と、を有し、
前記第１のトランジスタのゲートは、前記第２のトランジスタと電気的に接続され、
前記第１のトランジスタのソースドレインの一方は、前記第３のトランジスタのソースドレインの一方と電気的に接続され、
前記第３のトランジスタのソースドレインの他方は、前記発光素子と電気的に接続され、
前記第１のトランジスタのソースドレインの一方は、前記第４のトランジスタと電気的に接続され、
前記第１のトランジスタのソースドレインの他方は、前記第５のトランジスタを介して電源線に接続され、
前記第３のトランジスタのソースドレインの他方は、前記第６のトランジスタと電気的に接続され、
前記容量は、前記第１のトランジスタのゲートと前記第３のトランジスタのソースドレインの他方との間に設けられる表示装置。
【発明の詳細な説明】
【技術分野】
【０００１】
本発明は、表示装置及びその駆動方法に関する。特に、画素毎にトランジスタが設けら
れ、画素の発光を制御するアクティブマトリクス型の表示装置及びその駆動方法に関する
。
【背景技術】
【０００２】
画素毎に発光素子及び発光素子の発光を制御するトランジスタを配置したアクティブマ
トリクス型の表示装置が提案されている。発光素子とは、第１の電極と、第２の電極を有
し、第１の電極と第２の電極の間に流れる電流量によって輝度が制御される素子を示す。
発光素子としてＯＬＥＤ（Ｏｒｇａｎｉｃ  Ｌｉｇｈｔ  Ｅｍｉｔｔｉｎｇ  Ｄｉｏｄｅ
）素子を用いた表示装置（以下、ＯＬＥＤ表示装置と表記する）が注目されている。ＯＬ
ＥＤ表示装置は、応答性に優れ、低電圧で動作し、また視野角が広い等の利点を有するた
め、次世代のフラットパネルディスプレイとして注目されている。
【０００３】
アクティブマトリクス型のＯＬＥＤ表示装置において、各画素への輝度情報の書き込み
を電圧信号で行う手法と、電流信号で行う手法とがある。前者を電圧書き込み型、後者を
電流書き込み型アナログ方式と呼ぶ。これらの駆動方法について、以下に例を挙げて説明
する。
【０００４】
従来の電圧書き込み型のＯＬＥＤ表示装置の画素の構成例を図３０に示す。図３０にお
いて、各画素それぞれに２つのＴＦＴ（第１のＴＦＴ及び第２のＴＦＴ）と、容量素子と
、ＯＬＥＤとが配置される。第１のＴＦＴ（以下、選択ＴＦＴと表記する）３００１のゲ
ート電極は、ゲート信号線３００２に接続され、ソース端子とドレイン端子の一方の端子
は、ソース信号線３００３に接続されている。選択ＴＦＴ３００１のソース端子とドレイ
ン端子の他方は、第２のＴＦＴ（以下、駆動ＴＦＴと表記する）３００４のゲート電極及
び容量素子（以下、保持容量と表記する）３００７の一方の電極に接続されている。保持
容量３００７の他方の電極は、電源線３００５に接続されている。駆動ＴＦＴ３００４の
ソース端子とドレイン端子の一方は、電源線３００５に接続され、他方は、ＯＬＥＤ３０
０６の第１の電極３００６ａに接続されている。ＯＬＥＤ３００６の第２の電極３００６
ｂは、一定の電位が与えられている。ここで、ＯＬＥＤ３００６の駆動ＴＦＴ３００４と
接続されている側の電極、つまり第１の電極３００６ａを画素電極と呼び、第２の電極３
００６ｂを対向電極と呼ぶ。
【０００５】
図３０において、選択ＴＦＴ３００１をｎチャネル型ＴＦＴ、駆動ＴＦＴ３００４をｐ
チャネル型ＴＦＴ、ＯＬＥＤの第１の電極３００６ａを陽極、第２の電極３００６ｂを陰
極とし、第２の電極３００６ｂの電位を０（Ｖ）とした場合の駆動方法について以下に説
明する。
【０００６】
ゲート信号線３００２に信号が入力され、導通状態となった選択ＴＦＴ３００１におい
て、ソース信号線３００３より信号電圧が入力される。ソース信号線３００３に入力され
る信号電圧によって、保持容量３００７に電荷が蓄積される。保持容量３００７に保持さ
れた電圧に応じて、電源線３００５から駆動ＴＦＴ３００４のソース・ドレイン間を介し
て、ＯＬＥＤ３００６に電流が流れて発光する。
【０００７】
図３０に示した構成の画素を有する電圧書き込み型の表示装置には、アナログ方式と、
デジタル方式の２つの駆動方法がある。以下、この２つの方式を、電圧書き込み型アナロ
グ方式、電圧書き込み型デジタル方式と呼ぶ。
【０００８】
電圧書き込み型アナログ方式の駆動方法では、各画素の駆動ＴＦＴ３００４のゲート電
圧（ゲート・ソース間電圧）を変化させることによって、駆動ＴＦＴ３００４のドレイン
電流を変化させる。こうして、ＯＬＥＤ３００６を流れる電流を変化させ輝度を変化させ
る方式である。中間調を表現するためには、ゲート電圧に対して、ドレイン電流の変化が
大きな領域で駆動ＴＦＴ３００４を動作させる。
【０００９】
上述の電圧書き込み型アナログ方式の場合、各画素に同じ電位を有する信号をソース信
号線３００３より入力した場合に、駆動ＴＦＴ３００４の電流特性のばらつきによるドレ
イン電流の変動を受けて、ＯＬＥＤ３００６を流れる電流が大きくばらつくという問題が
ある。駆動ＴＦＴ３００４の電流特性のばらつきは、閾値電圧やキャリア移動度等のパラ
メータに影響されている。その一例として図３１を用いて、駆動ＴＦＴ３００４の閾値電
圧のばらつきによる、電流特性のばらつきについて説明する。
【００１０】
図３１（Ａ）は、図３０における駆動ＴＦＴ３００４とＯＬＥＤ３００６のみを示した
図である。駆動ＴＦＴ３００４のソース端子が電源線３００５に接続されている。駆動Ｔ
ＦＴ３００４のゲート電圧を図中Ｖｇｓで示す。また、駆動ＴＦＴ３００４のドレイン電
流を図中矢印Ｉｄで示す。図３１（Ｂ）は、駆動ＴＦＴ３００４のゲート電圧の絶対値｜
Ｖｇｓ｜とドレイン電流Ｉｄの関係（電流特性）を示す。３１０１ａは、駆動ＴＦＴ３０
０４の閾値電圧の絶対値がＶｔｈ１の場合の、ゲート電圧とドレイン電流の関係を示す曲
線である。一方、３１０１ｂは、駆動ＴＦＴの閾値電圧の絶対値がＶｔｈ２の場合の、ゲ
ート電圧とドレイン電流の関係を示す曲線である。ここで、Ｖｔｈ１＞Ｖｔｈ２である。
図中に示す動作領域（１）が、電圧書き込み型アナログ方式の場合の駆動ＴＦＴ３００４
の動作領域に相当する。動作領域（１）において駆動ＴＦＴ３００４の閾値がばらつくと
、ゲート電圧が同じＶｇｓ１であってもドレイン電流がＩｄ１とＩｄ２となり大きく異な
る。ここで、ＯＬＥＤ３００６の輝度は、ＯＬＥＤ３００６を流れる電流量に比例するた
め、閾値電圧のバラツキによって、ＯＬＥＤ３００６の輝度はバラつく。
【００１１】
上述の駆動ＴＦＴ３００４の電流特性のばらつきの影響を低減するため、電圧書き込み
型デジタル方式の駆動方法が提案されている。電圧書き込み型デジタル方式の駆動方法で
は、各画素のＯＬＥＤ３００６は一定の輝度で発光／非発光の２つの状態が選択される。
このとき、図３０における駆動ＴＦＴ３００４は、各画素の電源線３００５とＯＬＥＤ３
００６の画素電極３００６ａの接続を選択するスイッチとして働く。電圧書き込み型デジ
タル方式において、ＯＬＥＤ３００６が発光している際、駆動ＴＦＴ３００４は、ソース
・ドレイン間電圧Ｖｄｓの絶対値がゲート電圧Ｖｇｓから閾値電圧Ｖｔｈを引いた電圧Ｖ
ｇｓ−Ｖｔｈの絶対値より小さな動作領域である線型領域、特に、ゲート電圧の絶対値が
大きな領域で動作する。
【００１２】
図３１（Ｂ）において、電圧書き込み型デジタル方式での駆動ＴＦＴ３００４の動作領
域を動作領域（２）で示す。動作領域（２）は、線型領域であり、この領域で動作する駆
動ＴＦＴ３００４は、同じゲート電圧Ｖｇｓ２が印加されている場合に、閾値電圧等のば
らつきによるドレイン電流のばらつきは小さく、ほぼ一定の電流Ｉｄ３を流す。このため
、ＯＬＥＤ３００６を流れる電流のばらつきを抑え、発光輝度の変動を抑えることができ
る。
【００１３】
線型領域で動作する駆動ＴＦＴ３００４と、ＯＬＥＤ３００６とそれぞれに印加される
電圧の関係を、図３２を用いて説明する。図３２（Ａ）は、説明のため、図３０における
駆動ＴＦＴ３００４とＯＬＥＤ３００６のみを示した図である。ここでは、駆動ＴＦＴ３
００４のソース端子が電源線３００５に接続されている。駆動ＴＦＴ３００４のソース・
ドレイン間電圧をＶｄｓで示す。ＯＬＥＤ３００６の陰極と陽極間の電圧をＶＯＬＥＤで
示す。ＯＬＥＤ３００６を流れる電流をＩＯＬＥＤで示す。電流ＩＯＬＥＤは、駆動ＴＦ
Ｔ３００４のドレイン電流Ｉｄに等しい。電源線３００５の電位をＶｄｄで示す。ＯＬＥ
Ｄ３００６の対向電極の電位は０Ｖとする。図３２（Ｂ）において、３２０２ａは、ＯＬ
ＥＤ３００６のＶＯＬＥＤとＩＯＬＥＤの関係（Ｉ−Ｖ特性）を示す曲線である。また、
３２０１は、図３１（Ｂ）におけるゲート電圧がＶｇｓ２の場合の駆動ＴＦＴ３００４の
ソース・ドレイン間電圧Ｖｄｓとドレイン電流Ｉｄ（ＩＯＬＥＤ）の関係を示す曲線であ
る。駆動ＴＦＴ３００４及びＯＬＥＤ３００６の動作条件（動作点）は、この２つの曲線
の交点によって定まる。なお、駆動ＴＦＴ３００４は線型領域で動作しているので、図中
に示す線型領域での曲線３２０１と曲線３２０２ａの交点３２０３ａが動作点となる。つ
まり、ＯＬＥＤ３００６の陽極と陰極の間の電圧はＶＡ１で電流はＩＯＬＥＤ１となる。
【００１４】
一方、電流書き込み型アナログ方式の画素を有する表示装置では、各画素に信号線（ソ
ース信号線）より信号電流が入力される。ここで信号電流は、ビデオ信号の輝度情報に線
型に対応する電流信号である。入力された信号電流をドレイン電流とするＴＦＴのゲート
電圧が、容量部に保持される。こうして画素には、ソース信号線より信号電流が入力され
なくなった後も、容量部によって記憶された電流をＯＬＥＤに流し続ける。このようにソ
ース信号線に入力する信号電流を変化させることでＯＬＥＤに流れる電流を変化させ、Ｏ
ＬＥＤの発光輝度を制御し階調を表現する。
【００１５】
電流書き込み型アナログ方式の画素の例として、図３３に「ＩＤＷ’００  ｐ２３５：
Ａｃｔｉｖｅ  Ｍａｔｒｉｘ  ＰｏｌｙＬＥＤ  Ｄｉｓｐｌａｙｓ」に開示されている画
素構造を示し、その駆動方法を説明する。図３３において、画素はＯＬＥＤ３３０６、選
択ＴＦＴ３３０１、駆動ＴＦＴ３３０３、容量素子（保持容量）３３０５、保持ＴＦＴ３
３０２、発光ＴＦＴ３３０４、ソース信号線３３０７、第１のゲート信号線３３０８、第
２のゲート信号線３３０９、第３のゲート信号線３３１０、電源線３３１１によって構成
される。
【００１６】
選択ＴＦＴ３３０１のゲート電極は、第１のゲート信号線３３０８に接続されている。
選択ＴＦＴ３３０１のソース端子とドレイン端子は、一方はソース信号線３３０７に接続
され、他方は、駆動ＴＦＴ３３０３のソース端子又はドレイン端子、保持ＴＦＴ３３０２
のソース端子又はドレイン端子及び発光ＴＦＴ３３０４のソース端子又はドレイン端子に
接続されている。保持ＴＦＴ３３０２のソース端子とドレイン端子で、選択ＴＦＴ３３０
１と接続されていない側は、保持容量３３０５の一方の電極及び駆動ＴＦＴ３３０３のゲ
ート電極に接続されている。保持容量３００５の保持ＴＦＴ３３０２と接続されていない
側は、電源線３３１１に接続されている。保持ＴＦＴ３３０２のゲート電極は、第２のゲ
ート信号線３３０９に接続されている。駆動ＴＦＴ３３０３のソース端子とドレイン端子
で、選択ＴＦＴ３３０１と接続されていない側は、電源線３３１１に接続されている。発
光ＴＦＴ３３０４のソース端子とドレイン端子で、選択ＴＦＴ３３０１と接続されていな
い側は、ＯＬＥＤ３３０６の一方の電極３３０６ａと接続されている。発光ＴＦＴ３３０
４のゲート電極は、第３のゲート信号線３３１０に接続されている。ＯＬＥＤ３３０６の
他方の電極３３０６ｂは、一定の電位に保たれている。なお、ＯＬＥＤ３３０６の２つの
電極３３０６ａ及び３３０６ｂのうち、発光ＴＦＴ３３０４に接続されている側の電極３
３０６ａを画素電極と呼び、他方の電極３３０６ｂを対向電極と呼ぶ。
【００１７】
図３３に示す構成の画素において、ソース信号線に入力する信号電流の電流値は、ビデ
オ信号入力電流源３３１２により制御される構成とする。なお実際には、複数の画素列に
対応する複数のビデオ信号入力電流源３３１２は、ソース信号線駆動回路の一部に相当す
る。ここでは、選択ＴＦＴ３３０１、保持ＴＦＴ３３０２及び発光ＴＦＴ３３０４をｎチ
ャネル型ＴＦＴとし、駆動ＴＦＴ３３０３をｐチャネル型ＴＦＴとし、画素電極３３０６
ａを陽極とした構成の画素を例に示す。
【００１８】
図３３の構成の画素の駆動方法を図３４及び図３５を用いて説明する。なお、図３４に
おいて選択ＴＦＴ３３０１、保持ＴＦＴ３３０２及び発光ＴＦＴ３３０４は、導通状態・
非導通状態がわかりやすいように、スイッチで表記した。また、（ＴＡ１）〜（ＴＡ４）
それぞれの画素の状態は、図３５のタイミングチャートにおける期間ＴＡ１〜ＴＡ４の状
態に対応している。
【００１９】
図３５において、Ｇ＿１、Ｇ＿２、Ｇ＿３はそれぞれ、第１のゲート信号線３３０８、
第２のゲート信号線３３０９、第３のゲート信号線３３１０の電位を示す。また、｜Ｖｇ
ｓ｜は、駆動ＴＦＴ３３０３のゲート電圧（ゲート・ソース間電圧）の絶対値である。Ｉ
ＯＬＥＤは、ＯＬＥＤ３３０６を流れる電流である。ＩＶｉｄｅｏは、ビデオ信号入力電
流源３３１２によって定められた電流値である。
【００２０】
期間ＴＡ１において、第１のゲート信号線３３０８に入力された信号によって、選択Ｔ
ＦＴ３３０１が導通状態となり、また第２のゲート信号線３３０９に入力された信号によ
って、保持ＴＦＴ３３０２が導通状態となると、電源線３３１１が駆動ＴＦＴ３３０３及
び選択ＴＦＴ３３０１を介して、ソース信号線３３０７と接続される。ソース信号線３３
０７には、ビデオ信号入力電流源３３１２によって定められた電流量ＩＶｉｄｅｏが流れ
るため、十分に時間が経過し定常状態となると、駆動ＴＦＴ３３０３のドレイン電流はＩ
Ｖｉｄｅｏとなり、ドレイン電流ＩＶｉｄｅｏに対応するゲート電圧が、保持容量３００
５に保持される。このとき、発光ＴＦＴ３３０４は非導通状態である。保持容量３００５
に電圧が保持され、駆動ＴＦＴ３３０３のドレイン電流がＩＶｉｄｅｏに定まった後、期
間ＴＡ２において、第２のゲート信号線３３０９の信号が変化し、保持ＴＦＴ３３０２が
非導通状態となる。
【００２１】
次に期間ＴＡ３において、第１のゲート信号線３３０８の信号が変化し、選択ＴＦＴ３
３０１が非導通状態となる。また期間ＴＡ４において、第３のゲート信号線３３１０に入
力された信号によって、発光ＴＦＴ３３０４が導通状態となると、信号電流ＩＶｉｄｅｏ
が、電源線３３１１より駆動ＴＦＴ３３０３のソース・ドレイン間を介してＯＬＥＤ３３
０６に入力される。こうして、ＯＬＥＤ３３０６は、信号電流ＩＶｉｄｅｏに応じた輝度
で発光する。
【００２２】
期間ＴＡ１〜ＴＡ４の一連の動作を信号電流ＩＶｉｄｅｏの書き込み動作と呼ぶ。その
際、信号電流ＩＶｉｄｅｏをアナログ的に変化させることによって、ＯＬＥＤ３３０６の
輝度を変化させ、階調を表現する。
【００２３】
なお図３５のタイミングチャートにおいて、期間ＴＡ１では駆動用ＴＦＴ３３０３のゲ
ート電圧の絶対値｜Ｖｇｓ｜は、時間の経過と共に増加し、ドレイン電流ＩＶｉｄｅｏに
対応するゲート電圧を保持する動作を示している。これは、保持容量３３０５に電荷が保
持されていない状態からの書き込み動作を行う場合や、直前の書き込み動作において保持
された駆動ＴＦＴ３３０３のゲート電圧の絶対値｜Ｖｇｓ｜が、次の書き込み動作におい
て、ビデオ信号入力電流源３３１２により定められる所定のドレイン電流を流す際の駆動
ＴＦＴ３３０３のゲート電圧の絶対値｜Ｖｇｓ｜より小さい場合に相当する。
【００２４】
これに限らず、直前の書き込み動作において保持された駆動ＴＦＴ３３０３のゲート電
圧の絶対値｜Ｖｇｓ｜が、次の書き込み動作においてビデオ信号入力電流源３３１２によ
り定められる所定のドレイン電流を流す際の駆動ＴＦＴ３３０３のゲート電圧の絶対値｜
Ｖｇｓ｜より大きい場合は、期間ＴＡ１では駆動用ＴＦＴ３３０３のゲート電圧の絶対値
｜Ｖｇｓ｜は、時間の経過と共に減少し、ドレイン電流ＩＶｉｄｅｏに対応するゲート電
圧を保持する動作となる。
【００２５】
上記のような、電流書き込み型アナログ方式の表示装置では、駆動ＴＦＴ３３０３は飽
和領域で動作する。駆動ＴＦＴ３３０３のドレイン電流は、ソース信号線３３０７より入
力される信号電流によって定められている。つまり、駆動ＴＦＴ３３０３は、閾値電圧や
移動度等のバラツキがあっても、一定のドレイン電流を流し続ける様にゲート電圧が自動
的に変化する。
【００２６】
次に、電流書き込み型アナログ方式の画素の別の例として、図２９に特開２００１−１
４７６５９公報に記載されている画素構造を示し、その駆動方法を詳細に説明する。図２
９において、画素はＯＬＥＤ２９０６、選択ＴＦＴ２９０１、駆動ＴＦＴ２９０３、カレ
ントＴＦＴ２９０４、容量素子（保持容量）２９０５、保持ＴＦＴ２９０２、ソース信号
線２９０７、第１のゲート信号線２９０８、第２のゲート信号線２９０９、電源線２９１
１によって構成される。
【００２７】
選択ＴＦＴ２９０１のゲート電極は、第１のゲート信号線２９０８に接続されている。
選択ＴＦＴ２９０１のソース端子とドレイン端子は、一方はソース信号線２９０７に接続
され、他方は、カレントＴＦＴ２９０４のソース端子又はドレイン端子及び保持ＴＦＴ２
９０２のソース端子又はドレイン端子に接続されている。カレントＴＦＴ２９０４のソー
ス端子とドレイン端子で選択ＴＦＴ２９０１と接続されていない側は、電源線２９１１に
接続されている。保持ＴＦＴ２９０２のソース端子とドレイン端子で、選択ＴＦＴ２９０
１と接続されていない側は、保持容量２９０５の一方の電極及び駆動ＴＦＴ２９０３のゲ
ート電極に接続されている。保持容量２９０５の他方の側は電源線２９１１に接続されて
いる。保持ＴＦＴ２９０２のゲート電極は、第２のゲート信号線２９０９に接続されてい
る。駆動ＴＦＴ２９０３のソース端子とドレイン端子の一方は、電源線２９１１に接続さ
れ、他方はＯＬＥＤ２９０６の一方の電極２９０６ａと接続されている。ＯＬＥＤ２９０
６の他方の電極２９０６ｂは、一定の電位に保たれている。なお、ＯＬＥＤ２９０６の駆
動ＴＦＴ２９０３に接続されている側の電極２９０６ａを画素電極と呼び、他方の電極２
９０６ｂを対向電極と呼ぶ。
【００２８】
図２９に示す構成の画素において、ソース信号線２９０７に入力する信号電流の電流値
は、ビデオ信号入力電流源２９１２により制御される構成とする。なお実際には、複数の
画素列に対応する複数のビデオ信号入力電流源２９１２は、ソース信号線駆動回路の一部
に相当する。
【００２９】
図２９では、選択ＴＦＴ２９０１、保持ＴＦＴ２９０２をｎチャネル型ＴＦＴとし、駆
動ＴＦＴ２９０３、カレントＴＦＴ２９０４をｐチャネル型ＴＦＴで構成し、画素電極２
９０６ａを陽極とした構成の画素を例に示す。ここで簡単のため、駆動ＴＦＴ２９０３の
電流特性は、カレントＴＦＴ２９０４の電流特性と等しいものとして考える。図２９の構
成の画素の駆動方法を図２８及び図２７を用いて説明する。なお、図２８において選択Ｔ
ＦＴ２９０１及び保持ＴＦＴ２９０２は、導通状態・非導通状態がわかりやすいように、
スイッチで表記した。また、（ＴＡ１）〜（ＴＡ３）それぞれの画素の状態は、図２７の
タイミングチャートにおける期間ＴＡ１〜ＴＡ３の状態に対応している。
【００３０】
図２７において、Ｇ＿１、Ｇ＿２はそれぞれ、第１のゲート信号線２９０８、第２のゲ
ート信号線２９０９の電位を示す。また、｜Ｖｇｓ｜は、駆動ＴＦＴ２９０３のゲート電
圧（ゲート・ソース間電圧）の絶対値である。ＩＯＬＥＤは、ＯＬＥＤ２９０６を流れる
電流を示す。ＩＶｉｄｅｏは、ビデオ信号入力電流源２９１２によって定められた電流値
である。
【００３１】
期間ＴＡ１において、第１のゲート信号線２９０８に入力された信号によって、選択Ｔ
ＦＴ２９０１が導通状態となり、また第２のゲート信号線２９０９に入力された信号によ
って保持ＴＦＴ２９０２が導通状態となると、電源線２９１１が、カレントＴＦＴ２９０
４、保持ＴＦＴ２９０２及び選択ＴＦＴ２９０１を介して、ソース信号線２９０７と接続
される。ソース信号線２９０７には、ビデオ信号入力電流源２９１２によって定められた
電流量ＩＶｉｄｅｏが流れるため、定常状態となるとカレントＴＦＴ２９０４のドレイン
電流はＩＶｉｄｅｏとなり、それに対応するゲート電圧が保持容量２９０５に保持される
。
【００３２】
保持容量２９０５に電圧が保持され、カレントＴＦＴ２９０４のドレイン電流がＩＶｉ
ｄｅｏに定まった後、期間ＴＡ２において、第２のゲート信号線２９０９の信号が変化し
、保持ＴＦＴ２９０２が非導通状態となる。このとき、駆動ＴＦＴ２９０３にはＩＶｉｄ
ｅｏのドレイン電流が流れている。こうして信号電流ＩＶｉｄｅｏが、電源線２９１１よ
り駆動ＴＦＴ２９０３を介してＯＬＥＤ２９０６に入力される。ＯＬＥＤ２９０６は信号
電流ＩＶｉｄｅｏに応じた輝度で発光する。
【００３３】
次に期間ＴＡ３において、第１のゲート信号線２９０８の信号が変化し、選択ＴＦＴ２
９０１が非導通状態となる。選択ＴＦＴ２９０１が非導通状態となった後も、信号電流Ｉ
Ｖｉｄｅｏは、電源線２９１１より駆動ＴＦＴ２９０３を介してＯＬＥＤ２９０６に供給
されＯＬＥＤ２９０６は発光を継続する。
【００３４】
期間ＴＡ１〜ＴＡ３の一連の動作を信号電流ＩＶｉｄｅｏの書き込み動作と呼ぶ。その
際、信号電流ＩＶｉｄｅｏをアナログ的に変化させることによって、ＯＬＥＤ２９０６の
輝度を変化させ、階調を表現する。
【発明の概要】
【発明が解決しようとする課題】
【００３５】
上記のような、電流書き込み型アナログ方式の表示装置では、駆動ＴＦＴ２９０３は飽
和領域で動作する。駆動ＴＦＴ２９０３のドレイン電流は、ソース信号線２９０７より入
力される信号電流によって定められている。つまり、同じ画素内の駆動ＴＦＴ２９０３と
カレントＴＦＴ２９０４の電流特性が揃っていれば、駆動ＴＦＴ２９０３は、閾値電圧や
移動度等のバラツキがあっても、一定のドレイン電流を流し続ける様にゲート電圧が自動
的に変化する。
【００３６】
ＯＬＥＤに印加する電圧と流れる電流量の関係（Ｉ−Ｖ特性）は、周囲の環境温度や、
ＯＬＥＤの劣化等の影響によって変化する。そのため、従来の電圧書き込み型のデジタル
方式に代表される駆動ＴＦＴを線型領域で動作させる表示装置では、ＯＬＥＤの両電極間
に一定の電圧を印加している場合でも、実際に流れる電流が変化することが問題となる。
【００３７】
図３６に、従来の電圧書き込み型でデジタル方式の駆動方法を用いる表示装置において
、ＯＬＥＤのＩ−Ｖ特性が劣化等により変化した場合の動作点の変化について示す。
【００３８】
図３６（Ａ）は、図３０における駆動ＴＦＴ３００４とＯＬＥＤ３００６のみを示した
図である。ここでは、駆動ＴＦＴ３００４のソース端子が電源線３００５に接続されてい
る。駆動ＴＦＴ３００４のソース・ドレイン間電圧をＶｄｓで示す。ＯＬＥＤ３００６の
陰極と陽極間の電圧をＶＯＬＥＤで示し、電流をＩＯＬＥＤで示す。電流ＩＯＬＥＤは、
駆動ＴＦＴ３００４のドレイン電流Ｉｄに等しい。電源線３００５の電位をＶｄｄで示す
。また、ＯＬＥＤ３００６の対向電極の電位は０Ｖとする。
【００３９】
図３６（Ｂ）において、曲線３２０２ａは劣化前のＯＬＥＤ３００６のＩ−Ｖ特性を示
し、曲線３２０２ｂは劣化後のＩ−Ｖ特性を示す。劣化前の駆動ＴＦＴ３００４及びＯＬ
ＥＤ３００６の動作条件は、曲線３２０２ａと曲線３２０１の交点３２０３ａで定まる。
劣化後の駆動ＴＦＴ３００４及びＯＬＥＤ３００６の動作条件は、曲線３２０２ｂと曲線
３２０１の交点３２０３ｂで定まる。
【００４０】
発光状態を選択された画素において駆動ＴＦＴ３００４は、導通状態となるようなゲー
ト電位が入力されている。このときＯＬＥＤ３００６の両電極間の電圧はＶＡ１である。
ＯＬＥＤ３００６が劣化し、そのＩ−Ｖ特性が変化すると、同じゲート電圧が入力されて
いても動作点が変化し、ＯＬＥＤ３００６の両電極間の電圧がＶＡ１とほぼ同じであって
も、流れる電流がＩＯＬＥＤ１からＩＯＬＥＤ２に変化する。こうして、各画素のＯＬＥ
Ｄ３００６の劣化の度合いによって、ＯＬＥＤ３００６の発光輝度が変化する。
【００４１】
一方、図３３や図２９に示したような画素構成を有する、従来の電流書き込み型アナロ
グ方式の駆動方法を用いる表示装置においては、一定電流をＯＬＥＤに流すことによって
輝度を表現する。このときのＯＬＥＤのＩ−Ｖ特性が、劣化等によって変化した場合の影
響について図３７を用いて説明する。なお、図３３と同じ部分は同じ符号を用いて示し、
説明は省略する。また図３３では、発光ＴＦＴ３３０４は単にスイッチと考え、そのソー
ス・ドレイン間電圧は無視する。
【００４２】
図３７（Ａ）は、図３３における駆動ＴＦＴ３３０３とＯＬＥＤ３３０６のみを示した
図である。ここでは、駆動ＴＦＴ３３０３のソース端子が電源線３３０５に接続されてい
る。駆動ＴＦＴ３３０３のソース・ドレイン間電圧をＶｄｓで示す。ＯＬＥＤ３３０６の
陰極と陽極間の電圧をＶＯＬＥＤで示す。ＯＬＥＤ３３０６を流れる電流をＩＯＬＥＤで
示す。電流ＩＯＬＥＤは、駆動ＴＦＴ３３０３のドレイン電流Ｉｄに等しい。電源線３３
０５の電位をＶｄｄで示す。また、ＯＬＥＤ３３０６の対向電極の電位は、０Ｖとする。
【００４３】
図３７（Ｂ）において、３７０１は、駆動ＴＦＴ３３０３のソース・ドレイン間電圧と
ドレイン電流の関係を示す曲線である。３７０２ａは劣化する前のＯＬＥＤ３３０６のＩ
−Ｖ特性を示す曲線とし、３７０２ｂは劣化後のＯＬＥＤ３３０６のＩ−Ｖ特性と示す曲
線とする。劣化前の駆動ＴＦＴ３３０３及びＯＬＥＤ３３０６の動作条件は、曲線３７０
２ａと曲線３７０１の交点３２０３ａで定まる。劣化後の駆動ＴＦＴ３３０３及びＯＬＥ
Ｄ３３０６の動作条件は、曲線３７０２ｂと曲線３７０１の交点３７０３ｂで定まる。
【００４４】
電流書き込み型アナログ方式の画素では、駆動ＴＦＴ３３０３は飽和領域で動作してい
る。ＯＬＥＤ３３０６の劣化前後において、ＯＬＥＤ３３０６の両電極間の電圧はＶＢ１
からＶＢ２に変化するが、ＯＬＥＤ３３０６を流れる電流はほぼ一定のＩＯＬＥＤ１に保
たれる。ここで示したＯＬＥＤのＩ−Ｖ特性の変化に対応する駆動ＴＦＴ及びＯＬＥＤの
動作条件の変化は、図２９に示した画素構成における、駆動ＴＦＴ２９０３とＯＬＥＤ２
９０６についても同様である。
【００４５】
しかし、電流書き込み型アナログ方式の駆動方法では、各画素で表示を行う毎に、信号
電流に応じた電荷を各画素の容量部（保持容量）に保持し直す必要がある。この時、信号
電流が小さな場合ほど配線の交差容量などが原因となり、画素に信号を書き込む際に、保
持容量に所定の電荷を保持するための時間が長く必要となるため、信号電流の素早い書き
込みが困難である。
【００４６】
また、信号電流が小さな場合は、信号電流の書き込みが行われる画素以外の、同じソー
ス信号線に接続された複数の画素による漏れ電流等のノイズの影響が大きく、正確な輝度
で画素を発光させることができない危険性が高い。
【００４７】
また、図２９に示したような画素に代表されるカレントミラー回路を有する画素構成で
は、カレントミラー回路においてゲート電極が接続される１組のＴＦＴの電流特性が揃っ
ていなければならない。しかし実際には、これらの対となるＴＦＴの電流特性を完全に揃
えることは難しくばらつきが生じる。
【００４８】
ここで、図２９において駆動ＴＦＴ２９０３とカレントＴＦＴ２９０４の閾値をそれぞ
れＶｔｈａ、Ｖｔｈｂとする。これらの閾値がばらつき、Ｖｔｈａの絶対値｜Ｖｔｈａ｜
がＶｔｈｂの絶対値｜Ｖｔｈｂ｜より小さい際に、黒表示を行う場合を考察する。カレン
トＴＦＴ２９０３を流れるドレイン電流は、ビデオ信号入力電流源２９１２によって定め
られた電流値ＩＶｉｄｅｏに相当しゼロであるとする。しかし、カレントＴＦＴ２９０３
にドレイン電流が流れなくても、保持容量２９０５には、｜Ｖｔｈｂ｜よりやや小さい程
度の電圧が保持されている可能性がある。ここで、｜Ｖｔｈｂ｜＞｜Ｖｔｈａ｜であるた
め、駆動ＴＦＴ２９０３のドレイン電流はゼロではない可能性がある。こうして、黒表示
を行う場合においても、駆動ＴＦＴ２９０３をドレイン電流が流れ、ＯＬＥＤ２９０６が
発光してしまう。そのため、コントラストが低下するという問題がある。
【００４９】
更に、従来の電流書き込み型アナログ方式の表示装置において、各画素に信号電流を入
力するビデオ信号入力電流源は各画素列毎に設けられるが、それら全ての電流特性を揃え
て、かつ、アナログ的に正確に電流値を変化させて制御する必要がある。そのため、多結
晶半導体薄膜を用いたトランジスタでは、電流特性の揃ったビデオ信号入力電流源を作製
するのは困難である。よって、ビデオ信号入力電流源は、ＩＣチップで作製される。一方
、画素が形成される基板は、コスト等の面から、ガラス等の絶縁基板（絶縁表面を有する
基板）上に作製されるのが一般的である。そこで、ＩＣチップはガラス等の絶縁基板に貼
り付ける必要がある。そのため貼り付けの際に必要となる面積が大きく画素領域周辺の額
縁の面積を小さくすることができない問題がある。
【００５０】
そこで本発明は、上記を鑑み提案されたもので、発光素子を、劣化等による電流特性の
変化によらず一定の輝度で発光させることが可能で、且つ、各画素への信号の書き込み速
度が速く、正確な階調が表現可能で、また、低コストで、小型化可能な表示装置及びその
駆動方法を提供することを目的とする。
【課題を解決するための手段】
【００５１】
この発明に依る表示装置は、画素を含み、第１の電流を電圧に変換する手段と、変換さ
れた前記電圧を保持する手段と、保持された前記電圧を第２の電流に変換する手段と、デ
ジタルの映像信号によって、前記第２の電流を発光素子に流す手段と、を有することから
成る。
【００５２】
前記保持された前記電圧を第２の電流に変換する手段は、前記第１の電流と電流値の等
しい第２の電流、又は、前記第１の電流と電流値が比例する第２の電流へ変換する手段で
あることを含む。
この発明に依る表示装置は、前記デジタルの映像信号とは別の信号によって、前記第２の
電流を前記発光素子に流さないようにする手段を有することを含む。
【００５３】
また、この発明は、一定電流を流す電流源回路と、デジタルの映像信号によってオン・
オフが切り替えられるスイッチ部と、を有する画素を含み、発光素子の発光を制御する表
示装置であって、前記スイッチ部と前記電流源回路と発光素子とが直列に接続されている
ことを含む。
【００５４】
更に、この発明の表示装置は、第１の端子と第２の端子とを有し前記第１の端子と前記
第２の端子間を流れる電流を一定に定める電流源回路と、第３の端子と第４の端子とを有
しデジタルの映像信号によって前記第３の端子と前記第４の端子間の導通状態・非導通状
態を切り替えるスイッチ部と、電源線と、電源基準線と、を有する画素を含み、前記第３
の端子と前記第４の端子間の導通状態が選択されたとき、前記第１の端子と前記第２の端
子間を流れる電流が発光素子の陽極と陰極間に流れるように、前記電源線と前記電源基準
線の間に、前記電流源回路、前記スイッチ部及び前記発光素子が接続されていることを含
む。
【００５５】
また、この発明に依る表示装置は、画素を含み、第１の電流を第１のトランジスタのド
レイン電流とする手段と、前記第１のトランジスタのゲート電圧を保持する手段と、前記
ゲート電圧を前記第１のトランジスタと極性が等しい第２のトランジスタのゲート電圧と
する手段と、デジタルの映像信号によって、前記第２のトランジスタのドレイン電流を発
光素子に流す手段と、を有することから成る。
【００５６】
前記表示装置に於いて、前記第１のトランジスタのゲート長とゲート幅の比は、前記第
２のトランジスタのゲート長とゲート幅の比と異なることと共に、前記第１のトランジス
タのゲート電極とドレイン端子を電気的に接続する手段を有することを含む。
【００５７】
また、前記表示装置は、前記デジタルの映像信号とは別の信号によって、前記第２のト
ランジスタのドレイン電流を前記発光素子に流さないようにする手段を有することを含む
。
【００５８】
この発明に依る表示装置は、画素を含み、第１の電流をトランジスタに入力して前記ト
ランジスタのドレイン電流とする手段と、前記トランジスタのゲート電圧を保持する手段
と、デジタルの映像信号によって前記トランジスタのソース・ドレイン端子間に電圧を印
加して、保持された前記ゲート電圧によって定まる前記トランジスタのドレイン電流を発
光素子に流す手段と、を有することから成る。
【００５９】
前記表示装置は、更に、前記トランジスタのゲート電極とドレイン端子を電気的に接続
する手段を有することを含むと共に、前記デジタルの映像信号とは別の信号によって、前
記トランジスタのドレイン電流を前記発光素子に流さないようにする手段を有することを
含む。
【００６０】
前記表示装置に於いて、前記第１の電流は、前記デジタルの映像信号によって変化しな
いことを含む。
【００６１】
前記表示装置に於いて、前記画素は、当該画素への前記デジタルの映像信号の入力を選
択する手段と、前記デジタルの映像信号を保持する手段と、を有することを含む。
また、前記表示装置は、前記画素を複数有し、前記第１の電流の電流値は、複数の前記画
素の少なくとも一部において同じであることを含む。
【００６２】
更に、この発明の表示装置は、前記画素に一定の電流を入力する駆動回路を有すること
を含む。
【００６３】
この発明に依る表示装置の駆動方法は、画素において、入力された第１の電流を電圧に
変換し、変換された前記電圧を保持する第１の動作と、入力されたデジタルの映像信号に
よって、保持された前記電圧を第２の電流に変換し、前記第２の電流を発光素子に流す第
２の動作と、を行うことを含む。
【００６４】
前記駆動方法に於いて、前記第２の動作は、前記画素への前記デジタルの映像信号の入
力を選択し、入力された前記デジタルの映像信号を保持する動作を含み、前記第１の動作
と前記第２の動作とは独立に行われることを含む。
【００６５】
前記駆動方法に於いて、１フレーム期間における前記発光素子に前記第２の電流が流れ
る期間の割合を変化させることによって、階調を表現することを含む。
【００６６】
また、前記駆動方法は、１フレーム期間を複数のサブフレーム期間に分割し、前記複数
のサブフレーム期間のそれぞれにおいて、前記第２の動作を行い、階調を表現することを
含み、前記複数のサブフレーム期間の少なくとも１つにおいて、前記デジタルの映像信号
とは別の信号によって前記第２の電流を前記発光素子に流さないようにする、非表示期間
を設けることを含み、前記非表示期間において前記第１の動作を行うことを含む。
【００６７】
次に、上記に開示した本発明に依る表示装置及びその駆動装置を図１を用いて説明する
。
【００６８】
図１は、本発明の表示装置の画素の構成を示す模式図である。本発明の表示装置の各画
素は電流源回路とスイッチ部と発光素子とを有する。発光素子と電流源回路とスイッチ部
とは、電源基準線と電源線の間に直列に接続されている。なお、電流源回路とは、定めら
れた一定電流を流す回路であるとする。また、発光素子は電流や電圧などによって状態を
制御する素子であれば何でもよい。例としてはＥＬ素子（特に、有機材料を用いたものを
ＯＬＥＤなどと呼ぶ）やＦＥ（Ｆｉｅｌｄ  Ｅｍｉｓｓｉｏｎ）素子などが挙げられる。
これら以外にも、電流や電圧などによって状態を制御する素子であれば本発明に適用する
ことが可能である。
【００６９】
ＯＬＥＤは、陽極と陰極と、その間に挟まれた有機化合物層などを有する構成である。
陽極と陰極がそれぞれ第１の電極及び第２の電極に対応し、これらの電極間に電圧を印加
することによってＯＬＥＤは発光する。有機化合物層は、通常積層構造である。代表的に
は、「正孔輸送層／発光層／電子輸送層」という積層構造が挙げられる。その他にも、陽
極上に正孔注入層／正孔輸送層／発光層／電子輸送層、又は正孔注入層／正孔輸送層／発
光層／電子輸送層／電子注入層の順に積層する構造でも良い。発光層に対して蛍光性色素
等をドーピングしても良い。陰極と陽極の間に設けられる全ての層を総称して有機化合物
層と呼ぶ。よって上述した正孔注入層、正孔輸送層、発光層、電子輸送層、電子注入層等
は、全て有機化合物層に含まれる。上記構造でなる有機化合物層に、一対の電極（陽極及
び陰極）から所定の電圧をかけると、発光層においてキャリアの再結合が起こって発光す
る。なお、ＯＬＥＤは、一重項励起子からの発光（蛍光）を利用するものでも、三重項励
起子からの発光（燐光）を利用するものでも、どちらでも良い。
【００７０】
図１では、電源基準線と電源線との間に、発光素子、スイッチ、電流源回路の順に直列
に接続された構成を代表で示す。本発明はこれに限定されず、例えば、発光素子、電流源
回路、スイッチ部の順に電源基準線と電源線との間に直列に接続された構成であってもか
まわない。つまり、発光素子、電流源回路、スイッチ部は、電源基準線と電源線との間に
直列にどのような順序で接続されていてもよい。更に、スイッチ部は複数設けられていて
も良い。例えば、電源基準線と電源線との間に、発光素子と、第１のスイッチ部と第２の
スイッチ部と電流源回路とが直列に接続された構成とすることができる。また、スイッチ
部は、電流源回路とその一部を共有した構成であっても良い。つまり、電流源回路を構成
する素子の一部をスイッチ部として利用する構成であっても良い。
【００７１】
デジタルの映像信号を用いることによって、スイッチ部のオン・オフ（導通・非導通）
を切り替える。また、電流源回路を流れる一定電流の大きさは、画素外部より入力される
制御信号によって定められる。スイッチ部がオン状態の場合は、発光素子には、電流源回
路によって定まる一定電流が流れ発光する。スイッチ部がオフ状態の場合、発光素子には
電流が流れず発光しない。このように、スイッチ部のオン・オフを映像信号によって制御
し階調を表現する。
【００７２】
複数のスイッチ部を設けた場合、それら複数のスイッチ部それぞれのオン・オフを切り
替える信号は、映像信号であっても、その他の任意の信号であっても、また、映像信号と
その他の任意の信号の両方であっても良い。ただし、複数のスイッチ部のうち少なくとも
１つのスイッチ部は、映像信号によってオン・オフが切り替えられる必要がある。例えば
、電源基準線と電源線との間に、発光素子と、第１のスイッチ部と第２のスイッチ部と電
流源回路とが直列に接続された構成の場合、第１のスイッチ部は、映像信号によってオン
・オフを切り替え、第２のスイッチ部は、映像信号とは異なる信号によってオン・オフを
切り替えられる構成とすることができる。又は、第１のスイッチ部、第２のスイッチ部が
共に、映像信号によってオン・オフが切り替えられるような構成とすることもできる。
【００７３】
本発明の表示装置では、スイッチ部を駆動する映像信号とは別に、電流源回路を流れる
一定電流を定めるための制御信号を入力する。制御信号としては、電圧信号でも電流信号
でもどちらでもよい。また、電流源回路に制御信号を入力するタイミングは、任意に定め
ることができる。電流源回路への制御信号の入力は、スイッチ部への映像信号の入力に同
期させて行っても良いし非同期で行っても良い。
【発明の効果】
【００７４】
本発明の表示装置では、画像表示を行う際に発光素子に流れる電流は一定に保たれるた
め、発光素子を劣化等による電流特性の変化によらず一定の輝度で発光させることが可能
である。
【００７５】
本発明の表示装置では、各画素に配置した電流源回路を流れる電流の大きさは、映像信
号とは別の信号によって制御され、常に一定である。また、デジタルの映像信号を用いて
スイッチ部を駆動し、発光素子に一定電流を流すか流さないかを選択して、発光状態・非
発光状態を切り替え、デジタル方式で階調を表現する点に特徴を有する。
【００７６】
本発明の表示装置の画素構成では、映像信号により発光状態が選択されなかった画素に
おいては、スイッチ部によって発光素子に入力される電流は完全に遮断されるので、正確
な階調表現が可能である。つまり、黒を表示させたいのに、少し発光してしまうというこ
とを避けることができる。そのため、コントラスト低下を抑制することができる。また、
デジタルの映像信号でスイッチ部のオン・オフ状態を選択することによって、各画素の発
光状態又は非発光状態を選択するため、画素への映像信号の書き込みを速くすることがで
きる。
【００７７】
従来の電流書き込み型アナログ方式の画素構成では、画素に入力する電流を輝度に応じ
て小さくする必要があり、ノイズの影響が大きいという問題があった。一方、本発明の表
示装置の画素構成では、電流源回路を流れる一定電流の電流値をある程度大きく設定すれ
ば、ノイズの影響を低減することができる。
【００７８】
また、従来の電流書き込み型アナログ方式の画素の場合、映像信号が電流であった。そ
のため、映像情報を書き換えるためには、必ず、その輝度に合わせた電流値で、画素が保
持していた映像情報を書き換える必要があった。その場合、１フレーム期間は１／６０秒
なので、その時間内で毎フレームごとに、全画素の映像情報を書き換える必要があった。
そのため、表示装置の仕様（例えば、画素数など）が決まれば、１画素当たりに決まった
時間内に、映像情報を書き換えなければならなかった。よって、特に信号電流の値が小さ
いとき、配線の負荷（交差容量や配線抵抗など）の影響により、決まった時間内に正確に
映像情報を書き換えることが困難になってくる。
【００７９】
しかし、本発明では、映像信号とは別に制御信号を入力して、画素の電流源回路を流れ
る電流値を定める。そして、制御信号を入力するタイミングや、入力する期間や、入力す
る周期は、任意である。よって、従来の場合のような状態になることを避けることが出来
る。
【００８０】
更に、従来の電流書き込み型アナログ方式の表示装置では、各画素に配置された電流源
回路に映像信号に対応したアナログの信号電流を入力するための駆動回路を必要とした。
この駆動回路は、各画素に対して正確にアナログの信号電流を出力することが望まれるた
め、ＩＣチップで作製する必要があった。そのため、コストが高く、小型化が難しいとい
った問題があった。一方、本発明の表示装置では、各画素に配置した電流源回路を流れる
電流の値を映像信号にあわせて変化させるための駆動回路を必要としない。つまり、ＩＣ
チップで作製された外付けの駆動回路が必要ない構成であるため、低コスト及び小型化を
実現することができる。
【００８１】
こうして、発光素子を劣化等による電流特性の変化によらず一定の輝度で発光させるこ
とが可能で、且つ、各画素への信号の書き込み速度が速く、正確な階調が表現可能で、ま
た、低コストで、小型化可能な表示装置及びその駆動方法を提供することができる。
【００８２】
本発明の表示装置の各画素は、電流源回路とスイッチ部と発光素子とを有する。発光素
子と電流源回路とスイッチ部とは、電源基準線と電源線の間に直列に接続されている。デ
ジタルの映像信号を用いることによって、スイッチ部のオン・オフを切り替える。また、
電流源回路を流れる一定電流の大きさは、画素外部より入力される制御信号によって定め
られる。スイッチ部がオン状態の場合は、発光素子には、電流源回路によって定まる一定
電流が流れ発光する。スイッチ部がオフ状態の場合、発光素子には、電流が流れず発光し
ない。このように、スイッチ部のオン・オフを映像信号によって制御し階調を表現するこ
とができる。こうして、発光素子の劣化等によって電流特性が変化しても、一定の輝度で
表現することが可能となり、信号の書き込みが速く、正確に階調を表現することが可能で
、且つ、低コストで、小型化可能な表示装置を提供することができる。
【図面の簡単な説明】
【００８３】
【図１】本発明の表示装置の画素の駆動方法を示す模式図である。
【図２】本発明の表示装置を用いた表示システムを示す図である。
【図３】本発明の表示装置の画素の構成を示すブロック図である。
【図４】本発明の表示装置の電流源回路の回路図である。
【図５】本発明の表示装置の画素部の回路図である。
【図６】本発明の表示装置の画素の設定動作のタイミングチャートを示す図である。
【図７】本発明の表示装置の画像表示動作のタイミングチャートを示す図である。
【図８】本発明の表示装置の基準電流入力回路の構成を示すブロック図である。
【図９】本発明の表示装置の基準電流入力回路の構成を示す回路図である。
【図１０】本発明の表示装置の基準電流入力回路の動作を示すタイミングチャートを示す図である。
【図１１】本発明の表示装置の基準電流入力回路の動作方法を示す図である。
【図１２】本発明の表示装置の電流源回路の回路図である。
【図１３】本発明の表示装置のスイッチ部の回路図である。
【図１４】本発明の表示装置の画素部の回路図である。
【図１５】本発明の表示装置の画素の設定動作のタイミングチャートを示す図である。
【図１６】本発明の表示装置の画像表示動作及びそのタイミングチャートを示す図である。
【図１７】本発明の表示装置の電流源回路の回路図である。
【図１８】本発明の表示装置の画素部の回路図である。
【図１９】本発明の表示装置の画素の設定動作のタイミングチャートを示す図である。
【図２０】本発明の表示装置の参照電流源回路の切り替え回路の構成を示す図である。
【図２１】発明の表示装置の電流源回路の回路図である。
【図２２】本発明の表示装置の画素部の回路図である。
【図２３】本発明の表示装置の電流源回路の回路図である。
【図２４】本発明の表示装置の電流源回路の回路図である。
【図２５】本発明の表示装置の電流源回路の回路図である。
【図２６】本発明の表示装置の画素部の回路図である。
【図２７】従来の表示装置の駆動方法のタイミングチャートを示す図である。
【図２８】従来の表示装置の駆動方法を示す図である。
【図２９】従来の表示装置の画素の回路図である。
【図３０】従来の表示装置の画素の回路図である。
【図３１】従来の表示装置の駆動トランジスタの動作領域を示す図である。
【図３２】従来の表示装置の駆動トランジスタの動作点を示す図である。
【図３３】従来の表示装置の画素の回路図である。
【図３４】従来の表示装置の駆動方法を示す図である。
【図３５】従来の表示装置の駆動方法のタイミングチャートを示す図である。
【図３６】従来の表示装置の発光素子の劣化による駆動トランジスタの動作点の変化を示す図である。
【図３７】従来の表示装置の発光素子の劣化による駆動トランジスタの動作点の変化を示す図である。
【図３８】本発明の表示装置の電流源回路の構成を示す図である。
【図３９】本発明の表示装置の画素部の構成を示す図である。
【図４０】本発明の表示装置の画像表示動作及びそのタイミングチャートを示す図である。
【図４１】本発明の表示装置の電流源回路の構成を示す図である。
【図４２】本発明の表示装置の画素部の構成を示す図である。
【図４３】本発明の表示装置の画素のスイッチ部の回路図である。
【図４４】本発明の表示装置の電流源回路の構成を示す図である。
【図４５】発明の表示装置の画素部の構成を示す図である。
【図４６】本発明の表示装置を応用した電子機器を示す図である。
【図４７】本発明の表示装置の電流源回路の構成を示す図である。
【図４８】本発明の表示装置の画素部の構成を示す図である。
【図４９】本発明の表示装置の駆動方法のタイミングチャートを示す図である。
【図５０】本発明の表示装置の画素部の構成を示す図である。
【図５１】本発明の表示装置の画素部の構成を示す図である。
【図５２】本発明の表示装置の画素部の構成を示す図である。
【図５３】本発明の表示装置の画素部の構成を示す図である。
【図５４】本発明の表示装置の信号線駆動回路の構成を示すブロック図である。
【図５５】本発明の表示装置の信号線駆動回路の構成を示す図である。
【図５６】本発明の表示装置の走査線駆動回路の構成を示す図である。
【図５７】本発明の表示装置の電流源回路の構成を示す図である。
【図５８】本発明の表示装置の電流源回路の構成を示す図である。
【図５９】本発明の表示装置の画素の設定動作を示すタイミングチャートを示す図である。
【図６０】本発明の表示装置の走査線駆動回路の構成を示す図である。
【図６１】本発明の表示装置の画素の状態を示す模式図である。
【図６２】本発明の表示装置の画素の状態を示す模式図である。
【図６３】本発明の表示装置の画素の状態を示す模式図である。
【図６４】本発明の表示装置の画素の状態を示す模式図である。
【図６５】本発明の表示装置の画素の状態を示す模式図である。
【図６６】本発明の表示装置の画素の状態を示す模式図である。
【図６７】本発明の表示装置の画素の電流源回路の回路図である。
【図６８】本発明の表示装置の画素の電流源回路の回路図である。
【図６９】本発明の表示装置の画素の電流源回路の回路図である。
【図７０】本発明の表示装置の画素の電流源回路の回路図である。
【図７１】本発明の表示装置の画素の電流源回路の回路図である。
【図７２】本発明の表示装置の画素の電流源回路の回路図である。
【図７３】本発明の表示装置の画素の構成を示す回路図である。
【図７４】本発明の表示装置の画素の構成を示す回路図である。
【図７５】本発明の表示装置の画素の構成を示す回路図である。
【図７６】本発明の表示装置の画素の構成を示す回路図である。
【図７７】本発明の表示装置の画素の構成を示す回路図である。
【図７８】本発明の表示装置の画素の構成を示す上面図（Ａ）と回路図（Ｂ）である。
【図７９】本発明の表示装置の画素の構成を示す上面図（Ａ）と回路図（Ｂ）である。
【発明を実施するための形態】
【００８４】
図３（Ａ）に、本発明の表示装置の画素の構成の模式図を示す。図３（Ａ）において、
各画素１００は、走査線Ｇ、映像信号入力線Ｓ、電源線Ｗ、スイッチ部１０１、電流源回
路１０２及び発光素子１０６によって構成される。
【００８５】
各画素１００において、スイッチ部１０１は端子Ｃ及び端子Ｄを有する。発光素子１０
６の画素電極１０６ａは、スイッチ部の端子Ｄと接続される。スイッチ部の端子Ｃは、電
流源回路１０２の端子Ｂと接続される。電流源回路１０２の端子Ａは電源線Ｗと接続され
ている。電流源回路１０２は、円の中に矢印を配置した記号によって模式的に示す。電流
源回路１０２はこの記号の矢印の方向、つまり端子Ａから端子Ｂの方向に、正の一定電流
を流す回路であるとする。端子Ａ又は端子Ｂの一方を電流源回路１０２の入力端子、他方
を電流源回路１０２の出力端子と呼ぶ。
【００８６】
発光状態を選択する信号が映像信号入力線Ｓより入力された画素１００では、スイッチ
部１０１の端子Ｃと端子Ｄ間が導通状態となる。こうして、スイッチ部１０１の端子Ｃと
端子Ｄ間及び電流源回路１０２の端子Ａと端子Ｂ間を介して、発光素子１０６の画素電極
１０６ａと電源線Ｗが接続される。
【００８７】
スイッチ部１０１は、走査線Ｇより入力される信号によって映像信号入力線Ｓ上の映像
信号の画素への入力を切り替える第１のスイッチと、画素に入力された映像信号によって
オン・オフが切り替えられる第２のスイッチとを有する。第２のスイッチのオン・オフを
切り替えることによって、スイッチ部の端子Ｃと端子Ｄの間の導通及び非導通状態が切り
替えられる。端子Ｃ又は端子Ｄの一方をスイッチ部１０１の入力端子、他方をスイッチ部
１０１の出力端子と呼ぶ。
【００８８】
発光素子１０６は、画素電極１０６ａから対向電極１０６ｂへ、又はその逆の方向に電
流を流し、その電流に応じて輝度が変化する素子を示す。
【００８９】
図３（Ａ）では、電流源回路１０２の端子Ａが電源線Ｗに接続され、端子Ｂがスイッチ
部１０１の端子Ｃと端子Ｄ間を介して、発光素子１０６の画素電極１０６ａに接続されて
いるので、発光素子１０６の画素電極１０６ａは陽極となり、対向電極は１０６ｂは陰極
となる。このとき、発光素子１０６の対向電極１０６ｂに与えられている電位Ｖｃｏｍは
、電源線Ｗの電位より低く設定されている。電位Ｖｃｏｍは、電源基準線（図示せず）に
よって与えられている。
【００９０】
一方、電流源回路１０２の端子Ａが、スイッチ部１０１の端子Ｃに接続され、端子Ｂが
電源線Ｗに接続される構造としてもよい。このとき、発光素子１０６の画素電極１０６ａ
は陰極となり、対向電極は１０６ｂは陽極となる。発光素子１０６の対向電極１０６ｂに
与えられている電位Ｖｃｏｍは、電源線Ｗの電位より高く設定されている。
【００９１】
また、電流源回路１０２とスイッチ部１０１と発光素子１０６の接続順序は任意でよい
ため、例えば、電流源回路１０２は、スイッチ部１０１と発光素子１０６の間に配置され
ていても良い。つまり、電流源回路１０２の端子Ｂが発光素子１０６の画素電極１０６ａ
と接続され、電流源回路１０２の端子Ａがスイッチ部１０１の端子Ｄと接続され、スイッ
チ部１０１の端子Ｃが電源線Ｗに接続された構造であっても良い。更に、電流源回路１０
２の端子Ａと端子Ｂとが反転した構造であっても良い。つまり、電流源回路１０２の端子
Ａが発光素子１０６の画素電極１０６ａと接続され、電流源回路１０２の端子Ｂがスイッ
チ部１０１の端子Ｄと接続され、スイッチ部１０１の端子Ｃが電源線Ｗと接続された構成
であってもよい。この場合、発光素子１０６の画素電極１０６ａは陰極となり、対向電極
は１０６ｂは陽極となる。このとき、発光素子１０６の対向電極１０６ｂに与えられてい
る電位Ｖｃｏｍは、電源線Ｗの電位より高く設定されている。
【００９２】
スイッチ部１０１において、端子Ｃと端子Ｄの間が導通状態となった画素１００では、
電流源回路１０２によって定まる一定電流が発光素子１０６に入力され、発光素子１０６
は発光する。
【００９３】
電流源回路１０２の基本構造の例を図３（Ｂ）及び図３（Ｃ）に示す。各画素の電流源
回路を流れる一定電流が、電流信号によって定められる電流源回路の例を挙げる。このよ
うな構成の電流源回路を、電流制御型電流源回路と呼ぶ。図３（Ｂ）及び図３（Ｃ）中の
端子Ａ及び端子Ｂは、図３（Ａ）中、端子Ａ及び端子Ｂに対応する。
【００９４】
図３（Ｂ）及び図３（Ｃ）において、電流源回路１０２はトランジスタ（電流源トラン
ジスタ）１１２と容量素子（電流源容量）１１１とを有する。飽和領域で動作する電流源
トランジスタ１１２のドレイン電流が、画素の外部より入力された一定電流（以下、基準
電流と表記する）に対応する一定電流（以下、画素基準電流と表記する）となる。つまり
、画素の外部より一定電流（基準電流）が入力される。このときのゲート電圧Ｖｇｓ（以
下、画素対応基準電圧と表記する）が、電流源容量１１１によって保持されると、電流源
トランジスタ１１２が飽和領域で動作する場合には、基準電流に対応した一定電流（画素
基準電流）がドレイン電流として電流源トランジスタ１１２及び発光素子１０６に流れる
。こうして、外部の電流源より基準電流が入力されなくなった後も、電流源トランジスタ
１１２はソース・ドレイン間に電圧が印加されると、電流源容量１１１に保持された画素
対応基準電圧に応じて画素基準電流を流す。なお、電流源容量１１１は、他のトランジス
タのゲート容量などを利用することにより省略することも可能である。
【００９５】
各画素に配置された電流源容量１１１において、電流源トランジスタ１１２が画素基準
電流を流すのに必要なゲート電圧を取得し保持する動作を、画素の設定動作と呼ぶ。なお
、本発明におけるトランジスタとしては、薄膜トランジスタ（ＴＦＴ）でも、単結晶トラ
ンジスタ等のトランジスタでもどちらでも良い。
【００９６】
また、有機物を利用したトランジスタでもよい。例えば、単結晶トランジスタとしては
、ＳＯＩ技術を用いて形成されたトランジスタとすることができる。薄膜トランジスタと
しては、活性層として多結晶半導体を用いたものでも、非晶質半導体を用いたものでもよ
い。例えば、ポリシリコンを用いたＴＦＴや、アモルファスシリコンを用いたＴＦＴとす
ることができる。
【００９７】
電流源回路１０２において、電流源トランジスタ１１２にドレイン電流が流れる場合、
電流源容量１１１の一方の電極は電流源トランジスタ１１２のゲート電極と接続され、他
方（図中、端子Ａ’で示す）は一定電位が与えられる。電流源容量１１１に保持された電
荷によって、電流源トランジスタ１１２のゲート電極の電位（ゲート電位）が保存される
。ここで、端子Ａ’の電位と電流源トランジスタ１１２のソース端子の電位とは、同じで
あっても良いし異なっていても良いが、電流源トランジスタに画素基準電流が流れる際は
いつも、それぞれの端子の間の電位差は、同じとする。こうして、電流源トランジスタ１
１２に画素基準電流が流れる際のゲート電圧Ｖｇｓ（画素対応基準電圧）は保持される。
飽和領域で動作するトランジスタでは、ゲート電圧Ｖｇｓに応じてドレイン電流も変化す
る。従って、ソース端子の電位が変化しても、ゲート電圧Ｖｇｓは一定であるように、端
子Ａ’はソース端子に接続されていることが望ましい。なお、図３（Ｂ）と図３（Ｃ）で
は、電流源トランジスタ１１２の極性が異なる。図３（Ｂ）では、電流源トランジスタ１
１２は、ｐチャネル型であり、図３（Ｃ）ではｎチャネル型である。
【００９８】
図３（Ａ）のように接続されている場合には、電流源トランジスタ１１２がｐチャネル
型の場合、電流源トランジスタ１１２はソース端子からドレイン端子に電流を流す。また
、電流源トランジスタ１１２がｎチャネル型の場合、電流源トランジスタ１１２のドレイ
ン端子からソース端子に電流を流す。よって、電流源トランジスタ１１２がｐチャネル型
の場合、電流源トランジスタ１１２のソース端子は端子Ａに接続され、ドレイン端子は端
子Ｂに接続される。一方、電流源トランジスタ１１２がｎチャネル型の場合、電流源トラ
ンジスタ１１２のドレイン端子は端子Ａに接続され、ソース端子は端子Ｂに接続される。
【００９９】
画素基準電流を、画素外部より入力される電流信号（基準電流）によって制御する手段
としては、大きく分けて２つの方法がある。
【０１００】
１つは、カレントミラー方式と名付けた方式である。カレントミラー回路は、ゲート電
極が電気的に接続された１対のトランジスタを有し、一方のトランジスタのゲート電極と
ドレイン端子が電気的に接続された構成を有する。カレントミラー方式では、カレントミ
ラー回路を構成する１対のトランジスタのうち、一方のトランジスタを電流源トランジス
タ１１２とし、他方のトランジスタをカレントトランジスタとする。カレントトランジス
タのドレイン端子とゲート電極を電気的に接続して、そのソース・ドレイン間に基準電流
を入力する手法である。
【０１０１】
もう１つは、同一トランジスタ方式と名づけた方式である。同一トランジスタ方式は、
ドレイン端子とゲート電極が電気的に接続された電流源トランジスタ１１２のソース・ド
レイン間に、基準電流を直接入力する手法である。なお、同一トランジスタ方式の変形と
して、マルチゲート方式と呼ぶものもある。
【０１０２】
カレントミラー方式を用いる電流源回路を、カレントミラー方式の電流源回路と呼び、
同一トランジスタ方式を用いる電流源回路を、同一トランジスタ方式の電流源回路と呼び
、マルチゲート方式を用いる電流回路をマルチゲート方式の電流源回路と呼ぶ。電流源回
路１０２は、一旦、基準電流を入力し画素対応基準電圧を電流源容量１１１に保持する、
画素の設定動作を行った後は、電流源容量１１１に保持された電荷が放電しない限り、再
び基準電流を入力する動作を必要としない。
【０１０３】
電流源容量１１１に保持された電荷は、実際には、漏れ電流の影響や様々なノイズによ
って時間が経過すると変化してしまう。そこで、定期的に、画素の設定動作を繰り返す必
要がある。しかし、一旦、画素の設定動作を行った後に、定期的に行う画素の設定動作で
は、漏れ電流によって電流源容量１１１に保持された電荷が変化した分のみ、電荷を保持
し直せばよい。そのため、はじめの画素の設定動作と比較して、その後定期的に行う画素
の設定動作に要する時間は短くてすむ。
【０１０４】
（実施の形態１）
本発明の表示装置の画素構成の一例を示す。各画素に配置した電流源回路の構成例を図
４に示す。なお、図４において、図３と同じ部分は同じ符号を用いて示す。図４ではカレ
ントミラー方式の電流源回路の例を示す。電流源回路１０２は、電流源容量１１１、電流
源トランジスタ１１２、カレントトランジスタ１４０５、電流入力トランジスタ１４０３
、電流保持トランジスタ１４０４、電流線ＣＬ、信号線ＧＮ、信号線ＧＨとによって構成
される。電流源トランジスタ１１２とカレントトランジスタ１４０５は一対でカレントミ
ラー回路を構成するので、極性は等しくなくてはならない。また、同一画素内のこれら２
つのトランジスタの電流特性は等しいことが望まれる。ここで本実施の形態１では、簡単
のため、電流源トランジスタ１１２とカレントトランジスタ１４０５の電流特性は等しい
とする。
【０１０５】
図４において、電流源トランジスタ１１２及びカレントトランジスタ１４０５を、ｐチ
ャネル型とした例を示す。なお、電流源トランジスタ１１２及びカレントトランジスタ１
４０５をｎチャネル型とする場合も、図３（Ｃ）に示した構造に従って、容易に応用する
ことができる。その場合の例を図２３に示す。図２３において図４と同じ部分は同じ符号
を用いて示す。図２３において、追加トランジスタ１８０１及び１８０３は、画素の設定
動作の際に電流源トランジスタ１１２に電流が流れるのを防ぐために設けられる。つまり
、画素の設定動作時には、追加トランジスタ１８０１及び１８０３は非導通状態である。
一方、画像表示を行う際は導通状態となる。また、追加トランジスタ１８０２は、画像表
示を行う際にカレントトランジスタ１４０５に電流が流れるのを防ぐために設けられる。
つまり、画素の設定動作時には、追加トランジスタ１８０２は導通状態である。一方、画
像表示を行う際は非導通状態となる。
【０１０６】
以下、図４を例に説明する。電流入力トランジスタ１４０３、電流保持トランジスタ１
４０４はｎチャネル型とするが、単なるスイッチとして動作するためｐチャネル型として
もかまわない。
【０１０７】
電流源トランジスタ１１２のゲート電極とカレントトランジスタ１４０５のゲート電極
及び、電流源容量１１１の一方の電極は接続されている。また、電流源容量１１１の他方
の電極は、電流源トランジスタ１１２のソース端子及びカレントトランジスタ１４０５の
ソース端子と接続され、電流源回路１０２の端子Ａに接続されている。カレントトランジ
スタ１４０５のゲート電極とドレイン端子は、電流保持トランジスタ１４０４のソース・
ドレイン端子間を介して、接続されている。電流保持トランジスタ１４０４のゲート電極
は、信号線ＧＨに接続されている。カレントトランジスタ１４０５のドレイン端子と電流
線ＣＬは、電流入力トランジスタ１４０３のソース・ドレイン端子間を介して接続されて
いる。電流入力トランジスタ１４０３のゲート電極は信号線ＧＮに接続されている。また
、電流源トランジスタ１１２のドレイン端子は端子Ｂに接続されている。
【０１０８】
なお上記構成において、電流入力トランジスタ１４０３を、カレントトランジスタ１４
０５と端子Ａの間に配置しても良い。つまり、カレントトランジスタ１４０５のソース端
子が電流入力トランジスタ１４０３のソース・ドレイン端子間を介して端子Ａに接続され
、カレントトランジスタ１４０５のドレイン端子が電流線ＣＬに接続された構成であって
もよい。
【０１０９】
また、上記構成において、カレントトランジスタ１４０５及び電流源トランジスタ１１
２のゲート電極は、電流入力トランジスタ１４０３のソース・ドレイン端子間を介さず、
電流線ＣＬに接続されていても良い。つまり、電流保持トランジスタ１４０４のソース端
子及びドレイン端子の、カレントトランジスタ１４０５及び電流源トランジスタ１１２の
ゲート電極と接続されていない側が、電流線ＣＬに直接接続されている構成でも良い。そ
の場合、電流線ＣＬの電位を調整することにより、電流保持トランジスタ１４０４のソー
ス・ドレイン間電圧を小さくすることができる。その結果、電流保持トランジスタ１４０
４が非導通状態のときに、電流保持トランジスタ１４０４のもれ電流を小さくすることが
できる。
【０１１０】
これに限定されず、電流保持トランジスタ１４０４は、導通状態となった際に、カレン
トトランジスタ１４０５のゲート電極の電位を電流線ＣＬの電位と等しくするように接続
されていれば良い。つまり、画素の設定動作時には図６１（ａ）のようになり、発光時に
は図６１（ｂ）のようになっていればよい。つまり、そのように、配線やスイッチが接続
されていればよい。従って図６７のようになっていてもよい。なお、図６７において、図
４と同じ部分は同じ符号を用いて示し、説明は省略する。
【０１１１】
次に、図３（Ａ）におけるスイッチ部の構成例を、図１３に示す。なお、図１３におい
て、図３と同じ部分は同じ符号を用いて示す。図１３において、スイッチ部１０１は３つ
のトランジスタ（選択トランジスタ３０１、駆動トランジスタ３０２、消去トランジスタ
３０４）と、１つの容量素子（保持容量３０３）によって構成される。保持容量３０３は
、トランジスタのゲート容量などを利用することにより省略することも可能である。
【０１１２】
図１３では、駆動トランジスタ３０２をｐチャネル型とし、選択トランジスタ３０１及
び消去トランジスタ３０４をｎチャネル型とするが、この構成に限定されない。単なるス
イッチとして動作するので、選択トランジスタ３０１、駆動トランジスタ３０２、消去ト
ランジスタ３０４は、それぞれｎチャネル型でもｐチャネル型でもどちらでもかまわない
。
【０１１３】
なお、駆動トランジスタ３０２は、飽和領域で動作させてもよい。駆動トランジスタ３
０２を飽和領域で動作させることによって、駆動トランジスタ３０２と直列に接続された
電流源回路の電流源トランジスタ１１２の飽和領域特性を補うことが可能である。飽和領
域特性とは、ソース・ドレイン間電圧に対してドレイン電流が一定に保たれる特性を示す
ものである。また、飽和領域特性を補うとは、飽和領域で動作する電流源トランジスタ１
１２においても、ソース・ドレイン間電圧が増加するに従ってドレイン電流が増加するの
を抑制することを意味する。なお、上記効果を得るためには、駆動トランジスタ３０２と
電流源トランジスタ１１２は同極性でなくてはならない。
【０１１４】
上記の飽和領域特性を補う効果について以下に説明する。例えば、電流源トランジスタ
１１２のソース・ドレイン間電圧が増加する場合に注目する。電流源トランジスタ１１２
と駆動トランジスタ３０２は直列に接続されている。よって、電流源トランジスタ１１２
のソース・ドレイン間電圧の変化によって、駆動トランジスタ３０２のソース端子の電位
が変化する。こうして駆動トランジスタ３０２のソース・ゲート間電圧の絶対値は小さく
なると、駆動トランジスタ３０２のＩ−Ｖ曲線が変化する。この変化の方向はドレイン電
流が減少する方向である。こうして、駆動トランジスタ３０２に直列に接続された電流源
トランジスタ１１２のドレイン電流は減少する。同様に、電流源トランジスタ１１２のソ
ース・ドレイン間電圧が減少すると、電流源トランジスタ１１２のドレイン電流は増加す
る。このようにして、電流源トランジスタ１１２を流れる電流を一定に保つような効果が
得られる。
【０１１５】
図１３のスイッチ部の構成について以下に詳細に説明する。選択トランジスタ３０１の
ゲート電極は、走査線Ｇに接続されている。選択トランジスタ３０１のソース端子とドレ
イン端子は、一方は映像信号入力線Ｓに接続され、他方は、駆動トランジスタ３０２のゲ
ート電極に接続されている。駆動トランジスタ３０２のソース端子とドレイン端子は、一
方は端子Ｄに接続され、他方は端子Ｃに接続される。保持容量３０３の一方の電極は駆動
トランジスタ３０２のゲート電極に接続され、他方の電極は配線Ｗｃｏに接続されている
。消去トランジスタ３０４のソース端子とドレイン端子は、一方は駆動トランジスタ３０
２のゲート電極と接続され、他方は、配線Ｗｃｏに接続されている。消去トランジスタ３
０４のゲート電極は消去用信号線ＲＧに接続されている。
【０１１６】
なお、消去トランジスタ３０４のソース端子及びドレイン端子は、上記接続構造に限定
されない。消去トランジスタ３０４を導通状態とすることによって、保持容量３０３に保
持された電荷が放出されるように様々な接続構造とすることが可能である。つまり、消去
トランジスタ３０４を導通又は非導通させることによって、駆動トランジスタ３０２が非
導通となるような接続構造とすればよい。
【０１１７】
次いで、図１３に示したスイッチ部と、消去トランジスタ３０４の配置の仕方が異なる
構成について説明する。図４３（Ａ）にスイッチ部の一例を示す。図１３と同じ部分は同
じ符号を用いて示し説明は省略する。図４３（Ａ）では、消去トランジスタ３０４を発光
素子に入力される電流の経路上に直列に配置し、消去トランジスタ３０４を非導通状態と
することによって、強制的に発光素子に電流が流れないようにする。この条件を満たせば
、消去トランジスタ３０４はどこに配置してもよい。消去トランジスタ３０４を非導通状
態とすることによって、画素を一律に非発光の状態とすることができる。
【０１１８】
図４３（Ｂ）に、スイッチ部１０１の別の構成を示す。図４３（Ｂ）では、消去トラン
ジスタ３０４のソース・ドレイン端子間を介して駆動トランジスタ３０２のゲート電極に
所定の電圧を印加し、駆動トランジスタ３０２を非導通状態とする手法である。図１３と
同じ部分は同じ符号を用いて示し説明は省略する。この例では、消去トランジスタ３０４
のソース端子又はドレイン端子の一方は、駆動トランジスタ３０２のゲート電極に接続さ
れ、他方は配線Ｗｒに接続される。配線Ｗｒの電位を適当に定める。こうして、配線Ｗｒ
の電位が消去トランジスタ３０４を介して駆動トランジスタ３０２のゲート電極に入力さ
れた際に、駆動トランジスタ３０２が非導通状態となるようにする。
【０１１９】
また、図４３（Ｂ）に示す構成において、消去トランジスタ３０４の代わりにダイオー
ドを用いても良い。この構成を図４３（Ｃ）に示す。配線Ｗｒの電位を変化させ、ダイオ
ード３０４０の２つの電極のうち、駆動トランジスタ３０２のゲート電極に接続されてい
ない側の電極の電位を変化させる。これによって、駆動トランジスタ３０２のゲート電圧
を変化させ、駆動トランジスタ３０２を非導通状態とすることができる。なお、ダイオー
ド３０４０はダイオード接続（ゲート電極とドレイン端子を電気的に接続）したトランジ
スタを用いてもよい。この際、トランジスタとしてはｎチャネル型でもｐチャネル型でも
よい。なお、配線Ｗｒの代わりに走査線Ｇを用いてもよい。図４３（Ｄ）に、図４３（Ｂ
）において配線Ｗｒの代わりに走査線Ｇを用いた構成を示す。この場合、走査線Ｇの電位
を考慮して、選択トランジスタ３０１の極性に注意する必要がある。
【０１２０】
上述した構成の電流源回路及びスイッチ部を有する画素について、以下に説明する。図
４に示す構成の電流源回路１０２と、図１３に示す構成のスイッチ部１０１を有する画素
１００が、ｘ列ｙ行のマトリクス状に配置した画素領域の一部の回路図を図５に示す。図
５において、第ｉ（ｉは自然数）行ｊ（ｊは自然数）列、第（ｉ＋１）行ｊ列、第ｉ行（
ｊ＋１）列、第（ｉ＋１）行（ｊ＋１）列の４画素のみを代表的に示す。図４及び図１３
と同じ部分は同じ符号を用いて示し説明は省略する。
【０１２１】
なお、第ｉ行、第（ｉ＋１）行それぞれの画素行に対応する、走査線ＧをＧｉ、Ｇｉ＋
１、消去用信号線をＲＧｉ、ＲＧｉ＋１、信号線ＧＮをＧＮｉ、ＧＮｉ＋１、信号線ＧＨ
をＧＨｉ、ＧＨｉ＋１と表記する。また、第ｊ列、第（ｊ＋１）列それぞれの画素列に対
応する、映像信号入力線ＳをＳｊ、Ｓｊ＋１、電源線ＷをＷｊ、Ｗｊ＋１、電流線ＣＬを
ＣＬｊ、ＣＬｊ＋１、配線ＷＣＯをＷＣＯｊ、ＷＣＯｊ＋１と表記する。電流線ＣＬｊ、
ＣＬｊ＋１には、画素領域外部より基準電流が入力される。
【０１２２】
図５では、発光素子の画素電極を陽極とし、対向電極を陰極とした構成について示した
。つまり、電流源回路の端子Ａが電源線Ｗに接続され、端子Ｂがスイッチ部１０１の端子
Ｃに接続された構成を示した。しかし、発光素子１０６の画素電極を陰極とし、対向電極
を陽極とした構成の表示装置にも、本実施の形態１の構成を容易に応用することもできる
。以下に図５に示した構成の画素において、発光素子１０６の画素電極を陰極とし、対向
電極を陽極に変えた例を図２６に示す。このように、トランジスタの極性を変えるだけで
容易に対応できる。図２６において、図５と同じ部分は同じ符号を用いて示し、説明は省
略する。図５では電流源トランジスタ１１２及びカレントトランジスタ１４０５はｐチャ
ネル型とした。一方図２６では、電流源トランジスタ１１２及びカレントトランジスタ１
４０５をｎチャネル型とする。こうして、流れる電流の方向を逆の方向にすることができ
る。このとき、図２６における端子Ａはスイッチ部の端子Ｃと接続され、端子Ｂは電源線
Ｗと接続される。
【０１２３】
また図５及び図２６において、駆動トランジスタ３０２は、単なるスイッチとして機能
するので、ｎチャネル型でもｐチャネル型でもどちらでも良い。ただし、駆動トランジス
タ３０２は、そのソース端子の電位が固定された状態で動作するのが好ましい。そのため
、図５に示すような発光素子１０６の画素電極を陽極とし、対向電極を陰極とした構成で
は、駆動トランジスタ３０２はｐチャネル型のほうが好ましい。一方、図２６に示すよう
な、発光素子１０６の画素電極を陰極とし、対向電極を陽極とした構成では、駆動トラン
ジスタ３０２はｎチャネル型のほうが好ましい。
【０１２４】
なお、図５において、各画素の配線ＷＣＯと電源線Ｗとは、同じ電位に保たれていても
よいため、共用することができる。また、異なる画素間の配線ＷＣＯ同士、電源線Ｗ同士
、配線ＷＣＯと電源線Ｗも共用することができる。ＧＮｉとＧＨｉも共用できる。更に、
配線ＷＣＯや配線Ｗｊのかわりに他の画素行の走査線を使用してもよい。これは、映像信
号の書き込みを行っていない間、走査線の電位が一定の電位に保たれることを利用してい
る。例えば電源線のかわりに、１つ前の画素行の走査線Ｇｉ−１を用いてもいい。ただし
この場合、走査線Ｇの電位を考慮して、選択トランジスタ３０１の極性に注意する必要が
ある。
【０１２５】
図５では図示しないが、走査線Ｇに信号を入力する駆動回路（以下、走査線駆動回路と
表記する）や、消去用信号線ＲＧに信号を入力する駆動回路（以下、消去用信号線駆動回
路と表記する）及び映像信号入力線Ｓに信号を入力する駆動回路（以下、信号線駆動回路
と表記する）は、公知の構成の電圧信号出力型の駆動回路を自由に用いることができる。
また、その他の信号線に信号を入力する駆動回路も、公知の構成の電圧信号出力型の駆動
回路を自由に用いることができる。
【０１２６】
電流線ＣＬｊ、ＣＬｊ＋１に流れる基準電流を定めるために基準電流出力回路の外部に
設けられた電流源回路（以下、参照電流源回路と表記する）を模式的に４０４で示す。１
つの参照電流源回路４０４からの出力電流を用いて、複数の電流線ＣＬに流れる基準電流
を定めることができる。こうして、各電流線を流れる電流のばらつきを抑え、全ての電流
線を流れる電流を正確に基準電流に定めることができる。
【０１２７】
なお本実施の形態１では、全ての電流線ＣＬ１〜ＣＬｘに流れる基準電流を定める参照
電流源回路４０４を共有した例について示す。参照電流源回路４０４によって定められる
電流を用いて、各電流線ＣＬ１〜ＣＬｘに基準電流を出力するための回路を、基準電流出
力回路と呼び図５中４０５で示す。
【０１２８】
基準電流出力回路４０５の構成を図８に示す。基準電流出力回路４０５は、シフトレジ
スタ等のパルス出力回路７１１を有する。パルス出力回路７１１からのサンプリングパル
スが入力されるサンプリングパルス線７１０＿１〜７１０＿ｘが、各電流線ＣＬ１〜ＣＬ
ｘに対応して設けられている。ある１本の電流線ＣＬｊに対応する構成を代表的に説明す
る。サンプリングパルス線７１０＿ｊの信号が入力される電流入力スイッチ７０１＿ｊ及
び電流源回路７００＿ｊと、サンプリングパルス線７１０＿ｊの信号がインバータ７０３
＿ｊを介して入力される電流出力スイッチ７０２＿ｊとが設けられている。電流源回路７
００＿ｊは、電流入力スイッチ７０１＿ｊを介して参照電流源回路４０４と接続され、電
流出力スイッチ７０２＿ｊを介して電流線ＣＬｊと接続される。
【０１２９】
図８に示す基準電流出力回路４０５において、電流源回路７００＿１〜７００＿ｘの構
成を具体的に示した例を図９に示す。図９において、図８と同じ部分は、同じ符号を用い
て示す。なお、基準電流出力回路４０５は、図８、図９のような回路には限定されない。
電流源回路７００＿１〜７００＿ｘはそれぞれ、電流源トランジスタ７２０＿ｊと、電流
源容量７２１＿ｊと、電流保持スイッチ７２２＿ｊとを有する。電流源トランジスタ７２
０＿ｊは、ゲート電極とソース端子が、電流源容量７２１＿ｊを介して接続され、ゲート
電極とドレイン端子が、電流入力スイッチ７２２＿ｊを介して接続される。電流入力スイ
ッチ７２２＿ｊには、サンプリングパルス線７１０＿ｊの信号が入力されている。電流源
トランジスタ７２０＿ｊのソース端子は、一定の電位に保たれ、ドレイン端子は、電流入
力スイッチ７０１＿ｊを介して参照電流源回路４０４と接続され、また、電流出力スイッ
チ７０２＿ｊを介して電流線ＣＬｊと接続されている。
【０１３０】
なお、電流源容量７２１＿ｊの電極の一方が、一定の電位に保たれ、他方が、電流入力
スイッチ７０１＿ｊを介して参照電流源回路４０４と接続され、且つ、電流出力スイッチ
７０２＿ｊを介して電流線ＣＬｊと接続された構成であってもよい。
【０１３１】
なお図９において電流源トランジスタ７２０＿ｊは、ｎチャネル型でもｐチャネル型で
もどちらでもかまわない。ただし、電流源トランジスタ７２０＿ｊは、ソース端子の電位
が固定された状態で動作することが望ましい。そのため、電流源回路７００＿ｊから電流
線ＣＬｊの方へ電流が流れていく場合は電流源トランジスタ７２０＿ｊはｐチャネル型で
あることが望ましく、電流線ＣＬｊから電流源回路７００＿ｊの方へ電流が流れていく場
合は電流源トランジスタ７２０＿ｊはｎチャネル型が望ましい。どちらの極性であっても
、ゲート・ソース間に電流源容量７２１＿ｊが接続されていることが望ましい。
【０１３２】
図９に示した構成の基準電流出力回路４０５の駆動方法について、図１０及び図１１を
用いて説明する。図１０は、基準電流出力回路４０５の駆動方法を示すタイミングチャー
トである。また、図１１は、基準電流出力回路４０５の駆動方法を模式的に示した図であ
る。なお、図１０において、期間ＴＤ１、期間ＴＤ２それぞれの際の基準電流出力回路４
０５における各スイッチ（電流入力スイッチ、電流出力スイッチ、電流保持スイッチ）の
オン・オフの状態を模式的に示した図が、図１１（ＴＤ１）、図１１（ＴＤ２）である。
【０１３３】
期間ＴＤ１において、パルス出力回路７１１よりサンプリングパルス線７１０＿１にパ
ルスが出力されると、電流入力スイッチ７０１＿１及び電流保持スイッチ７２２＿１がオ
ンの状態となる。一方電流出力スイッチ７０２＿１は、サンプリングパルス線７１０＿１
に出力された信号がインバータ７０３＿１を介して入力され、オフの状態である。このと
き、参照電流源回路４０４によって定められる基準電流が、電流入力スイッチ７０１＿１
及び電流保持スイッチ７２２＿１を介して、電流源回路７００＿１の電流源容量７２１＿
１に入力される。なお、このとき他のサンプリングパルス線７１０＿２〜７１０＿ｘには
、パルスが出力されていない。そのため、電流入力スイッチ７０１＿２〜７０１＿ｘ及び
電流保持スイッチ７２２＿２〜７２２＿ｘは、オフの状態である。一方、電流出力スイッ
チ７０２＿２〜７０２＿ｘは、オンの状態である。時間が経過すると、電流源回路７００
＿１の電流源容量７２１＿１に電荷が保持され、電流源トランジスタ７２０＿１に、基準
電流が流れる。図１０において、電流源容量７２１＿１の両電極間に保持された電荷量す
なわち電圧の変化を示す。
【０１３４】
この後期間ＴＤ２が始まる。期間ＴＤ２においてパルス出力回路７１１の出力が変化し
、サンプリングパルス線７１０＿１にパルスが出力されなくなる。すると、電流保持スイ
ッチ７２２＿１及び電流入力スイッチ７０１＿１がオフの状態となり、電流出力スイッチ
７０２＿１がオンの状態となる。こうして、電流線ＣＬ１には、電流源トランジスタ７２
０＿１のドレイン電流が流れる状態となる。ここで電流源トランジスタ７２０＿１のドレ
イン電流は、電流源容量７２１＿１に保持された電荷によって定まる。よって、電流線Ｃ
Ｌ１を流れる電流が基準電流に定まる。図１０において、ＣＬ１〜ＣＬｘは、電流線ＣＬ
１〜ＣＬｘを流れる電流を示す。同時にサンプリングパルス線７１０＿２にパルスが出力
される。こうして、電流源回路７００＿２を流れる電流を基準電流に定める動作が開始さ
れる。同様の動作を、全てのサンプリングパルス線７１０＿１〜７１０＿ｘに対応する電
流源回路７００＿１〜７００＿ｘについて行い、期間ＴＤ１〜ＴＤｘが終了する。こうし
て、全ての電流線ＣＬ１〜ＣＬｘに流れる電流が、参照電流源回路４０４によって決めら
れた基準電流に定まる。
【０１３５】
ここで、基準電流出力回路４０５に電流を入力し、各電流線ＣＬ１〜ＣＬｘに流れる電
流を基準電流に定める動作を、基準電流出力回路４０５の設定動作と呼ぶ。
【０１３６】
図９に示した構成の基準電流出力回路４０５の構成では、一旦、参照電流源回路４０４
によって、各電流源回路７００＿１〜７００＿ｘに流れる電流を基準電流に定めた後は、
電流源容量７２１＿１〜７２１＿ｘに保持された電荷が放電しない限り、各電流源回路７
００＿１〜７００＿ｘを流れる電流は基準電流に保たれる。なお、図９のように電流源回
路７００の部分が同一トランジスタ方式の電流源回路の場合は、参照電流源回路４０４か
ら入力した電流と、各電流線ＣＬを流れる基準電流とでは、大きさが同じになる。もし、
電流源回路７００の部分がカレントミラー方式やマルチゲート方式の電流源の場合は、参
照電流源回路４０４から入力した電流とＣＬに流れる基準電流とでは、大きさを異ならせ
ることができる。
【０１３７】
なお図１０では、電流源容量７２１＿１〜７２１＿ｘに電荷が保持されていない状態か
ら、期間ＴＤ１〜ＴＤｘの動作を一回行うことで、電流源トランジスタ７２０＿１〜７２
０＿ｘが基準電流を流すように、所定の電荷を各電流源容量７２１＿１〜７２１＿ｘに保
持させる手法を示した。この手法を一括書き込み方式と呼ぶ。
【０１３８】
一方、電流源容量７２１＿１〜７２１＿ｘに電荷が保持されていない状態から、期間Ｔ
Ｄ１〜ＴＤｘまでの動作を繰り返し、少しずつ電流源容量７２１＿１〜７２１＿ｘに電荷
を保持させる手法を用いることもできる。この手法では、期間ＴＤ１〜ＴＤｘまでの動作
を複数回繰り返した後、初めて、電流源トランジスタ７２０＿１〜７２０＿ｘが基準電流
を流すような、所定の電荷が各電流源容量７２１＿１〜７２１＿ｘに保持される。この手
法を、分割書き込み方式と呼ぶ。分割書き込み方式において、各電流源容量７２１＿１〜
７２１＿ｘが電荷を保持しない状態から、所定の電荷を保持するまでに、期間ＴＤ１〜Ｔ
Ｄｘを繰り返した回数を分割書き込み方式の分割数と呼ぶ。
【０１３９】
分割書き込み方式の場合の期間ＴＤ１〜ＴＤｘにそれぞれにおける各スイッチ（電流入
力スイッチ７０１＿１〜７０１＿ｘ、電流出力スイッチ７０２＿１〜７０２＿ｘ、電流保
持スイッチ７２２＿１〜７２２＿ｘ）の状態は、一括書き込み方式と同様である。しかし
、分割書き込み方式において期間ＴＤ１〜ＴＤｘを１回行うのに要する時間は、一括書き
込み方式において期間ＴＤ１〜ＴＤｘを行うのに要する時間と比較して短くすることがで
きる。
【０１４０】
なお、基準電流出力回路４０５の設定動作は、１フレーム期間に何回行っても良いし、
数フレーム期間で１回行っても良い。また、１水平期間で何回行っても良いし、何回か水
平期間を繰り返す毎に１回行っても良い。基準電流出力回路４０５の設定動作を繰り返す
間隔は、基準電流出力回路の有する電流源容量７２１が電荷を保持し続ける能力に応じて
、任意に選択することができる。
【０１４１】
なお、基準電流出力回路４０５に入力する基準電流は、図５、図８、図９、図１１に示
したように参照電流源回路４０４より入力する構成であってもよいし、参照電流源回路４
０４は設けず、表示装置の外部より入力した一定電流を電流として入力する構成であって
も良い。あるいは、図８や図９の電流源回路７００に相当する電流源回路が表示装置の外
部にあってもよい。また、トランジスタのばらつきが小さい場合は基準電流出力回路４０
５における各々の電流源回路７００に、必ずしも設定動作を行わなくてもよい。しかし設
定動作を行う方が、より正確な電流値を出力できる。
【０１４２】
次に、図５に示した構成の画素を有する表示装置の駆動方法を説明する。ここで、実施
の形態１の構成の画素では、画像表示動作（スイッチ部の駆動動作）と、電流源回路の設
定動作（画素の設定動作）は、非同期で行うことができる。つまり、スイッチ部の端子Ｃ
と端子Ｄが導通・非導通状態に関わらず、画素の設定動作を行うことができる。
【０１４３】
また、基準電流出力回路４０５の設定動作も、画像表示動作や画素の設定動作と同期し
て行うこともできるし、非同期に行うこともできる。ただし、図９に示したような基準電
流出力回路４０５の設定動作は、画素の設定動作を行っていない期間に行うのが望ましい
。なぜなら、図９のような基準電流出力回路４０５では、その設定動作を行っている最中
には、電流線ＣＬｊに電流を出力できないからである。そこで、各電流線ＣＬｊに、電流
源回路７００を２個配置すれば、一方の電流源回路が電流線ＣＬｊに電流を出力する間に
、他方の電流源回路に対して基準電流出力回路４０５の設定動作を行うことができる。そ
のため、基準電流出力回路４０５の設定動作と画素の設定動作を同時に行うことができる
。あるいは、電流源回路７００＿ｊの回路として、カレントミラー回路を用いて、カレン
トミラー回路を構成する１対のトランジスタの一方のトランジスタが電流線ＣＬｊに電流
を出力し、もう１方のトランジスタが基準電流出力回路４０５の設定動作を行えば、基準
電流出力回路４０５の設定動作と画素の設定動作を同時に行うことができる。
【０１４４】
簡単のため、まず画素の設定動作と画像表示動作とを別々に説明する。画像表示動作に
ついて、図７（Ａ）、図７（Ｂ）のタイミングチャート及び図５の回路図を用いて説明す
る。走査線Ｇｉに信号が入力され、第ｉ行の画素の選択トランジスタ３０１が導通状態と
なる。このとき、映像信号入力線Ｓ１〜Ｓｘに映像信号が入力され、第ｉ行の各画素に映
像信号が入力される。そして、映像信号によって駆動トランジスタ３０２が導通状態とな
った画素において、端子Ｄと端子Ｃが導通状態となる。駆動トランジスタ３０２のゲート
電圧は保持容量３０３によって保持される。つまり、駆動トランジスタ３０２の導通又は
非導通状態は、保持される。なおこのとき、消去トランジスタ３０４は非導通状態である
とする。こうして、スイッチ部１０１の端子Ｄと端子Ｃが導通状態となった画素において
は、電流源回路１０２より画素基準電流が発光素子１０６に入力されて発光する。
【０１４５】
このように、各画素の発光状態及び非発光状態を選択し、デジタル方式によって階調を
表現する。多階調化の方法としては、一定期間毎に、各画素の発光又は非発光状態が選択
される期間を複数設定し、発光状態が選択された時間の累計を制御する階調方式（時間階
調方式）や、１画素を複数のサブ画素に分割し、発光状態が選択されたサブ画素の面積の
累計を制御する階調方式（面積階調方式）等を用いることができる。また、公知の手法を
用いることができる。ここでは、多階調化の手法としては時間階調方式を用いる。
【０１４６】
ここで、消去トランジスタ３０４を導通状態とすることによって、保持容量３０３の両
電極の電位を同じにし、保持容量３０３に保持された電荷を放電することによって、駆動
トランジスタ３０２を一律に非導通状態とすることができる。これにより、ある行の画素
に映像信号を入力している最中であっても、別の行の画素を非発光状態とすることができ
る。こうして、各行の画素の発光期間を任意に設定することができる。
【０１４７】
図１３で示した構成のスイッチ部は、第１のスイッチとして、選択トランジスタ３０１
、第２のスイッチとして、駆動トランジスタ３０２を有し、その他に消去トランジスタ３
０４を有する構成である。消去トランジスタ３０４のゲート電極は、映像信号入力線Ｓ及
び走査線Ｇとは別の配線、消去用信号線ＲＧに接続されている。こうして、消去トランジ
スタ３０４は、選択トランジスタ３０１や駆動トランジスタ３０２に入力される信号に関
わらず、消去用信号線ＲＧに入力された信号によって、導通・非導通状態が切り替えられ
る。こうして、第１のスイッチや第２のスイッチの状態に関わらず、スイッチ部の端子Ｃ
と端子Ｄ間を非導通状態とすることができる。以上が、基本的な画像表示動作である。
【０１４８】
次に、図７において、階調表示方法の具体例として、時分割階調方式を用い場合の駆動
方法の一例を示す。１画面分の画像を表示する期間を、１フレーム期間Ｆと呼ぶ。１フレ
ーム期間Ｆを複数のサブフレーム期間ＳＦ１〜ＳＦｎ（ｎは自然数）に分割する。
【０１４９】
第１のサブフレーム期間ＳＦ１において、第１行の走査線Ｇ１が選択され、走査線Ｇ１
にゲート電極が接続された選択トランジスタ３０１は導通状態となる。ここで、映像信号
入力線Ｓ１〜Ｓｘに一斉に信号が入力される。なおこのとき、消去トランジスタ３０４は
、非導通状態である。映像信号入力線Ｓ１〜Ｓｘに入力された信号によって、第１行の各
画素の駆動トランジスタ３０２の導通・非導通状態が選択され、各画素の発光・非発光状
態が選択される。また、駆動トランジスタ３０２のゲート電圧は、保持容量３０３によっ
て保持される。ここで、各画素の駆動トランジスタ３０２の導通・非導通状態を選択する
ために、映像信号を入力することを、画素に映像信号を書き込むと表現することにする。
【０１５０】
導通状態を選択された駆動トランジスタ３０２は、映像信号入力線Ｓより新たな信号が
駆動トランジスタ３０２のゲート電極に入力されるまで、又は、保持容量３０３の電荷が
消去トランジスタ３０４によって放電されるまで、導通状態が保たれる。発光状態が選択
された画素において、スイッチ部の端子Ｃと端子Ｄの間が導通状態となり、電流源回路１
０２から画素基準電流が発光素子１０６に入力されて発光する。そして、第１行の画素の
映像信号の書き込み動作が終了すると直ちに、第２行の画素に対応する走査線Ｇ２が選択
され、第２行に対応する画素への映像信号の書き込み動作が開始される。画素への映像信
号の書き込み動作は、第１行の画素の動作と同様である。
【０１５１】
上記動作を全ての走査線Ｇ１〜Ｇｙに対して繰り返し、全ての画素に映像信号を書き込
む。全ての画素に映像信号を書き込む期間を、アドレス期間Ｔａと表記する。第ｍ（ｍは
、ｎ以下の自然数）のサブフレーム期間ＳＦｍに対応するアドレス期間をＴａｍと表記す
る。
【０１５２】
映像信号が書き込まれた画素行は、それぞれ発光又は非発光状態が選択されている。書
き込まれた映像信号に応じて、各画素行の各画素が発光又は非発光する期間を表示期間Ｔ
ｓと表記する。同じサブフレーム期間において、各画素行の表示期間Ｔｓは、タイミング
は異なるがその長さは全て同じである。第ｍ（ｍは、ｎ以下の自然数）のサブフレーム期
間ＳＦｍに対応する表示期間をＴｓｍと表記する。
【０１５３】
第１のサブフレーム期間ＳＦ１から第ｋ−１（ｋはｎより小さな自然数）のサブフレー
ム期間ＳＦｋ−１までは、表示期間Ｔｓはアドレス期間Ｔａより長く設定されているとす
る。所定の長さの表示期間Ｔｓ１の後、第２のサブフレーム期間ＳＦ２が開始される。こ
の後、第２のサブフレーム期間ＳＦ２から第ｋ−１のサブフレーム期間ＳＦｋ−１につい
ても、第１のサブフレーム期間ＳＦ１と同様に、表示装置は動作する。ここで、複数の画
素行に同時に映像信号の書き込みを行うことができないため、各サブフレーム期間のアド
レス期間Ｔａはそれぞれ重複しないように設定されている。
【０１５４】
一方、第ｋのサブフレーム期間ＳＦｋから第ｎのサブフレーム期間ＳＦｎは、表示期間
Ｔｓがアドレス期間Ｔａより短く設定されているとする。以下に、第ｋのサブフレーム期
間ＳＦｋから第ｎのサブフレーム期間ＳＦｎまでの表示装置の駆動方法を詳細に説明する
。
【０１５５】
第ｋのサブフレーム期間ＳＦｋにおいて、第１行の走査線Ｇ１が選択され、走査線Ｇ１
にゲート電極が接続された選択トランジスタ３０１は導通状態となる。ここで、映像信号
入力線Ｓ１〜Ｓｘに一斉に信号が入力される。なおこのとき、消去トランジスタ３０４は
、非導通状態である。映像信号入力線Ｓ１〜Ｓｘに入力された信号によって、第１行の各
画素の駆動トランジスタ３０２の導通・非導通状態が選択され、各画素の発光・非発光状
態が選択される。また、駆動トランジスタ３０２のゲート電圧は、保持容量３０３によっ
て保持される。発光状態が選択された画素において、スイッチ部の端子Ｃと端子Ｄの間が
導通状態となり、電流源回路１０２から画素基準電流が発光素子１０６に入力され、発光
素子１０６は発光する。第１行の画素の映像信号の書き込み動作が終了すると、次に第２
行の画素に対応する走査線Ｇ２が選択され、第２行に対応する画素への映像信号の書き込
み動作が開始される。画素への映像信号の書き込み動作は、第１行の画素の動作と同様で
ある。
【０１５６】
上記動作を全ての走査線Ｇ１〜Ｇｙに対して繰り返し、全ての画素に映像信号を書き込
みアドレス期間Ｔａｋが終了する。
【０１５７】
上記の第ｋのサブフレーム期間ＳＦｋのアドレス期間Ｔａｋの動作方法は、第１のサブ
フレーム期間ＳＦ１から第ｋ−１のサブフレーム期間ＳＦｋ−１と同様である。異なるの
は、アドレス期間Ｔａｋが終了する前に、消去用信号線ＲＧ１などの選択が始まることで
ある。つまり、走査線Ｇ１が選択されてから、所定の期間（この期間が表示期間Ｔｓｋに
相当する）が経過したあと、消去用信号線ＲＧ１が選択される。そして、消去用信号線Ｒ
Ｇ１〜ＲＧｙを順に選択し、各画素行の消去トランジスタ３０４を順に導通状態とし、各
行の画素を順に一律に非発光状態とする。全ての画素の消去トランジスタ３０４を導通状
態とする期間を、リセット期間Ｔｒと表記する。特に、第ｐ（ｐは、ｋ以上ｎ以下の自然
数）のサブフレーム期間ＳＦｐに対応するリセット期間をＴｒｐと表記する。
【０１５８】
このように、ある行の画素に映像信号を入力している最中にも、別の行の画素を一律に
非発光状態とすることができる。こうして、表示期間Ｔｓの長さを自由に制御することが
できる。ここで、アドレス期間Ｔａｐの長さとリセット期間Ｔｒｐの長さは同じであると
する。つまり、映像信号を書き込む際に各行を順に選択する速さと、各行の画素を順に一
律に非発光状態とする際の速さとは、同じであるとする。よって、同一のサブフレーム期
間において、各行の画素の表示期間Ｔｓが始まるタイミングは異なるが、その長さはすべ
て同じである。
【０１５９】
各画素行の消去トランジスタ３０４を導通状態とすることによって、各画素行の画素を
一律に非発光状態とする期間を、非表示期間Ｔｕｓと表記する。同じサブフレーム期間に
おいて、各画素行の非表示期間Ｔｕｓは、タイミングは異なるがその長さは全て同じであ
る。特に、第ｐのサブフレーム期間ＳＦｐに対応する非表示期間をＴｕｓｐと表記する。
【０１６０】
所定の長さの非表示期間Ｔｕｓｋの後、第ｋ＋１のサブフレーム期間ＳＦｋ＋１が開始
される。第ｋ＋１のサブフレーム期間ＳＦｋ＋１から第ｎのサブフレーム期間ＳＦｎにつ
いて、第ｋのサブフレーム期間ＳＦｋと同様の動作を繰り返し、１フレーム期間Ｆ１が終
了する。ここで、サブフレーム期間ＳＦ１〜ＳＦｎの、アドレス期間Ｔａ１〜Ｔａｎの長
さは全て同じである。以上のように表示装置を動作させ、各サブフレーム期間ＳＦ１〜Ｓ
Ｆｎの表示期間Ｔｓ１〜Ｔｓｎの長さを適当に定めることによって、階調を表現する。
【０１６１】
次に、表示期間Ｔｓ１〜Ｔｓｎの長さの設定の仕方について述べる。例えば、Ｔｓ１：
Ｔｓ２：・・・・：Ｔｓｎ−１：Ｔｓｎを２０：２−１：・・・・２−（ｎ−２）：２−
（ｎ−１）と設定すれば２ｎ階調を表現することができる。具体例としてｎ＝３の場合に
、３ビットの映像信号を入力し、８階調を表現する例を挙げる。１フレーム期間Ｆは、３
つのサブフレーム期間ＳＦ１〜ＳＦ３に分割される。それぞれのサブフレーム期間の表示
期間の長さの比Ｔｓ１：Ｔｓ２：Ｔｓ３は、４：２：１とすることができる。ある画素に
おいて、全てのサブフレーム期間ＳＦ１〜ＳＦ３で発光状態が選択された場合の輝度を１
００％とすると、第１のサブフレーム期間ＳＦ１のみ発光状態が選択された場合は、約５
７％の輝度が表現される。一方、第２のサブフレーム期間ＳＦ２のみ発光状態が選択され
た場合は、約２９％の輝度が表現される。
【０１６２】
なお上記の様に、１フレーム期間中に、映像信号のビット数と同じ数のサブフレーム期
間を設け、階調を表現する手法に限定されない。例えば、１フレーム期間中に、映像信号
のあるビットに対応する信号によって、発光状態・非発光状態が選択されるサブフレーム
期間を複数設けることができる。つまり、１ビットに対応する表示期間を複数のサブフレ
ーム期間の表示期間の累計で表現する。
【０１６３】
特に、映像信号の上位ビットに対応する表示期間を、複数のサブフレーム期間がそれぞ
れ有する表示期間の累計で表現し、それらのサブフレーム期間を不連続に出現させること
によって、擬似輪郭の発生を抑制することができる。なお、各サブフレーム期間の表示期
間Ｔｓの長さの設定の仕方は、上記に限定されず公知のあらゆる手法を用いることができ
る。
【０１６４】
図７では、第１のサブフレーム期間ＳＦ１から第ｎのサブフレーム期間ＳＦｎが順に出
現する構成としたが、これに限定されない。各サブフレーム期間の出現する順は任意に定
めることができる。また、時分割階調方式のみならず、面積階調方式によって、また、時
分割階調方式と面積階調方式との組み合わせによって、階調を表現することもできる。
【０１６５】
本実施の形態１では、表示期間Ｔｓをアドレス期間Ｔａより短く設定するサブフレーム
期間においてのみ、リセット期間Ｔｒ及び非表示期間Ｔｕｓを設ける駆動方法を示したが
これ限定されない。表示期間Ｔｓをアドレス期間Ｔａより長く設定するサブフレーム期間
においても、リセット期間Ｔｒ及び非表示期間Ｔｕｓを設ける駆動方法とすることもでき
る。
【０１６６】
また、図１３では、消去トランジスタ３０４を導通状態とすることによって保持容量３
０３の電荷を放電する構成を示したが、これに限定されない。消去トランジスタ３０４を
導通状態することによって保持容量３０３の駆動トランジスタ３０２のゲート電極と接続
された側の電位を、上げるか又は下げるかして、駆動トランジスタ３０２が非導通状態と
なる構成であれば良い。つまり、消去トランジスタ３０４を介して、駆動トランジスタ３
０２のゲート電極を、駆動トランジスタ３０２が非導通状態となるような電位の信号が入
力される配線と接続した構成であってもよい。
【０１６７】
また、上述のような消去トランジスタ３０４を導通状態とすることによって、保持容量
３０３の駆動トランジスタ３０２のゲート電極と接続された側の電位を変化させるタイプ
の構成ではなく、消去トランジスタ３０４を駆動トランジスタ３０２と直列に接続し、消
去トランジスタ３０４を非導通状態とすることによってスイッチ部１０１の端子Ｃと端子
Ｄ間を非導通状態とし、非表示期間とする構成であってもよい。
【０１６８】
その他、図４３を用いて説明したスイッチ部をオフする手法を自由に用い、画素を一律
に非発光の状態とするリセット期間及び非表示期間を設けることができる。
【０１６９】
なお、消去トランジスタを設けずに、画素を一律に非発光の状態とするリセット期間及
び非表示期間を設ける手法を用いてもよい。
【０１７０】
その第１の手法は、保持容量の駆動トランジスタのゲート電極と接続されていない側の
電極の電位を変化させることによって、駆動トランジスタを非導通状態とする手法である
。この構成を図４９に示す。保持容量３０３の駆動トランジスタ３０２のゲート電極と接
続されていない側の電極は、配線Ｗｃｏに接続されている。配線Ｗｃｏの信号を変化させ
、保持容量３０３の一方の電極の電位を変化させる。すると保持容量３０３に保持された
電荷は保存されるため、保持容量３０３の他方の電極の電位も変化する。こうして、駆動
トランジスタ３０２のゲート電極の電位を変化させて、駆動トランジスタ３０２を非導通
状態とすることが出来る。
【０１７１】
第２の手法は、１本の走査線が選択される期間を前半と後半に分割する。前半（ゲート
選択期間前半と表記）には、映像信号を入力し、後半（ゲート選択期間後半と表記）には
、消去信号を入力することを特徴とする。ここで、消去信号とは、駆動トランジスタのゲ
ート電極に入力された際に、駆動トランジスタを非導通状態とするような信号であるとす
る。こうして、書き込み期間より短い表示期間を設定することが可能となる。この手法の
詳細において、表示装置全体の構成について図４９（Ｂ）を参照して説明する。表示装置
はマトリクス状に配置された複数の画素を有する画素部９０１と、画素部９０１に信号を
入力する映像信号入力線駆動回路９０２と、第１の走査線駆動回路９０３Ａと、第２の走
査線駆動回路９０３Ｂと、切り替え回路９０４Ａと、切り替え回路９０４Ｂとを有する。
第１の走査線駆動回路９０３Ａは、ゲート選択期間前半に各走査線Ｇに信号を出力する回
路である。また、第２の走査線駆動回路９０３Ｂは、ゲート選択期間後半に各走査線Ｇに
信号を出力する回路である。切り替え回路９０４Ａと切り替え回路９０４Ｂによって、第
１の走査線駆動回路９０３Ａと各画素の走査線Ｇとの接続又は、第２の走査線駆動回路９
０３Ｂと各画素の走査線Ｇとの接続が選択される。映像信号入力線駆動回路９０２は、ゲ
ート選択期間前半では映像信号を出力する。一方、ゲート選択期間後半では消去信号を出
力する。
【０１７２】
次いで、上記構成の表示装置の駆動方法について図４９（Ｃ）を参照して説明する。な
お、図７と同じ部分は同じ符号を用いて示し説明は省略する。図４９（Ｃ）において、ゲ
ート選択期間９９１は、ゲート選択期間前半９９１Ａとゲート選択期間後半９９１Ｂに分
割される。９０３Ａにおいて、第１の走査線駆動回路によって各走査線が選択され、デジ
タルの映像信号が入力される。９０３Ａの操作を行う期間は、書き込み期間Ｔａに相当す
る。一方、９０３Ｂにおいて、第２の走査線駆動回路によって各走査線が選択され、消去
信号が入力される。９０３Ｂの操作を行う期間は、リセット期間Ｔｒに相当する。こうし
て、アドレス期間Ｔａより短い表示期間Ｔｓを設定することができる。なお、ここではゲ
ート選択期間後半に消去信号が入力されているが、そのかわりに次のサブフレーム期間の
デジタルの映像信号を入力してもよい。
【０１７３】
第３の手法は、発光素子の対向電極の電位を変化させることによって、非表示期間を設
ける手法である。つまり、表示期間は、対向電極の電位を電源線の電位との間に所定の電
位を有する様に設定する。一方、非表示期間では、対向電極の電位を電源線の電位とほぼ
同じ電位に設定する。そして、非表示期間に全画素にデジタルの映像信号を入力する。つ
まり、そのときにアドレス期間を設ける。こうして、画素に入力されたデジタルの映像信
号に関わらず、画素を非発光の状態とすることができる。
【０１７４】
例えば、対向電極が全ての画素において電気的に接続されていた場合、表示期間Ｔｓが
始まるのタイミング及び終わるタイミングは、全ての画素において同じである。所定の長
さの表示期間Ｔｓの後、発光素子１０６の対向電極の電位を再び電源線Ｗの電位とほぼ同
じに変化させることによって、全ての画素を一斉に非発光の状態とすることができる。こ
うして、非表示期間Ｔｕｓを設けることができる。非表示期間Ｔｕｓのタイミングは、全
ての画素において同じである。なお、多階調化がそれ程要求されない場合は（アドレス期
間Ｔａより短い表示期間Ｔｓが必要ない場合）、全てのサブフレーム期間において、非表
示期間Ｔｕｓを設けない駆動方法であってもよい。この駆動方法を用いる場合は、消去ト
ランジスタは必要ない。
【０１７５】
また、保持容量３０３の代わりに、駆動トランジスタ３０２のゲート電極の寄生容量を
積極的に利用することも可能である。同様に、電流源容量１１１を配置せず、電流源トラ
ンジスタ１１２やカレントトランジスタ１４０５のゲート電極の寄生容量を利用してもよ
い。
【０１７６】
次に画素の設定動作について以下の２つの手法を説明する。
【０１７７】
第１の手法について図６を用いて説明する。図６は、図５に示す各画素に配置された電
流源回路１０２の設定動作（画素の設定動作）を示すタイミングチャートである。ここで
は、表示装置の電源を入れた後の最初の画素の設定動作について説明する。
【０１７８】
なお画素の設定動作を、図８等に示す基準電流出力回路４０５の設定動作と同期させて
行う場合の例を挙げる。ここでは、基準電流出力回路４０５は、図９に示した構成を用い
、図１０に示したタイミングチャートを参考に、分割書き込み方式を用いて動作させる場
合を例に挙げる。また簡単のため、分割書き込み方式の分割数が、２の場合の例を示す。
説明のため、図１０に示したタイミングチャートと同じ動作をする部分は、同じ符号を用
いて表し説明は省略する。
【０１７９】
図６において、第ｉ行の画素の設定動作を行う期間をＳＥＴｉで示す。ＳＥＴｉにおい
て、第ｉ行の１列目からｘ列目の画素の設定動作が行われる。第ｉ行の１列目からｘ列目
の画素の設定動作を、図６中、ＳＥＴｉの（１）及び（２）の期間に分けて説明する。
【０１８０】
始めに、ＳＥＴ１の期間（１）において、信号線ＧＮ１及び信号線ＧＨ１に入力された
信号によって、図５に示す第１行の画素の電流入力トランジスタ１４０３及び電流保持ト
ランジスタ１４０４が導通状態となる。このとき、基準電流出力回路４０５は、図１０に
おいて期間ＴＤ１〜ＴＤｘに示した動作を順に行い、各電流線ＣＬ１〜ＣＬｘに流れる電
流が順に定められる。この際、電流Ｉ０’が、各電流線ＣＬ１〜ＣＬｘを流れるように定
められるとする。なおここでは、基準電流出力回路４０５は、分割書き込み方式を用いて
設定動作が行われるとした。そのため、期間ＴＤ１〜ＴＤｘに示した動作を１回行ったの
みでは、十分に設定動作が行われない。そのため、基準電流をＩ０とすると、電流値はＩ
０’＜Ｉ０である。
【０１８１】
次に、各電流線ＣＬ１〜ＣＬｘに電流Ｉ０’が流れるようになった後の、各画素の電流
源回路１０２の動作について説明する。例えば、第１行第ｊ列の画素の場合、期間ＴＤｊ
が終了すると、電流線ＣＬｊに電流Ｉ０’が流れるように設定される。こうして、第ｊ列
の画素のカレントトランジスタ１４０５に電流Ｉ０’が流れる。ここで、第１行の画素の
カレントトランジスタ１４０５のゲート電極とドレイン端子とは、導通状態となった電流
保持トランジスタ１４０４を介して接続されている。そのため、カレントトランジスタ１
４０５は、ゲート・ソース間電圧（ゲート電圧）と、ソース・ドレイン間電圧が等しい状
態、つまり飽和領域で動作し、ドレイン電流を流す。第１行ｊ列の画素のカレントトラン
ジスタ１４０５を流れるドレイン電流は、電流線ＣＬｊを流れる電流Ｉ０’に定まる。こ
うして電流源容量１１１は、カレントトランジスタ１４０５が電流Ｉ０’を流す際のゲー
ト電圧を保持する。
【０１８２】
期間ＴＤ１〜ＴＤｘまで終了し、電流線ＣＬに流れる電流Ｉ０’に対応した電荷を電流
源容量７２１＿ｘが保持し終わると、期間（２）に入る。期間（２）において、信号線Ｇ
Ｈ１の信号が変化し、電流保持トランジスタ１４０４が非導通状態となる。これにより、
第１行の画素の電流源容量１１１に、電荷が保持される。
【０１８３】
なお、図中ＴＱ１で示す期間は、電流線ＣＬｘから第１行ｘ列の画素の電流源回路１０
２のカレントトランジスタ１４０５に電流Ｉ０’を入力し、電流源容量１１１に電荷を保
持させる期間に相当する。図中にＴＱ１で示す期間が、カレントトランジスタ１４０５を
流れる電流が定常状態となるために要する時間より短い場合、電流源容量１１１に十分に
電荷が保持されない。しかし、ここでは簡単のため、ＴＱ１が十分な長さに設定されてい
るとする。
【０１８４】
この様にして、第１行の各画素の設定動作が行われる。ここで、各画素の電流源回路１
０２において、カレントトランジスタ１４０５及び電流源トランジスタ１１２のゲート電
極の電位が等しい。カレントトランジスタ１４０５及び電流源トランジスタ１１２のソー
ス端子の電位が等しい。また、カレントトランジスタ１４０５と電流源トランジスタ１１
２の電流特性が等しいことが望まれる。簡単のため、ここでは、カレントトランジスタ１
４０５と電流源トランジスタ１１２の電流特性が等しいとする。そのため、電流源回路１
０２の端子Ａと端子Ｂの間に電圧が印加されると、電流源トランジスタ１１２には、カレ
ントトランジスタ１４０５を流れる電流Ｉ０’に応じた一定電流が流れる。
【０１８５】
分割書き込み方式の基準電流出力回路４０５を用いる表示装置では、表示装置の電源を
入れた後の初めのＳＥＴ１における電流線ＣＬ１〜ＣＬｘを流れる電流Ｉ０’は基準電流
に満たない値である。そのため、このＳＥＴ１期間における画素の設定動作は十分に行わ
れない。つまり、表示装置の電源を入れた直後の第１行の画素の設定動作では、第１行の
画素がそれぞれ有する電流源回路１０２の電流源容量１１１には、基準電流に対応する電
圧（画素対応基準電圧）を保持することができない。
【０１８６】
次に、ＳＥＴ２の期間（１）において、信号線ＧＮ２及び信号線ＧＨ２に入力された信
号によって、第２行の画素の電流入力トランジスタ１４０３及び電流保持トランジスタ１
４０４が導通状態となる。なお同時に信号線ＧＮ１に入力される信号が変化し、第１行の
画素の電流入力トランジスタ１４０３が非導通状態となる。こうして、第１行の画素のカ
レントトランジスタ１４０５及び電流源トランジスタ１１２のゲート電圧は保持されたま
ま、電流線ＣＬ１とカレントトランジスタ１４０５の接続が切断される。
【０１８７】
ＳＥＴ２の期間（１）において、基準電流出力回路４０５は、図１０において期間ＴＤ
１〜期間ＴＤｘに示した動作を順に行い、各電流線ＣＬ１〜ＣＬｘに流れる電流が順に定
められる。この際、先のＳＥＴ１期間の期間ＴＤ１〜ＴＤｘにおいて行った動作によって
、基準電流出力回路７１１の電流源容量７２１＿１〜７２１＿ｘには、既にある程度の電
荷が保持されている。ＳＥＴ２の期間ＴＤ１〜ＴＤｘの動作を行うと、表示装置の電源を
入れた後、期間ＴＤ１〜ＴＤｘの動作を２回繰り返すことになる。
【０１８８】
ここでは、分割書き込み方式の分割数を２と考えているので、ＳＥＴ２における期間Ｔ
Ｄ１〜ＴＤｘが終了すると、基準電流出力回路４０５の電流源容量７２１＿１〜７２１＿
ｘには、電流源トランジスタ７２０＿１〜７２０＿ｘが基準電流Ｉ０を流すような電荷が
保持される。こうして、各電流線ＣＬ１〜ＣＬｘを流れる電流が基準電流Ｉ０に定められ
る。
【０１８９】
こうして、表示装置の電源を入れた後の初めのＳＥＴ２において、基準電流出力回路４
０５よって定められる電流線ＣＬ１〜ＣＬｘを流れる電流値が基準電流Ｉ０に設定される
。つまり、表示装置の電源を入れた後の初めのＳＥＴ２において、基準電流出力回路４０
５の設定動作が十分に行われる。
【０１９０】
次に、各電流線ＣＬ１〜ＣＬｘに基準電流Ｉ０が流れるようになった後の各画素の電流
源回路の動作について説明する。例えば、第２行第ｊ列の画素の場合、期間ＴＤｊが終了
すると、電流線ＣＬｊに基準電流Ｉ０が流れるように設定される。こうして、第ｊ列の画
素のカレントトランジスタ１４０５に基準電流Ｉ０が流れる。第２行の画素のカレントト
ランジスタ１４０５のゲート電極とドレイン端子とは、導通状態となった電流保持トラン
ジスタ１４０４を介して接続されている。そのため、カレントトランジスタ１４０５は、
ゲート・ソース間電圧（ゲート電圧）と、ソース・ドレイン間電圧が等しい状態、つまり
飽和領域で動作してドレイン電流を流す。第２行ｊ列の画素のカレントトランジスタ１４
０５を流れるドレイン電流は、電流線ＣＬｊを流れる基準電流Ｉ０に定まる。こうして、
電流源容量１１１は、カレントトランジスタ１４０５が基準電流Ｉ０を流す際のゲート電
圧を保持する。
【０１９１】
期間ＴＤ１〜ＴＤｘまで終了し、電流線ＣＬに流れる基準電流Ｉ０に対応した電荷を電
流源容量７２１＿ｘが保持し終わると、期間（２）に入る。期間（２）において、信号線
ＧＨ２の信号が変化し、電流保持トランジスタ１４０４が非導通状態となる。これにより
、第２行の画素の電流源容量１１１に電荷が保持される。
【０１９２】
なお、図中ＴＱ２で示す期間は、電流線ＣＬｘから第２行ｘ列の画素の電流源回路１０
２のカレントトランジスタ１４０５に基準電流Ｉ０を入力し、電流源容量１１１に電荷を
保持させる期間に相当する。図中にＴＱ２で示す期間が、カレントトランジスタ１４０５
を流れる電流が定常状態となるために要する時間より短い場合、電流源容量１１１に十分
に電荷が保持されない。つまり、画素の設定動作が十分行われない。ここでは簡単のため
、ＴＱ２が十分な長さに設定されているとする。
【０１９３】
この様にして、第２行の各画素の設定動作が行われる。各画素の電流源回路１０２にお
いて、カレントトランジスタ１４０５及び電流源トランジスタ１１２のゲート電極の電位
が等しい。カレントトランジスタ１４０５及び電流源トランジスタ１１２のソース端子の
電位が等しい。また、カレントトランジスタ１４０５と電流源トランジスタ１１２の電流
特性が等しいことが望まれる。簡単のため、カレントトランジスタ１４０５と電流源トラ
ンジスタ１１２の電流特性が等しいとする。そのため、電流源回路１０２の端子Ａと端子
Ｂの間に電圧が印加されると、電流源トランジスタ１１２のソース・ドレイン間には、カ
レントトランジスタ１４０５を流れる基準電流Ｉ０に応じた一定電流（画素基準電流）が
流れる。
【０１９４】
ＳＥＴ２が終了すると、信号線ＧＮ２に入力される信号が変化し、第２行の画素の電流
入力トランジスタ１４０３が非導通状態となる。こうして、第２行の画素のカレントトラ
ンジスタ１４０５及び電流源トランジスタ１１２のゲート電圧は保持されたまま、電流線
ＣＬ２とカレントトランジスタ１４０５の接続が切断される。
【０１９５】
ＳＥＴ２と同様の動作を全ての行に対して繰り返す。但し、基準電流出力回路４０５の
設定動作は、ＳＥＴ２においてすでに終了している。よって、ＳＥＴ３以降の動作では、
ＳＥＴｉの期間（１）の間継続的に電流線ＣＬ１〜ＣＬｘ全てにほぼ基準電流に等しい電
流が流れている。一旦、基準電流出力回路４０５の設定動作が終了した後は、ＳＥＴｉの
期間（１）が始まると直ぐに、第ｉ行の全ての画素の電流源容量１１１において同時に、
画素対応基準電圧を保持する動作が行われる。
【０１９６】
このように、ＳＥＴ２が終了した時点で、基準電流出力回路４０５が有する各電流源容
量７２１＿１〜７２１＿ｘには、各電流線ＣＬ１〜ＣＬｘに基準電流を流すための電荷が
保持されている。そのため、ＳＥＴ３以後の期間ＴＤ１〜ＴＤｘにおいては、電流源容量
７２１＿１〜７２１＿ｘの電荷が放電した分を保持し直す動作が行われる。ＳＥＴ２以後
は、各電流線ＣＬ１〜ＣＬｘに流れる電流は、ほぼ基準電流に定まり、画素の設定動作は
十分に行われる（完了する）。
【０１９７】
ＳＥＴ１〜ＳＥＴｙの動作を行うと、画素設定の第１フレーム期間が終了する。なお、
信号線ＧＮ１〜ＧＮｙ及び信号線ＧＨ１〜ＧＨｙを全て１回ずつ選択し、全ての画素の設
定動作を１通り行う期間を、画素設定の１フレーム期間と呼ぶ。
【０１９８】
画素設定の第１フレーム期間が終了した後、画素設定の第２フレーム期間が始まる。画
素設定の第２フレーム期間においても、画素設定の第１フレーム期間と同様の動作を繰り
返す。画素設定の第１フレーム期間では、第１行の画素の設定動作は十分に行われなかっ
た。しかし、画素設定の第２フレーム期間では、基準電流出力回路４０５の設定動作が完
了している。そのため、画素設定の第２フレーム期間においてＳＥＴ１の動作を行うこと
により、第１行の画素の設定動作も十分に行うことができる。このようにして、全ての画
素の設定動作が十分に行われる（完了する）。
【０１９９】
なお、図６のタイミングチャートにおいては、基準電流出力回路４０５の分割数は２と
設定したが、これに限定されず、任意の数とすることができる。仮に分割数が表示装置の
有する画素行の数より大きい場合、表示装置の電源を入れた後１回目（画素設定の第１フ
レーム期間）の画素の設定動作は、全ての画素行において十分に行われない。しかし、画
素の設定動作を複数回繰り返すことによって、十分に画素の設定動作を行うことができる
。また、画素設定の第１のフレーム期間では、どの画素の設定動作も十分に行われず、画
素設定の第２のフレーム期間以降において、全ての画素の設定動作が完了するようにして
も良い。
【０２００】
例えば、各設定期間ＳＥＴｉの期間（１）の長さを短く設定し、ＳＥＴ１〜ＳＥＴｙの
動作を複数回行うことによって、徐々に画素の設定動作を行う手法を用いることができる
。なお、表示装置の電源を入れた直後の基準電流出力回路４０５の設定動作及び画素の設
定動作は、同時に始める例を示したが、基準電流出力回路４０５の設定動作を十分に行っ
た後から画素の設定動作を行っても良い。
【０２０１】
一旦、画素の設定動作を完了した後は、漏れ電流等によって電流源容量１１１に保持さ
れた電荷が減少した分を充電し直すために、画素の設定動作を行う。そのタイミングは、
電流源容量１１１の放電の速さ等によって様々な形態が考えられる。なお、一旦、画素の
設定動作を完了した後に再び行う画素の設定動作では、電流源容量１１１に保持された電
荷が放電した分のみ充電すればよいため、始めの画素の設定動作に対して、それ以降の画
素の設定動作は、各画素に基準電流を入力した後、定常状態となるまでの時間が短くてす
む。よって、１回目の画素の設定動作に対して、それ以降の画素の設定動作は、信号線Ｇ
Ｎ、信号線ＧＨに信号を入力する駆動回路及び基準電流出力回路４０５の駆動周波数を高
く設定することも可能である。
【０２０２】
次いで、画素の設定動作の第２の手法について、図１５を用いて説明する。図１５は、
図５に示す各画素に配置された電流源回路１０２の設定動作（画素の設定動作）を示すタ
イミングチャートである。図１５（ａ）には、画素の設定動作と、図８等に示す基準電流
出力回路４０５の設定動作とを、１フレーム期間の前半と後半で行う場合の例を挙げる。
ここでは、基準電流出力回路４０５は、図９に示した構成を用い、図１０に示したタイミ
ングチャートを参考に動作させる場合を例に挙げる。なお、図１０に示したタイミングチ
ャートと同じ動作をする部分は、同じ符号を用いて表し説明は省略する。
【０２０３】
まず、１フレーム期間の前半において基準電流出力回路４０５は、図１０において期間
ＴＤ１〜ＴＤｘに示した動作を順に行い、各電流線ＣＬ１〜ＣＬｘに流れる電流が順に定
められる。次に、１フレーム期間の後半における、各画素の電流源回路１０２の動作につ
いて、第１行の画素の場合を説明する。基準電流出力回路４０５の設定動作により、全て
の電流線ＣＬは基準電流が流れるように設定されている。ここで、第１行の画素のカレン
トトランジスタ１４０５のゲート電極とドレイン端子とは、導通状態となった電流保持ト
ランジスタ１４０４を介して接続されている。そのため、カレントトランジスタ１４０５
は、ゲート・ソース間電圧（ゲート電圧）と、ソース・ドレイン間電圧が等しい状態（飽
和領域）で動作し、ドレイン電流を流す。第１行ｊ列の画素のカレントトランジスタ１４
０５を流れるドレイン電流は、電流線ＣＬｊを流れる基準電流に定まる。こうして電流源
容量１１１は、カレントトランジスタ１４０５が基準電流を流す際のゲート電圧を保持す
る。次に、信号線ＧＨ１の信号が変化し、電流保持トランジスタ１４０４が非導通状態と
なる。これにより、第１行の画素の電流源容量１１１に電荷が保持される。
【０２０４】
この様にして、第１行の各画素の設定動作が行われる。各画素の電流源回路１０２にお
いて、カレントトランジスタ１４０５及び電流源トランジスタ１１２のゲート電極の電位
が等しく、カレントトランジスタ１４０５及び電流源トランジスタ１１２のソース端子の
電位が等しくなっている。また、カレントトランジスタ１４０５と電流源トランジスタ１
１２の電流特性が等しいことが望まれる。簡単のため、カレントトランジスタ１４０５と
電流源トランジスタ１１２の電流特性が等しいと仮定する。そのため、電流源回路１０２
の端子Ａと端子Ｂの間に電圧が印加されると、電流源トランジスタ１１２には、カレント
トランジスタ１４０５を流れた基準電流に応じた一定電流が流れる。
【０２０５】
次に、信号線ＧＮ２及び信号線ＧＨ２に入力された信号によって、第２行の画素の電流
入力トランジスタ１４０３及び電流保持トランジスタ１４０４が導通状態となる。なお同
時に信号線ＧＮ１に入力される信号が変化し、第１行の画素の電流入力トランジスタ１４
０３が非導通状態となる。こうして、第１行の画素のカレントトランジスタ１４０５及び
電流源トランジスタ１１２のゲート電圧は保持されたまま、電流線ＣＬ１とカレントトラ
ンジスタ１４０５の接続が切断される。第２行の画素においても、第１行のときと同様、
画素の設定動作が行われる。その次に第３行の画素、第４行の画素と順次同様の動作を繰
り返していく。全ての行で、画素の設定動作が終了すると、１フレーム期間が終了する。
次のフレーム期間に入ると、同様に前半に基準電流出力回路４０５の設定動作が行われ、
後半に画素の設定動作が行われる。一旦画素の設定動作を完了した後は、漏れ電流等によ
って電流源容量１１１に保持された電荷が減少した分を充電し直すために、画素の設定動
作を行う。そのタイミングは、電流源容量１１１の放電の速さ等によって様々な態様が考
えられる。
【０２０６】
同様に、一旦、基準電流出力回路４０５の設定動作が行われた後は、容量７２１に保持
された電荷が減少した分を充電しなおすために設定動作を行う。タイミングは様々であり
、画素及び基準電流出力回路４０５の設定動作は、画像の表示動作とは全く無関係に動作
させることができる。図７におけるアドレス期間Ｔａや表示期間Ｔｓ、非表示期間Ｔｕｓ
とは全く無関係に動作させることができる。その理由は、画素及び基準電流出力回路４０
５の設定動作と画像の表示動作とは、お互いの動作に影響を与えないためである。従って
図１５（ａ）のかわりに、図１５（ｂ）のようにして設定動作を行ってもよい。図１５（
ｂ）では、信号線駆動回路が動作していない期間に基準電流出力回路４０５の設定動作を
行い、残りの期間に画素の設定動作を行っている。このように、完全に任意の回数とタイ
ミングで設定動作を行えばよい。画素の設定動作も１行づつ順に行う必要はなく、基準電
流出力回路４０５の設定動作も１列づつ順に行う必要はない。
【０２０７】
なお、電流保持トランジスタ１４０４のソース端子及びドレイン端子のカレントトラン
ジスタ１４０５及び電流源トランジスタ１１２のゲート電極と接続されていない側が電流
線ＣＬに直接接続されている構成では、全ての画素の電流入力トランジスタ１４０３が非
導通状態となった際の電流線ＣＬには、一定電位が与えられる構成とする。この一定電位
を、表示装置が有する複数の画素において、それらの電流源容量１１１に画素対応基準電
圧を保持した際のカレントトランジスタ１４０５のゲート電位の平均程度に設定する。こ
うして、電流保持トランジスタ１４０４のソース・ドレイン端子間の電圧を小さくし、電
流保持トランジスタ１４０４の漏れ電流による、電流源容量１１１に蓄積された電荷の放
電を抑制することができる。電流線ＣＬに、一定電位を与えるか又は基準電流を流すかの
切り替えは、基準電流出力回路４０５において行う構成としてもよい。
【０２０８】
また、カレントトランジスタ１４０５のゲート長とゲート幅の比に対して、電流源トラ
ンジスタ１１２のゲート長とゲート幅の比を変化させることによって、基準電流の値に対
して画素基準電流の値を変化させることも可能である。例えば、画素基準電流に対して基
準電流を大きく設定すれば、画素の設定動作において電流源容量１１１が画素対応基準電
圧を保持するまでに必要な時間を短縮することができ、ノイズの影響を低減することがで
きる。
【０２０９】
電流線ＣＬ１〜ＣＬｘに対応する各画素の発光素子の特性に合わせて、複数の異なる電
流値の基準電流を定めることができる。例えば、赤色発光、緑色発光、及び青色発光の発
光色の異なる発光素子が設けられた各画素のそれぞれの電流線ＣＬに流れる基準電流の電
流値を変えて設定することもできる。これにより、３色の発光素子の発光輝度のバランス
をとることができる。３色の発光輝度のバランスの取り方は、点灯期間の長さを変えるこ
とによりおこなってもよいし、各色に対応した画素に入力する基準電流の電流値を変える
ことと組み合わせてもよい。或いはカレントトランジスタ１４０５と電流源トランジスタ
１１２とで、ゲート長とゲート幅の比を、色ごとに変えてもよい。
【０２１０】
次いで、画像表示動作と画素の設定動作の関連について説明する。画像表示動作と画素
の設定動作とを開始するタイミングは、様々な態様が考えられる。
【０２１１】
１つは、表示装置の電源を入れた後の最初の画像表示動作を、一旦、全ての画素の設定
動作が十分に終了した後に行う手法である。この場合、最初の画像表示動作から、映像信
号によって発光状態が選択された画素の発光素子は、所定の輝度で発光する。
【０２１２】
他の手法は、表示装置の電源を入れた後の最初の画像表示動作を、画素の設定動作を行
いながら、同時に行う手法である。この場合、画素の設定動作が完了するまでの期間に行
われた画像表示動作では、映像信号によって発光状態が選択された画素の発光素子の発光
輝度は、所定の輝度に達しない。そのため、正確な階調表示は、全ての画素の設定動作が
十分に行われた後から、始まる。
【０２１３】
なお、図５で示した画素部の構成において、信号線ＧＮ、信号線ＧＨ、走査線Ｇ、消去
用信号線ＲＧなどは、駆動のタイミングなどを考慮して、共有することができる。例えば
、信号線ＧＨｉと信号線ＧＮｉとを共有することができる。なお、電流保持トランジスタ
１４０４を非導通状態とするタイミングと電流入力トランジスタ１４０３を非導通状態と
するタイミングが全く同じであり、画素の設定動作上問題ない。
【０２１４】
（実施の形態２）
本実施の形態では、同一トランジスタ方式の電流源回路の構成例を図１２に示す。なお
、ここでは実施の形態１と異なる部分について主に説明し、重複する部分は説明を省略す
る。従って、図１２において図３と同じ部分は同じ符号を用いて示す。
【０２１５】
図１２において、電流源回路１０２は、電流源容量１１１、電流源トランジスタ１１２
、電流入力トランジスタ２０３、電流保持トランジスタ２０４、電流停止トランジスタ２
０５、電流線ＣＬ、信号線ＧＮ、信号線ＧＨ、信号線ＧＳとによって構成される。電流源
トランジスタ１１２をｐチャネル型とした例を示す。なお、電流源トランジスタ１１２を
ｎチャネル型とする場合も、図３（Ｃ）に示した構造に従って、容易に応用することがで
きる。その場合の例を図２４に示す。なお、図１２と同じ部分は同じ符号を用いて示す。
【０２１６】
また、図１２において電流入力トランジスタ２０３、電流保持トランジスタ２０４、電
流停止トランジスタ２０５はｎチャネル型とするが、単なるスイッチとして動作するため
ｐチャネル型でもかまわない。但し、図１２において、電流保持トランジスタ２０４が電
流源トランジスタ１１２のゲートとドレイン間に接続されている場合は、電流保持トラン
ジスタ２０４はｐチャネル型が望ましい。その理由は、ｎチャネル型とした場合端子Ｂの
電位が非常に低くなる場合があり得、その時電流保持トランジスタ２０４のソース電位も
低くなる。その結果電流保持トランジスタ２０４が非導通状態となりにくくなる可能性が
ある。これに対し電流保持トランジスタ２０４をｐチャネル型にしておけばその心配はな
い。
【０２１７】
電流源トランジスタ１１２のゲート電極と電流源容量１１１の一方の電極は接続されて
いる。また、電流源容量１１１の他方の電極は、電流源トランジスタ１１２のソース端子
と接続されている。電流源トランジスタ１１２のソース端子が電流源回路１０２の端子Ａ
に接続されている。電流源トランジスタ１１２のゲート電極とドレイン端子は、電流保持
トランジスタ２０４のソース・ドレイン端子間を介して、接続されている。電流保持トラ
ンジスタ２０４のゲート電極は、信号線ＧＨに接続されている。電流源トランジスタ１１
２のドレイン端子と電流線ＣＬは、電流入力トランジスタ２０３のソース・ドレイン端子
間を介して接続されている。電流入力トランジスタ２０３のゲート電極は、信号線ＧＮに
接続されている。また、電流源トランジスタ１１２のドレイン端子は、電流停止トランジ
スタ２０５のソース・ドレイン端子間を介して端子Ｂに接続されている。電流停止トラン
ジスタ２０５のゲート電極は、信号線ＧＳに接続されている。
【０２１８】
また、上記構成において、電流源トランジスタ１１２のゲート電極は、電流入力トラン
ジスタ２０３のソース・ドレイン端子間を介さず、電流線ＣＬに接続されていても良い。
つまり、電流保持トランジスタ２０４のソース端子及びドレイン端子の、電流源トランジ
スタ１１２のゲート電極と接続されていない側が、電流線ＣＬに直接接続されている構成
でも良い。その場合、電流線ＣＬの電位を調整することにより、電流保持トランジスタ２
０４のソース・ドレイン間電圧を小さくすることができる。その結果、電流保持トランジ
スタ２０４が非導通状態のときに、電流保持トランジスタ２０４のもれ電流を小さくする
ことができる。なお、これに限定されず、電流保持トランジスタ２０４は、導通状態とな
った際に、電流源トランジスタ１１２のゲート電極の電位を電流線ＣＬの電位と等しくす
るように接続されていれば良い。つまり、画素の設定動作時には、図６２（ａ）のように
なり、発光時には、（ｂ）のようになっていればよい。そのように、配線やスイッチが接
続されていればよい。従って電流源回路の構成は、図７２のようになっていてもよい。
【０２１９】
なお、電流保持トランジスタ２０４のソース端子及びドレイン端子の、電流源トランジ
スタ１１２のゲート電極と接続されていない側が、電流線ＣＬに直接接続されている構成
では、全ての画素の電流入力トランジスタ２０３が非導通状態となった際の電流線ＣＬに
は、一定電位が与えられる構成とする。この一定電位を、表示装置が有する複数の画素に
おいて、それらの電流源容量１１１に画素対応基準電圧を保持した際の、電流源トランジ
スタ１１２のゲート電位の平均程度に設定する。こうして、電流保持トランジスタ２０４
のソース・ドレイン端子間の電圧を小さくし、電流保持トランジスタ２０４の漏れ電流に
よる電流源容量１１１に蓄積された電荷の放電を抑制することができる。
【０２２０】
電流線ＣＬに、一定電位を与えるか又は基準電流を流すかの切り替えは、基準電流出力
回路４０５において行う構成としてもよい。なお、電流保持トランジスタ２０４を電流源
トランジスタ１１２のゲートと電流線ＣＬの間で接続する場合は、電流保持トランジスタ
２０４の極性は何でもよい。電流保持トランジスタ２０４をｎチャネル型にしても電流線
ＣＬの電位が低くなり過ぎるようなことはないので、電流保持トランジスタ２０４が非導
通状態となりにくくなることもない。
【０２２１】
スイッチ部の構成としては、実施の形態１において説明したものと同様であり、様々な
構成を用いることができる。一例としては、図１３に示したものと同様の構成とし説明は
省略する。
【０２２２】
図１２に示した構成の電流源回路１０２と、図１３に示した構成のスイッチ部１０１を
有する画素１００が、マトリクス状に配置した画素領域の一部の回路図を、図１４に示す
。図１４において、第ｉ行ｊ列、第（ｉ＋１）行ｊ列、第ｉ行（ｊ＋１）列、第（ｉ＋１
）行（ｊ＋１）列の４画素のみを代表的に示す。図１２及び図１３と同じ部分は、同じ符
号を用いて示し、説明は省略する。なお、第ｉ行、第（ｉ＋１）行それぞれの画素行に対
応する、走査線をＧｉ、Ｇｉ＋１、消去用信号線をＲＧｉ、ＲＧｉ＋１、信号線ＧＮをＧ
Ｎｉ、ＧＮｉ＋１、信号線ＧＨをＧＨｉ、ＧＨｉ＋１、信号線ＧＳをＧＳｉ、ＧＳｉ＋１
と表記する。また、第ｊ列、第（ｊ＋１）列それぞれの画素列に対応する、映像信号入力
線ＳをＳｊ、Ｓｊ＋１、電源線ＷをＷｊ、Ｗｊ＋１、電流線ＣＬをＣＬｊ、ＣＬｊ＋１、
配線ＷＣＯをＷＣＯｊ、ＷＣＯｊ＋１と表記する。電流線ＣＬｊ、ＣＬｊ＋１には、画素
領域外部より基準電流が入力される。
【０２２３】
発光素子１０６の画素電極は端子Ｄに接続され、対向電極は対向電位が与えられている
。図１４では、発光素子の画素電極を陽極とし、対向電極を陰極とした構成について示し
た。つまり、電流源回路の端子Ａが電源線Ｗに接続され、端子Ｂがスイッチ部１０１の端
子Ｃに接続された構成を示した。しかし、発光素子１０６の画素電極を陰極とし、対向電
極を陽極とした構成の表示装置にも、本実施の形態２の構成を容易に応用することもでき
る。以下に図１４に示した構成の画素において、発光素子１０６の画素電極を陰極とし、
対向電極を陽極に変えた例を図５０に示す。図５０において、図１４と同じ部分は同じ符
号を用いて示し、説明は省略する。
【０２２４】
図１４では電流源トランジスタ１１２はｐチャネル型とした。一方図５０では、電流源
トランジスタ１１２をｎチャネル型とする。こうして、流れる電流の方向を逆の方向にす
ることができる。このとき、図５０における端子Ａはスイッチ部の端子Ｃと接続され、端
子Ｂは電源線Ｗと接続される。
【０２２５】
また図１４及び図５０において、駆動トランジスタ３０２は、単なるスイッチとして機
能するので、ｎチャネル型でもｐチャネル型でもどちらでも良い。ただし、駆動トランジ
スタ３０２は、そのソース端子の電位が固定された状態で動作するのが好ましい。そのた
め、図１４に示すような発光素子１０６の画素電極を陽極とし、対向電極を陰極とした構
成では、駆動トランジスタ３０２はｐチャネル型のほうが好ましい。一方、図５０に示す
ような発光素子１０６の画素電極を陰極とし、対向電極を陽極とした構成では、駆動トラ
ンジスタ３０２はｎチャネル型のほうが好ましい。なお、図１４において、各画素の配線
ＷＣＯと電源線Ｗとは、同じ電位に保たれていてもよいため、共用することができる。ま
た、異なる画素間の配線ＷＣＯ同士、電源線Ｗ同士、配線ＷＣＯと電源線Ｗも共用するこ
とができる。
【０２２６】
図１４で示した画素部の構成において、信号線ＧＮ、信号線ＧＨ、信号線ＧＳ、走査線
Ｇ、消去用信号線ＲＧなどは、駆動のタイミングなどを考慮して、共有することができる
。例えば、信号線ＧＨｉと信号線ＧＮｉとを共有することができる。この場合、電流入力
トランジスタ２０３を非導通状態となるタイミングと電流保持トランジスタ２０４を非導
通状態とするタイミングが全く同じであり、画素の設定動作上、問題ない。別の例として
は、信号線ＧＳｉと信号線ＧＮｉとを共有することができる。この場合、電流入力トラン
ジスタ２０３の極性と異なる極性の電流停止トランジスタ２０５を用いる。こうして、電
流入力トランジスタ２０３のゲート電極と電流停止トランジスタ２０５のゲート電極に同
じ信号を入力した際に、一方のトランジスタを導通状態とし、他方のトランジスタを非導
通状態とすることができる。更に、消去用信号線ＲＧと信号線ＧＳも共有することができ
る。
【０２２７】
更に、配線Ｗｃｏや配線Ｗｊのかわりに他の画素行の走査線を使用してもよい。これは
、映像信号の書き込みを行っていない間、走査線の電位が一定の電位に保たれることを利
用している。例えば電源線のかわりに、１つ前の画素行の走査線Ｇｉ−１を用いている。
ただしこの場合、走査線Ｇの電位を考慮して、選択トランジスタ３０１の極性に注意する
必要がある。
【０２２８】
また、電流停止トランジスタ２０５と消去トランジスタ３０４を１つにまとめて、どち
らか１つを省いてもよい。画素の設定動作のときには、駆動トランジスタ３０２や発光素
子１０６に電流がもれてしまうと、正しく設定ができない。よって、画素の設定動作のと
きは、電流停止トランジスタ２０５を非導通状態とするか、駆動トランジスタ３０２が非
導通状態となるように消去トランジスタ３０４を導通状態とするかどちらか１つを行えば
よい。もちろん両方行っても良い。一方、非表示期間においても同様に、電流停止トラン
ジスタ２０５を非導通状態とするか、消去トランジスタ３０４を導通状態とすればよい。
以上にことから、電流停止トランジスタ２０５か消去トランジスタ３０４のどちらかを省
略することができる。
【０２２９】
なお、前述した構成のスイッチ部や電流源回路を有する画素において、各配線を共有す
る具体例を図７３に示す。図７３（Ａ）〜（Ｆ）において、信号線ＧＮと信号線ＧＨは共
有され、配線ＷＣＯと電源線Ｗは共有されている。また、電流停止トランジスタ２０５を
省略した構成である。特に、図７３（Ａ）では、電流保持トランジスタ２０４のソース端
子又はドレイン端子で、電流源容量１１１の一方の電極と接続されていない側は、電流線
ＣＬに直接接続されている。また、図７３（Ｂ）では、消去トランジスタ３０４が電流源
トランジスタ１１２及び駆動トランジスタ３０２と直列に接続されている。図７３（Ｄ）
では、電源線Ｗがスイッチ部１０１の駆動トランジスタ３０２、電流源回路１０２の電流
源トランジスタ１１２を順に介して発光素子１０６と接続される構成である。この構成で
は、追加トランジスタ２９０が設けられている。追加トランジスタ２９０によって、スイ
ッチ部がオフの状態、つまり、駆動トランジスタ３０２が非導通状態に画素の設定動作を
行うことができるように、電源線Ｗと電流源トランジスタ１１２のソース端子とが接続さ
れる。図７３（Ｅ）では、電流源トランジスタ１１２をｎチャネル型とした構成である。
この際、電流保持トランジスタ２０４のソース端子又はドレイン端子で、電流源容量１１
１の一方の電極と接続されていない側は、電源線Ｗと直接接続されている。図７３（Ｆ）
では、図７３（Ｄ）において、電流源トランジスタ１１２をｎチャネル型とした構成例で
ある。このように、配線の共有、トランジスタの共有や極性や位置、スイッチ部と電流源
回路の位置、スイッチ部や電流源回路の中の構成、などをいろいろと変えて、さらに、そ
の組み合わせ方を変えることにより容易に様々な回路を実現できる。
【０２３０】
図１４に示した構成の画素を有する表示装置の駆動方法を説明する。説明では図１６を
用いる。なお、基準電流出力回路４０５や参照電流源回路４０４の構成及び動作に関して
は、実施の形態１において説明したものと同様である。よって、説明は省略する。
【０２３１】
まず画像表示動作については、実施の形態１において、図７を用いて説明したものと同
様である。異なるのは、電流停止トランジスタ２０５についての動作である。もし、電流
停止トランジスタ２０５が存在する場合、点灯期間中には、電流停止トランジスタ２０５
は導通状態になっていなければならない。もし、電流停止トランジスタ２０５が非導通状
態になっていたら、たとえ駆動トランジスタ３０２が導通状態であっても発光素子に電流
が流れなくなってしまうからである。従って点灯期間中は、電流停止トランジスタ２０５
は導通状態にしておく必要がある。非点灯期間中はどちらでもよい。以上の点を除けば実
施の形態の１と同様である。従って詳しい説明は省略する。
【０２３２】
次に画素の設定動作について述べる。実施の形態１で示したように、図５で示した構成
の表示装置、つまり画素の電流源回路としてカレントミラー方式を用いた場合では、画像
表示動作と画素の設定動作は非同期で行うことができた。一方、本実施の形態２において
図１４で示した構成の表示装置、つまり画素の電流源回路として、同一トランジスタ方式
を用いた場合では、画像表示動作と画素の設定動作とは同期させて行う方が望ましい。
【０２３３】
各画素において画素の設定動作を行う際、電流源容量１１１に画素対応基準電圧を保持
するため、電流線ＣＬを流れる基準電流が、電流源トランジスタ１１２のドレイン電流を
となる状態を設定する必要があった。従って、もし、画素の設定動作を行っている間に、
電流源トランジスタ１１２を流れる電流の一部が電流源回路１０２から発光素子１０６に
流れると、電流源トランジスタ１１２のドレイン電流が電流線ＣＬを流れる基準電流とは
異なる値となり、正しく電流源容量１１１に画素対応基準電圧を保持することができない
。これを防ぐため、画素の設定動作を行っている間は、その画素の発光素子に電流を流さ
ないようにする必要がある。
【０２３４】
そのため、画素の設定動作を行っている間は、画像の表示を行うことができない。よっ
て、画素の設定動作は、画像表示動作を行っていない期間や、画像表示動作中に画像の表
示を行っていない期間等をもうけて、その期間中に行う必要がある。ゆえに、画像表示動
作と画素の設定動作は、同期させて行う方が望ましい。
【０２３５】
図１４で示した構成の表示装置では、各画素において、電流源トランジスタ１１２を電
流線ＣＬと電気的に接続している間は、電流停止トランジスタ２０５が非導通状態となる
ようにする。こうして、スイッチ部の端子Ｃと端子Ｄ間が導通状態であっても、発光素子
１０６には電流が入力されない状態として、正しく画素の設定動作を行っている。
【０２３６】
又は、図１４で示した構成の表示装置において、各画素のスイッチ部の端子Ｃと端子Ｄ
の間が、つまり駆動トランジスタ３０２が非導通状態のときのみ、その画素の設定動作を
行ってもよい。この場合は、電流停止トランジスタ２０５を設ける必要はない。つまり、
電流源トランジスタ１１２のドレイン端子が直接、端子Ｂに接続される構成でよい。駆動
トランジスタ３０２を非導通状態にするためには、消去トランジスタ３０４を導通状態に
する等すればよい。つまり、非点灯期間中にのみ、画素の設定動作を行う場合は、電流停
止トランジスタ２０５を設ける必要はない。
【０２３７】
次に、画素の設定動作をいつ行うかについて、例を示す。大きくわけて、２つある。１
つは、表示期間中に画素設定動作を行う場合である。ただしこの場合、画素設定動作中に
は、発光させることはできない。従って、表示期間中に、発光しない期間を挿入するよう
な形になる。画素設定動作が終わっても、図１３の保持容量３０３の容量に保持されてい
る信号に変化がなければ、すみやかに、表示動作を再開させることができる。もう１つは
、画像表示動作における非表示期間Ｔｕｓ中に、画素の設定動作を行う手法である。この
場合は、発光素子は発光していないので、容易に画素設定動作を行うことができる。次に
、画素設定動作に関して、どれくらいの期間で全ての画素の設定動作を完成させるかにつ
いて述べる。例として、２つの場合について述べる。１つは、１フレーム期間中に、全て
の画素の設定動作を終える場合である。もう１つは、１フレーム期間中に、１行分の画素
の設定動作を終える場合である。この場合は、複数クレーム期間かかってようやく全ての
画素の設定動作を終えることになる。まず、１つ目の場合について詳しく述べる。
【０２３８】
説明には、図１６のタイミングチャートを用いる。なお、図７のタイミングチャートと
同じ動作をする期間は、同じ符号を用いて示す。なお簡単のため、１フレーム期間は３つ
のサブフレーム期間ＳＦ１〜ＳＦ３に分割される例を用いる。また、サブフレーム期間Ｓ
Ｆ３では、アドレス期間Ｔａ３よりも短い表示期間Ｔｓ３を設定する必要があるとし、リ
セット期間Ｔｒ３及び非表示期間Ｔｕｓ３を設ける駆動方法を例にする。そして、非表示
期間Ｔｕｓ３において、画素の設定動作を行うとする。
【０２３９】
図１６（Ａ）において、第１のサブフレーム期間ＳＦ１及び第２のサブフレーム期間Ｓ
Ｆ２においては、非表示期間Ｔｕｓが設けられていないので、画素の設定動作は行われな
い。一方、第３のサブフレーム期間ＳＦ３のリセット期間Ｔｒ３が始まると同時に、第１
行の画素の設定動作が行われる。なお、ｋ行目の画素の設定動作を行う期間をＳＥＴｋと
表すことにする。そして、ＳＥＴ１が終了するとＳＥＴ２が始まり、第２行の画素の設定
動作が行われる。ＳＥＴ１〜ＳＥＴｙが終了すると、画素の設定動作が全ての画素に関し
て終了する。こうして、ＳＥＴ１〜ＳＥＴｙの動作がリセット期間Ｔｒ３中に行われる。
以降のフレーム期間でも、同様の動作を繰り返していけばよい。ただし、毎フレーム期間
ごとに画素の設定動作を行う必要はない。画素の電流源容量の保持能力に応じて決定すれ
ばよい。
【０２４０】
図１６（Ｂ）は、図１６（Ａ）における第３のサブフレーム期間ＳＦ３のリセット期間
の動作を詳細に示したタイミングチャートである。図１６（Ｂ）の画像表示動作に示す様
に、リセット期間Ｔｒ３における消去用信号線ＲＧ１〜ＲＧｙの走査に同期して、ＳＥＴ
１〜ＳＥＴｙを行うことができる。このように、消去用信号線ＲＧ１〜ＲＧｙの走査に同
期してＳＥＴ１〜ＳＥＴｙを行う場合、図１４に示す信号線ＧＮ１〜ＧＮｙ、信号線ＧＨ
１〜ＧＨｙ及び信号線ＧＳ１〜ＧＳｙの周波数を、消去用信号線ＲＧ１〜ＲＧｙの信号の
周波数とを同じにすることができる。よって、これらの信号線（消去用信号線ＲＧ１〜Ｒ
Ｇｙ、信号線ＧＮ１〜ＧＮｙ、信号線ＧＨ１〜ＧＨｙ及び信号線ＧＳ１〜ＧＳｙ）に信号
を入力する駆動回路の全てもしくは一部を共有することが可能となる。
【０２４１】
ここで図１６（Ｂ）に示したように、消去用信号線ＲＧ１〜ＲＧｙの走査に同期してＳ
ＥＴ１〜ＳＥＴｙを行う場合、パルス出力回路７１１が出力するサンプリングパルスの周
波数を、画素の映像信号入力線Ｓ１〜Ｓｘに信号を入力する信号線駆動回路の周波数と同
じにすることが可能となる。こうして、信号線駆動回路と基準電流出力回路４０５とを、
一部共有することができる。
【０２４２】
次に、１フレーム期間中に、１行分の画素において、画素の設定動作を行う場合につい
て説明する。説明には、図４０を用いる。なお、図７のタイミングチャートと同じ動作を
する期間は、同じ符号を用いて示す。図４０（Ａ）は、第１のフレーム期間Ｆ１の動作を
示すタイミングチャートである。また、図４０（Ｂ）は、第ｉのフレーム期間Ｆｉの動作
を示すタイミングチャートである。
【０２４３】
図４０（Ａ）において、第１のサブフレーム期間ＳＦ１及び第２のサブフレーム期間Ｓ
Ｆ２においては、非表示期間Ｔｕｓが設けられていないので、画素の設定動作は行われな
い。一方、第３のサブフレーム期間ＳＦ３のリセット期間Ｔｒ３が始まると同時に、ＳＥ
Ｔ１が始まり、第１行の画素の設定動作が行われる。こうして、ＳＥＴ１の動作が第１行
の画素の非表示期間Ｔｕｓ１中にＴｕｓ１の期間の全てを使って行われる。次に第２のフ
レーム期間Ｆ２が始まり、第２行の画素の設定動作が行われる。以後、同様の動作が行わ
れる。
【０２４４】
例えば、第ｉ行の画素の画素の設定動作を行う際の動作を、図４０（Ｂ）を用いて説明
する。第ｉ行の画素の設定動作は、第ｉのフレーム期間Ｆｉにおいて行われる。第ｉのフ
レーム期間Ｆｉにおいても同様に、第１のサブフレーム期間ＳＦ１及び第２のサブフレー
ム期間ＳＦ２には、非表示期間Ｔｕｓが設けられていないので、画素の設定動作は行われ
ない。一方、第３のサブフレーム期間ＳＦ３のリセット期間Ｔｒ３が始まり、第ｉ行の画
素の非表示期間Ｔｕｓｉが始まると同時に、ＳＥＴｉが始まり、第ｉ行の画素の設定動作
が行われる。こうして、ＳＥＴｉの動作が第ｉ行の画素の非表示期間Ｔｕｓｉ中にＴｕｓ
ｉの期間の全てを使って行われる。第１のフレーム期間Ｆ１〜第ｙのフレーム期間Ｆｙが
終了すると、全ての画素に対して、画素の設定動作が終わったことになる。以降のフレー
ム期間でも、同様の動作を繰り返していけばよい。ただし、毎フレーム期間ごとに画素の
設定動作を行う必要はない。画素の電流源容量の保持能力に応じて決定すればよい。
【０２４５】
このように、１フレーム期間に１行分の画素の設定動作を行う場合、画素の設定動作を
正確に行えるというメリットがある。つまり、画素の設定動作を行う期間が長いため、十
分に設定動作を行うことができる。そのため、基準電流の大きさが小さくても正確に設定
動作を行うことができる。通常、基準電流の大きさが小さいと、配線の交差容量などを充
電するのに時間がかかるため、正確に設定動作を行うことが難しい。しかし、設定動作の
期間を長くすれば、正確に設定動作を行うことができるようになる。もし、１フレーム期
間に、全ての行の画素に対して設定動作を行わなければならない場合は、１行分の画素の
設定期間が短くなってしまう。従って正確に設定しづらくなる。もし、実施の形態１のよ
うに、画素の電流源回路がカレントミラー方式の場合は、基準電流の大きさを大きくでき
るので、画素の設定期間が短くても、正確に設定しやすい。一方、本実施の形態のように
、画素の電流源回路が同一トランジスタ方式の場合は、基準電流の大きさを大きくできな
いため、正確に設定しづらい。従って設定期間を長くすることは有効である。このように
、図１６や図４０に示した駆動方法によって、画素の設定動作と画像表示動作とを同期し
て行うことができる。
【０２４６】
なお、図１６や図４０では、１フレーム期間の１つのサブフレーム期間においてのみ、
非表示期間を設ける際の駆動方法を示したが、本発明の表示装置の駆動方法はこれに限定
されない。１フレーム期間の複数のサブフレーム期間において非表示期間を設ける際の駆
動方法についても応用することができる。この場合、１フレーム期間の複数のサブフレー
ム期間すべての非表示期間Ｔｕｓにおいて、画素の設定動作を行う駆動方法であっても良
い。また、１フレーム期間の複数のサブフレーム期間のうちのいくつかの非表示期間Ｔｕ
ｓにおいてのみ、画素の設定動作を行う駆動方法であっても良い。
【０２４７】
全ての画素の設定動作が一旦完了した後の、画素の設定動作を繰り返すタイミングは、
画素の電流源回路の有する電流源容量の電荷保持能力によって、任意に定めることができ
る。つまり、数フレーム期間の間、設定動作を全く行わない期間があってもよい。
【０２４８】
ここで、ある行の画素の設定動作の手法について簡単に述べる。例として、１行目の画
素に注目する。まず、信号線ＧＮ１及び信号線ＧＨ１に入力された信号によって、図１４
に示す第１行の画素の電流入力トランジスタ２０３及び電流保持トランジスタ２０４が導
通状態となる。なお、信号線ＧＳ１の信号によって、第１行の画素の電流停止トランジス
タ２０５は非導通状態となっている。なお、もし、電流停止トランジスタ２０５がない場
合は、消去トランジスタ３０４を導通状態にすることなどにより駆動トランジスタ３０２
が非導通状態になるようにしておけばいい。
【０２４９】
そして、電流線ＣＬに基準電流が流れる。こうして、画素の電流源トランジスタ１１２
に基準電流が流れる。ここで、第１行の画素の電流源トランジスタ１１２のゲート電極と
ドレイン端子とは、導通状態となった電流保持トランジスタ２０４を介して接続されてい
る。そのため、電流源トランジスタ１１２は、ゲート・ソース間電圧（ゲート電圧）と、
ソース・ドレイン間電圧が等しい状態、つまり、飽和領域で動作し、ドレイン電流を流す
。第１行の画素の電流源トランジスタ１１２を流れるドレイン電流は、電流線ＣＬを流れ
る基準電流に定まる。こうして電流源容量１１１は、電流源トランジスタ１１２が基準電
流を流す際のゲート電圧を保持する。この間、電流停止トランジスタ２０５は非導通状態
である。よって基準電流がもれてしまうことはない。
【０２５０】
次に信号線ＧＨ１の信号が変化し、電流保持トランジスタ２０４が非導通状態となる。
これにより、第１行の画素の電流源容量１１１に、電荷が保持される。この後、信号線Ｇ
Ｎ１の信号が変化し、第１行の画素の電流入力トランジスタ２０３が非導通状態となる。
こうして、第１行の画素の電流源トランジスタ１１２は、ゲート電圧が保持されたまま、
電流線ＣＬ１との接続が切断される。なお、その後、信号線ＧＳ１の信号が変化し、電流
停止トランジスタ２０５は導通状態となってもよいし非導通状態のままでもよい。点灯期
間中に導通状態であればよい。
【０２５１】
この様にして、第１行の各画素の設定動作が行われる。これにより、以後、各画素の電
流源回路１０２において、端子Ａと端子Ｂの間に電圧が印加されると、電流源トランジス
タ１１２のソース・ドレイン間には、基準電流と同じ大きさの電流が流れるようになる。
【０２５２】
（実施の形態３）
本実施の形態ではマルチゲート方式の電流源回路について説明する。なお、ここでは実
施の形態１や実施の形態２と異なる部分について主に説明し共通する部分の説明は省略す
る。
【０２５３】
マルチゲート方式１の電流源回路の構成について図５７を用いて説明する。なお、図３
と同じ部分は同じ符号を用いて示す。マルチゲート方式１の電流源回路は、電流源トラン
ジスタ１１２と電流停止トランジスタ８０５を有する。また、スイッチとして機能する電
流入力トランジスタ８０３、電流保持トランジスタ８０４を有する。ここで、電流源トラ
ンジスタ１１２、電流停止トランジスタ８０５、電流入力トランジスタ８０３、電流保持
トランジスタ８０４は、ｐチャネル型でもｎチャネル型でもよい。但し、電流源トランジ
スタ１１２と電流停止トランジスタ８０５は、同じ極性である必要がある。ここでは、電
流源トランジスタ１１２及び電流停止トランジスタ８０５がｐチャネル型の例を示す。ま
た、電流源トランジスタ１１２と電流停止トランジスタ８０５は、電流特性が等しいこと
が望まれる。さらに、電流源トランジスタ１１２のゲート電位を保持する電流源容量１１
１を有する。また、電流入力トランジスタ８０３のゲート電極に信号を入力する信号線Ｇ
Ｎと、電流保持トランジスタ８０４のゲート電極に信号を入力する信号線ＧＨを有する。
さらに、制御信号が入力される電流線ＣＬを有する。なお、電流源容量１１１は、トラン
ジスタのゲート容量などを利用することにより、省略することが可能である。
【０２５４】
電流源トランジスタ１１２のソース端子は、端子Ａと接続されている。電流源トランジ
スタ１１２のゲート電極とソース端子は、電流源容量１１１を介して接続されている。電
流源トランジスタ１１２のゲート電極は、電流停止トランジスタ８０５のゲート電極と接
続され、電流保持トランジスタ８０４を介して電流線ＣＬと接続されている。電流源トラ
ンジスタ１１２のドレイン端子は、電流停止トランジスタ８０５のソース端子と接続され
、電流入力トランジスタ８０３を介して、電流線ＣＬに接続されている。電流停止トラン
ジスタ８０５のドレイン端子は、端子Ｂに接続されている。
【０２５５】
なお、図５７（Ａ）において、電流保持トランジスタ８０４の配置を変え、図５７（Ｂ
）に示すような回路構成としてもよい。図５７（Ｂ）では、電流保持トランジスタ８０４
は、電流源トランジスタ１１２のゲート電極とドレイン端子の間に接続されている。
【０２５６】
次いで上記マルチゲート方式１の電流源回路の設定方法について説明する。なお、図５
７（Ａ）と図５７（Ｂ）では、その設定動作は同様である。ここでは図５７（Ａ）に示す
回路を例に、その設定動作について説明する。説明には図５７（Ｃ）〜図５７（Ｆ）を用
いる。マルチゲート方式１の電流源回路では、図５７（Ｃ）〜図５７（Ｆ）の状態を順に
経て設定動作が行われる。説明では簡単のため、電流入力トランジスタ８０３、電流保持
トランジスタ８０４をスイッチとして表記した。ここで、電流源回路を設定する制御信号
は制御電流である例を示す。
【０２５７】
図５７（Ｃ）に示す期間ＴＤ１において、電流入力トランジスタ８０３及び電流保持ト
ランジスタ８０４を導通状態とする。この際、電流停止トランジスタ８０５は非導通状態
である。これは、導通状態となった電流保持トランジスタ８０４及び電流入力トランジス
タ８０３によって、電流停止トランジスタ８０５のソース端子とゲート電極の電位が等し
く保たれているためである。つまりソース・ゲート間電圧がゼロのときに非導通状態とな
るトランジスタを電流停止トランジスタ８０５に用いれば、期間ＴＤ１において電流停止
トランジスタ８０５を自動的に非導通状態とすることができる。こうして、図示した経路
より電流が流れて、電流源容量１１１に電荷が保持される。
【０２５８】
図５７（Ｄ）に示す期間ＴＤ２において、保持された電荷によって電流源トランジスタ
１１２のゲート・ソース間電圧が閾値電圧以上となる。すると、電流源トランジスタ１１
２にドレイン電流が流れる。
【０２５９】
図５７（Ｅ）に示す期間ＴＤ３において、十分時間が経過し定常状態となると、電流源
トランジスタ１１２のドレイン電流が制御電流に定まる。こうして、制御電流をドレイン
電流とする際のゲート電圧が電流源容量１１１に保持される。その後、電流保持トランジ
スタ８０４が非導通状態となる。すると、電流源容量１１１に保持された電荷が電流停止
トランジスタ８０５のゲート電極にも分配される。こうして、電流保持トランジスタ８０
４が非導通状態となると同時に、自動的に電流停止トランジスタ８０５が導通状態となる
。
【０２６０】
図５７（Ｆ）に示す期間ＴＤ４において、電流入力トランジスタ８０３が非導通状態と
なる。こうして、画素に制御電流が入力されなくなる。なお、電流保持トランジスタ８０
４を非導通状態とするタイミングは、電流入力トランジスタ８０３を非導通状態とするタ
イミングに対して、早いか又は同時であることが好ましい。これは、電流源容量１１１に
保持された電荷を放電させないようにするためである。期間ＴＤ４の後、端子Ａと端子Ｂ
の間の電圧が印加されている場合、電流源トランジスタ１１２及び電流停止トランジスタ
８０５を介して、一定の電流が出力される。つまり、電流源回路１０２が制御電流を出力
する際は、電流源トランジスタ１１２と電流停止トランジスタ８０５が、１つのマルチゲ
ート型トランジスタのように機能する。そのため、入力する制御電流すなわち基準電流に
対して、出力する一定電流の値を小さく設定することができる。従って、基準電流を大き
くできるため、電流源回路の設定動作を速くすることができる。そのため、電流停止トラ
ンジスタ８０５と電流源トランジスタ１１２の極性は同じとする必要がある。また、電流
停止トランジスタ８０５と電流源トランジスタ１１２の電流特性は同じとすることが望ま
しい。これは、マルチゲート方式１を有する各電流源回路１０２において、電流停止トラ
ンジスタ８０５と電流源トランジスタ１１２の特性が揃っていない場合、出力電流にばら
つきを生じるためである。
【０２６１】
なお、マルチゲート方式１の電流源回路では、電流停止トランジスタ８０５だけではな
く、制御電流が入力され対応するゲート電圧に変換するトランジスタ（電流源トランジス
タ１１２）も用いて電流源回路１０２からの電流を出力している。一方、実施の形態１で
示したカレントミラー方式の電流源回路では、制御電流が入力され対応するゲート電圧に
変換するトランジスタ（カレントトランジスタ）と、該ゲート電圧をドレイン電流に変換
するトランジスタ（電流源トランジスタ１１２）が全く別であった。よって、カレントミ
ラー方式の電流源回路よりは、マルチゲート方式１の電流源回路の方がトランジスタの電
流特性ばらつきが電流源回路１０２の出力電流へ与える影響を低減することができる。
【０２６２】
マルチゲート方式１の電流源回路の各信号線は、共有することができる。例えば、電流
入力トランジスタ８０３と電流保持トランジスタ８０４は、同じタイミングで導通状態・
非導通状態が切り替えられれば動作上問題無い。そのため、電流入力トランジスタ８０３
と電流保持トランジスタ８０４の極性を同じとし、信号線ＧＨと信号線ＧＮを共有するこ
とができる。
【０２６３】
マルチゲート方式１において、電流源回路の部分は画素の設定動作時には、図６３（ａ
）のようになり、発光時には図６３（ｂ）のようになっていればよい。つまり、そのよう
に、配線やスイッチが接続されていればよい。例えば、図６８のように接続されていても
良い。
【０２６４】
なお、前述した構成のスイッチ部や電流源回路を有する画素において、各配線を共有す
る具体例を図７４に示す。図７４（Ａ）〜（Ｄ）において、信号線ＧＮと信号線ＧＨは共
有され、配線ＷＣＯと電源線Ｗは共有されている。特に、図７４（Ａ）では、電流保持ト
ランジスタ８０４のソース端子又はドレイン端子で、電流源容量１１１の一方の電極と接
続されていない側は電流線ＣＬに直接接続されている。また、消去トランジスタ３０４が
電流源トランジスタ１１２及び駆動トランジスタ３０２と直列に接続されている。図７４
（Ｂ）では、電流源トランジスタ１１２のソース端子と電源線Ｗとの接続を選択する位置
に、消去トランジスタ３０４が接続されている。図７４（Ｃ）では、電源線Ｗがスイッチ
部１０１、電流源回路１０２を順に介して発光素子１０６と接続される構成である。この
構成では追加トランジスタ３９０が設けられている。追加トランジスタ３９０によって、
スイッチ部がオフの状態、つまり、駆動トランジスタ３０２が非導通状態に画素の設定動
作を行うことができるように、電源線Ｗと電流源トランジスタ１１２のソース端子とが接
続される。図７４（Ｄ）では、電流保持トランジスタ８０４が、電流源トランジスタ１１
２のゲート・ドレイン間で接続されている。そして、消去トランジスタ３０４が、保持容
量３０３と並列に接続されている。画素の設定動作の時には、駆動トランジスタ３０２が
どのような状態にあっても、駆動トランジスタ３０２の方へは電流が流れない。それは、
電流停止トランジスタ８０５のゲート・ソース間の電圧が０となり、自動的に電流停止ト
ランジスタ８０５がオフ状態になるためである。
【０２６５】
実施の形態１で示すカレントミラー方式の電流源回路では、発光素子に入力される信号
は、画素に入力される制御電流を所定の倍率で増減した電流である。そのため、制御電流
をある程度大きく設定することが可能となり、各画素の電流源回路の設定動作を早く行う
ことができる。しかし、電流源回路が有するカレントミラー回路を構成するトランジスタ
の電流特性がばらつくと、画像表示がばらつく問題がある。一方、同一トランジスタ方式
の電流源回路では、発光素子に入力される信号は、画素に入力される制御電流の電流値と
等しい。ここで、同一トランジスタ方式の電流源回路では、制御電流が入力されるトラン
ジスタと、発光素子に電流を出力するトランジスタが同一である。そのため、トランジス
タの電流特性のばらつきによる画像むらは低減される。
【０２６６】
これに対してマルチゲート方式の電流源回路では、発光素子に入力される信号は、画素
に入力される制御電流を所定の倍率で増減した電流である。そのため、制御電流をある程
度大きく設定することが可能となる。よって、各画素の電流源回路の設定動作を早く行う
ことが可能である。また、制御電流が入力されるトランジスタと、発光素子に電流を出力
するトランジスタの一部を共有しているため、トランジスタの電流特性のばらつきによる
画像むらは、カレントミラー方式の電流源回路と比較して低減される。
【０２６７】
次いで、マルチゲート方式の電流源回路の場合の設定動作と、スイッチ部の動作との関
連を以下に示す。マルチゲート方式の電流源回路の場合、制御電流が入力される間は、一
定電流を出力することができない。そのため、スイッチ部の動作と電流源回路の設定動作
を同期させて行う必要が生じる。例えば、スイッチ部がオフの状態にのみ、電流源回路の
設定動作を行うことが可能である。つまり、同一トランジスタ方式とほぼ同様である。従
って、画像表示動作（スイッチ部の駆動動作）と、電流源回路の設定動作（画素の設定動
作）も、同一トランジスタ方式とほぼ同様であるため、説明は省略する。
【０２６８】
次にこの発明の実施例を述べるが、この発明は下記実施例に限定されるものではない。
【実施例１】
【０２６９】
本実施例では、カレントミラー方式の電流源回路を有する画素構成であって、実施の形
態１において、図４において示した構成の電流源回路と異なる構成の電流源回路を用いた
画素構成の例を挙げる。
【０２７０】
各画素に配置した電流源回路の構成例を図１７に示す。なお、図１７において、図４と
同じ部分は同じ符号を用いて示し説明は省略する。図１７において、電流源回路１０２は
、電流源容量１１１、電流源トランジスタ１１２、カレントトランジスタ１４０５、電流
入力トランジスタ１４０３、電流保持トランジスタ１４０４、電流線ＣＬ、信号線ＧＮ、
信号線ＧＨの他に、点順次トランジスタ２４０４と点順次線ＣＬＰとを有する。図４とは
、点順次トランジスタ２４０４を追加した部分が異なる。なお、点順次トランジスタ２４
０４はｎチャネル型とするが、単なるスイッチとして動作するためｐチャネル型でもかま
わない。
【０２７１】
電流源トランジスタ１１２のゲート電極とカレントトランジスタ１４０５のゲート電極
及び電流源容量１１１の一方の電極は接続されている。また、電流源容量１１１の他方の
電極は、電流源トランジスタ１１２のソース端子及びカレントトランジスタ１４０５のソ
ース端子と接続され、電流源回路１０２の端子Ａに接続されている。カレントトランジス
タ１４０５のゲート電極は、そのドレイン端子と電流保持トランジスタ１４０４のソース
・ドレイン端子間及び点順次トランジスタ２４０４のソース・ドレイン端子間を順に介し
て接続されている。電流保持トランジスタ１４０４のゲート電極は、信号線ＧＨに接続さ
れている。点順次トランジスタ２４０４のゲート電極は点順次線ＣＬＰに接続されている
。カレントトランジスタ１４０５のドレイン端子と電流線ＣＬは、電流入力トランジスタ
１４０３のソース・ドレイン端子間を介して接続されている。電流入力トランジスタ１４
０３のゲート電極は、信号線ＧＮに接続されている。また、電流源トランジスタ１１２の
ドレイン端子は、端子Ｂに接続されている。
【０２７２】
上記構成において、電流入力トランジスタ１４０３をカレントトランジスタ１４０５と
端子Ａの間に配置しても良い。つまり、カレントトランジスタ１４０５のソース端子が電
流入力トランジスタ１４０３のソース・ドレイン端子間を介して端子Ａに接続され、カレ
ントトランジスタ１４０５のドレイン端子が電流線ＣＬに接続された構成であってもよい
。いずれにしても、電流源回路の部分は画素の設定動作時には、図６１（ａ）のようにな
り、発光時には図６１（ｂ）のようになっていればよい。
【０２７３】
上記構成において、カレントトランジスタ１４０５及び電流源トランジスタ１１２のゲ
ート電極は、電流入力トランジスタ１４０３のソース・ドレイン端子間を介さず、電流線
ＣＬに接続されていても良い。つまり、点順次トランジスタ２４０４のソース端子及びド
レイン端子の、電流保持トランジスタ１４０４のソース端子又はドレイン端子と接続され
ていない側が、電流線ＣＬに直接接続されている構成でも良い。勿論、これに限定されず
電流保持トランジスタ１４０４及び点順次トランジスタ２４０４は、その両方ともが導通
状態となった際にカレントトランジスタ１４０５のゲート電極の電位を電流線ＣＬの電位
と等しくするように接続されていれば良い。
【０２７４】
また、電流保持トランジスタ１４０４と点順次トランジスタ２４０４の配置を入れ替え
ても良い。つまり、カレントトランジスタ１４０５のゲート電極は、そのドレイン端子と
電流保持トランジスタ１４０４のソース・ドレイン端子間及び点順次トランジスタ２４０
４のソース・ドレイン端子間を順に介して接続されている構成であっても良いし、カレン
トトランジスタ１４０５のゲート電極は、そのドレイン端子と、点順次トランジスタ２４
０４のソース・ドレイン端子間及び電流保持トランジスタ１４０４のソース・ドレイン端
子間を順に介して接続されている構成であっても良い。
【０２７５】
図１７では図４に対して点順次トランジスタ２４０４を追加しており、点順次トランジ
スタ２４０４は、電流保持トランジスタ１４０４と直列に接続される。この構成により、
電流源容量１１１は、電流保持トランジスタ１４０４と点順次トランジスタ２４０４の両
方が導通状態にならない限り電荷を保持することになる。このように、点順次トランジス
タ２４０４を追加することにより、画素の設定動作を図４の線順次ではなく点順次で行う
ことができるようになる。図１７に示す構成の電流源回路１０２と、図１３に示す構成の
スイッチ部１０１を有する画素１００が、ｘ列ｙ行のマトリクス状に配置した画素領域の
一部の回路図を図１８に示す。
【０２７６】
図１８において、第ｉ（ｉは自然数）行ｊ（ｊは自然数）列、第（ｉ＋１）行ｊ列、第
ｉ行（ｊ＋１）列、第（ｉ＋１）行（ｊ＋１）列の４画素のみを代表的に示す。図１７及
び図１３と同じ部分は、同じ符号を用いて示し説明は省略する。なお、第ｉ行、第（ｉ＋
１）行それぞれの画素行に対応する、走査線ＧをＧｉ、Ｇｉ＋１、消去用信号線をＲＧｉ
、ＲＧｉ＋１、信号線ＧＮをＧＮｉ、ＧＮｉ＋１、信号線ＧＨをＧＨｉ、ＧＨｉ＋１と表
記する。また、第ｊ列、第（ｊ＋１）列それぞれの画素列に対応する、映像信号入力線Ｓ
をＳｊ、Ｓｊ＋１、電源線ＷをＷｊ、Ｗｊ＋１、電流線ＣＬをＣＬｊ、ＣＬｊ＋１、配線
ＷＣＯをＷＣＯｊ、ＷＣＯｊ＋１、点順次線ＣＬＰをＣＬＰｊ、ＣＬＰｊ＋１と表記する
。電流線ＣＬｊ、ＣＬｊ＋１には画素領域外部より基準電流が入力される。
【０２７７】
発光素子１０６の画素電極は端子Ｄに接続され、対向電極は対向電位が与えられている
。図１８では発光素子の画素電極を陽極とし、対向電極を陰極とした構成について示した
。つまり、電流源回路の端子Ａが電源線Ｗに接続され、端子Ｂがスイッチ部１０１の端子
Ｃに接続された構成を示した。しかし、発光素子１０６の画素電極を陰極とし、対向電極
を陽極とした構成の表示装置にも本実施例の構成を容易に応用することもできる。
【０２７８】
電流線ＣＬｊ、ＣＬｊ＋１に流れる基準電流を定めるために画素領域外部に設けられた
電流源（以下、参照電流源回路と表記する）を模式的に４０４で示す。１つの参照電流源
回路４０４からの出力電流を用いて、各々の電流線ＣＬに基準電流が流れるようにするこ
とができる。こうして、各電流線を流れる電流のばらつきを抑え、全ての電流線を流れる
電流を正確に基準電流に定めることができる。
【０２７９】
参照電流源回路４０４によって定められる基準電流を、各電流線ＣＬ１〜ＣＬｘに入力
する回路を、切り替え回路と呼び、図１８中２４０５で示す。切り替え回路２４０５の構
成例を、図２０に示す。切り替え回路２４０５は、パルス出力回路２７１１と、サンプリ
ングパルス線２７１０＿１〜２７１０＿ｘと、スイッチ２７０１＿１〜２７０１＿ｘとを
有する。
【０２８０】
パルス出力回路２７１１より出力されるパルス（サンプリングパルス）は、サンプリン
グパルス線２７１０＿１〜２７１０＿ｘに入力される。サンプリングパルス線２７１０＿
１〜２７１０＿ｘに入力された信号によって、スイッチ２７０１＿１〜２７０１＿ｘが順
にオンの状態となる。オンの状態のスイッチ２７０１＿１〜２７０１＿ｘを介して、参照
電流源回路４０４が各電流線ＣＬ１〜ＣＬｘと接続される。なお同時に、サンプリングパ
ルスは点順次線ＣＬＰ１〜ＣＬＰｘにも入力される。例えば、第ｊのサンプリングパルス
線２７１０＿ｊに入力されたサンプリングパルスによって、電流線ＣＬｊと参照電流源回
路４０４が接続され、同時に、点順次線ＣＬＰｊには、サンプリングパルスが出力されて
いる。
【０２８１】
ここで、点順次線ＣＬＰｊに点順次トランジスタ２４０４が接続されている画素では、
点順次トランジスタ２４０４が導通状態のとき、ある行の信号線ＧＮとＧＨに入力された
信号によって、該信号線ＧＮとＧＨに接続されている電流入力トランジスタ１４０３と電
流保持トランジスタ１４０４が導通状態とする。すると、電流保持トランジスタ１４０４
と点順次トランジスタ２４０４の両方が導通状態となっている画素のみ、電流源容量１１
１に信号を入力することができる。これにより、点順次による画素の設定動作を行うこと
ができる。
【０２８２】
図１９は、図１８に示す各画素に配置された電流源回路１０２の設定動作（画素の設定
動作）を示すタイミングチャートである。図１９において、第ｉ行の画素の設定動作を行
う期間をＳＥＴｉで示す。ＳＥＴｉにおいて、第ｉ行の１列目からｘ列目の画素の設定動
作が行われる。そこで、第ｉ行の１列目からｘ列目の画素の設定動作を、図１９中、ＳＥ
Ｔｉの（１）及び（２）の期間に分けて説明する。
【０２８３】
ＳＥＴｉの期間（１）において、信号線ＧＮｉ及び信号線ＧＨｉに入力された信号によ
って、図１８に示す第ｉ行の画素の電流入力トランジスタ１４０３及び電流保持トランジ
スタ１４０４が導通状態となる。その後、各列のＣＬＰとスイッチ２７０１が１列づつ順
次選択されていく。一例としてｊ行目、つまり、第ｉ行ｊ列の画素の設定動作を説明する
。ここで、ＳＥＴｉの期間（１）において、第ｉ行ｊ列の画素の設定動作を行う期間をＳ
ＥＴ（ｉ，ｊ）で示す。ＳＥＴ（ｉ，ｊ）において切り替え回路２４０５によって、電流
線ＣＬｉが参照電流源回路４０４と接続される。こうして基準電流が電流線ＣＬｉを流れ
る。同時に切り替え回路２４０５より、点順次線ＣＬＰｊに入力された信号によって、点
順次トランジスタ２４０４は導通状態となる。図１９のタイミングチャートにおいて、Ｃ
Ｌｊで示す期間は、電流線ＣＬｊと参照電流源回路４０４が接続されている期間を示すと
する。こうして、ＳＥＴ（ｉ，ｊ）では、第ｉ行ｊ列の画素の電流保持トランジスタ１４
０４、点順次トランジスタ２４０４、電流入力トランジスタ１４０３が導通状態となる。
そのため、第ｉ行ｊ列の画素のカレントトランジスタ１４０５は、ゲート・ソース間電圧
（ゲート電圧）と、ソース・ドレイン間電圧が等しい状態、つまり、飽和領域で動作して
ドレイン電流を流す。十分時間が経過し定常状態となると、電流源容量１１１に信号が蓄
積されカレントトランジスタ１４０５を流れるドレイン電流は、電流線ＣＬｊを流れる基
準電流に定まる。
【０２８４】
その後、ＳＥＴ（ｉ，ｊ）が終了すると、第ｉ行ｊ列の画素の点順次トランジスタは非
導通状態となる。こうして第ｉ行ｊ列の画素の電流源容量１１１は、カレントトランジス
タ１４０５が基準電流を流す際のゲート電圧を保持する。以上の動作を１列づつ繰り返し
ていく。
【０２８５】
ＳＥＴ（ｉ，１）〜ＳＥＴ（ｉ，ｘ）まで終了すると、第ｉ行の全ての画素の電流源容
量１１１には、電流線ＣＬに流れる基準電流に対応した電荷が保持される。その後、期間
（２）に入る。期間（２）が終了すると、信号線ＧＮｉ及び信号線ＧＨｉの信号が変化し
、第ｉ行の画素の電流入力トランジスタ１４０３及び電流保持トランジスタ１４０４が非
導通状態となる。なお、図１８に示した画素構成の表示装置において、電流保持トランジ
スタ１４０４と点順次トランジスタ２４０４の配置を入れ替えても良いとした。しかし、
図１８に示した画素構成の表示装置を、図１９に示したタイミングチャートに従って駆動
させる場合、各画素の点順次トランジスタ２４０４は、電流保持トランジスタ１４０４よ
りも多く、導通状態・非導通状態の切り替えが行われる。よって、電流源容量１１１に保
持された電荷に影響を与えないように、導通状態・非導通状態の切り替えが少ない電流保
持トランジスタ１４０４の方が、電流源容量１１１と接続されている構成が好ましい。
【実施例２】
【０２８６】
本実施例では、同一トランジスタ方式の電流源回路を有する画素構成であって、実施の
形態２において、図１２で示した構成の電流源回路とは異なる構成の電流源回路を用いた
画素構成の例を挙げる。
【０２８７】
始めに、本実施例の電流源回路の構成例を図２１に示す。なお、図２１において、図１
２と同じ部分は、同じ符号を用いて示す。本実施例も実施例１と同様に点順次による画素
の設定動作が行えるようにした場合のものである。
【０２８８】
図２１において、電流源回路１０２は、電流源容量１１１、電流源トランジスタ１１２
、電流入力トランジスタ２０３、電流保持トランジスタ２０４、電流停止トランジスタ２
０５、電流線ＣＬ、信号線ＧＮ、信号線ＧＨ、信号線ＧＳの他に、点順次トランジスタ２
０８と点順次線ＣＬＰとを有する。図１２とは、点順次トランジスタ２０８を追加した部
分が異なる。また、点順次トランジスタ２０８はｎチャネル型とするが、単なるスイッチ
として動作するためｐチャネル型でもかまわない。
【０２８９】
電流源トランジスタ１１２のゲート電極と、電流源容量１１１の一方の電極は接続され
ている。また、電流源容量１１１の他方の電極は、電流源トランジスタ１１２のソース端
子と接続されている。電流源トランジスタ１１２のソース端子が電流源回路１０２の端子
Ａに接続されている。
【０２９０】
電流源トランジスタ１１２のゲート電極は、そのドレイン端子と、電流保持トランジス
タ２０４のソース・ドレイン端子間及び点順次トランジスタ２０８のソース・ドレイン端
子間を順に介して、接続されている。電流保持トランジスタ２０４のゲート電極は、信号
線ＧＨに接続されている。点順次トランジスタ２０８のゲート電極は、点順次線ＣＬＰに
接続されている。電流源トランジスタ１１２のドレイン端子と電流線ＣＬは、電流入力ト
ランジスタ２０３のソース・ドレイン端子間を介して接続されている。電流入力トランジ
スタ２０３のゲート電極は、信号線ＧＮに接続されている。また、電流源トランジスタ１
１２のドレイン端子は、電流停止トランジスタ２０５のソース・ドレイン端子間を介して
端子Ｂに接続されている。電流停止トランジスタ２０５のゲート電極は、信号線ＧＳに接
続されている。
【０２９１】
また、上記構成において、電流源トランジスタ１１２のゲート電極は、電流入力トラン
ジスタ２０３のソース・ドレイン端子間を介さず、電流線ＣＬに接続されていても良い。
つまり、点順次トランジスタ２０８のソース端子及びドレイン端子の、電流保持トランジ
スタ２０４のソース及びドレイン端子と接続されていない側が、電流線ＣＬに直接接続さ
れている構成でも良い。なお、これに限定されず、電流保持トランジスタ２０４及び点順
次トランジスタ２０８は、その両方ともが導通状態となった際に、電流源トランジスタ１
１２のゲート電極の電位を電流線ＣＬの電位と等しくするように接続されていれば良い。
【０２９２】
ここで、電流保持トランジスタ２０４と点順次トランジスタ２０８の配置を入れ替えて
も良い。電流源トランジスタ１１２のゲート電極は、そのドレイン端子と、電流保持トラ
ンジスタ２０４のソース・ドレイン端子間及び点順次トランジスタ２０８のソース・ドレ
イン端子間を順に介して、接続されている構成であっても良いし、電流源トランジスタ１
１２のゲート電極とドレイン端子が、点順次トランジスタ２０８のソース・ドレイン端子
間及び電流保持トランジスタ２０４のソース・ドレイン端子間を順に介して、接続されて
いる構成であっても良い。
【０２９３】
つまり、図２１では、図１２に対して点順次トランジスタ２０８を追加しており、それ
は、電流保持トランジスタ２０４と直列に接続される。このようにすることにより、電流
源容量１１１は、電流保持トランジスタ２０４と点順次トランジスタ２０８の両方が導通
状態にならない限り電荷は保持されることになる。このように、点順次トランジスタ２０
８を追加することにより、画素の設定動作を図１２の線順次ではなく点順次で行うことが
できるようになる。
【０２９４】
図２１に示す構成の電流源回路１０２と、図１３に示す構成のスイッチ部１０１を有す
る画素１００が、ｘ列ｙ行のマトリクス状に配置した画素領域の一部の回路図を、図２２
に示す。図２２において、第ｉ行ｊ列、第（ｉ＋１）行ｊ列、第ｉ行（ｊ＋１）列、第（
ｉ＋１）行（ｊ＋１）列の４画素のみを代表的に示す。図２１及び図１３と同じ部分は、
同じ符号を用いて示し説明は省略する。
【０２９５】
なお、第ｉ行、第（ｉ＋１）行それぞれの画素行に対応する、走査線をＧｉ、Ｇｉ＋１
、消去用信号線をＲＧｉ、ＲＧｉ＋１、信号線ＧＮをＧＮｉ、ＧＮｉ＋１、信号線ＧＨを
ＧＨｉ、ＧＨｉ＋１、信号線ＧＳをＧＳｉ、ＧＳｉ＋１と表記する。また、第ｊ列、第（
ｊ＋１）列それぞれの画素列に対応する、映像信号入力線ＳをＳｊ、Ｓｊ＋１、電源線Ｗ
をＷｊ、Ｗｊ＋１、電流線ＣＬをＣＬｊ、ＣＬｊ＋１、配線ＷＣＯをＷＣＯｊ、ＷＣＯｊ
＋１、点順次線ＣＬＰをＣＬＰｊ、ＣＬＰｊ＋１と表記する。電流線ＣＬｊ、ＣＬｊ＋１
には、画素領域外部より基準電流が入力される。
【０２９６】
発光素子１０６の画素電極は端子Ｄに接続され、対向電極は対向電位が与えられている
。図２２では、発光素子の画素電極を陽極とし、対向電極を陰極とした構成について示し
た。つまり、電流源回路の端子Ａが電源線Ｗに接続され、端子Ｂがスイッチ部１０１の端
子Ｃに接続された構成を示した。しかし、発光素子１０６の画素電極を陰極とし対向電極
を陽極とした構成の表示装置にも、本実施例の構成を容易に応用することもできる。
【０２９７】
電流線ＣＬｊ、ＣＬｊ＋１に流れる基準電流を定めるために画素領域外部に設けられた
電流源（以下、参照電流源回路と表記する）を、模式的に４０４で示す。１つの参照電流
源回路４０４からの出力電流を用いて、各々の電流線ＣＬに基準電流が流れるようにする
ことができる。こうして、各電流線を流れる電流のばらつきを抑え、全ての電流線を流れ
る電流を正確に基準電流に定めることができる。参照電流源回路４０４によって定められ
る基準電流を、各電流線ＣＬ１〜ＣＬｘに入力する回路を、切り替え回路と呼び、図２２
中２４０５で示す。切り替え回路２４０５の構成例は、実施例１において図２０に示した
ものと同様の構成とすることができる。よって、切り替え回路２４０５の構成及びその設
定動作に関する説明は省略する。
【０２９８】
なお、図２２に示した画素構成の表示装置において、電流保持トランジスタ２０４と点
順次トランジスタ２０８の配置を入れ替えても良い。しかし、各画素の点順次トランジス
タ２０８は、電流保持トランジスタ２０４よりも多く、導通状態・非導通状態の切り替え
が行われる場合が多い。そのときは、電流源容量１１１に保持された電荷に影響を与えな
いように、導通状態・非導通状態の切り替えが少ない電流保持トランジスタ２０４の方が
、電流源容量１１１と接続されている構成が好ましい。なお、本実施例では、同一トラン
ジスタ方式の電流源回路の構成例を示したが、マルチゲート方式の電流源回路にも適用で
きる。すなわち、図５７（Ａ）（Ｂ）において、電流保持トランジスタ８０４と直列に、
点順次トランジスタを配置すればよい。
【実施例３】
【０２９９】
本実施例では、実施の形態２において図１４で示した画素構成において、電流線ＣＬと
信号線Ｓとを共有した例を示す。
【０３００】
図５１は、図１４において各画素毎に電流線ＣＬと信号線Ｓとを共有した構成を示す回
路図である。図５１において、図１４と同じ部分は同じ符号と用いて示し、説明は省略す
る。図５１では図１４と異なり、電流入力トランジスタ２０３が、信号線及び電流線（図
中、Ｓｊ，ＣＬｊと表記する）と、電流源トランジスタ１１２のドレイン端子との間に接
続されている。また、信号線及び電流線（Ｓｊ，ＣＬｊ）は、基準電流出力回路４０５と
、信号線駆動回路（図示せず）より信号が入力されている。信号線及び電流線（Ｓｊ，Ｃ
Ｌｊ）と基準電流出力回路４０５との接続と、信号線及び電流線（Ｓｊ，ＣＬｊ）と信号
線駆動回路との接続とは切り替えられる。
【０３０１】
図５１の画素構成を有する表示装置の駆動方法（画像表示動作及び画素の設定動作）は
、基本的には実施の形態２において、図７、図１６及び図４０のタイミングチャートを用
いて示した方法と同じである。
【０３０２】
しかし、図５１に示す画素構成では、各画素毎に信号線Ｓと電流線ＣＬを共有している
ため、画素に映像信号を入力している間、つまり、アドレス期間Ｔａの間は、どの行の画
素の設定動作も行うことができない。よって、本実施例の表示装置は、アドレス期間Ｔａ
より長い表示期間Ｔｓを有するサブフレーム期間ＳＦにおいても、非表示期間Ｔｕｓを設
ける駆動方法を用いる。そして、アドレス期間Ｔａと重ならない非表示期間Ｔｕｓにおい
て、画素の設定動作を行う。
【０３０３】
本実施例において示す図５１の構成の表示装置では、各画素毎に信号線と電流線をまと
めて１本とすることができる。こうして、実施の形態２で示した図１４の構成の表示装置
と比較して、画素の有する配線の数を減らし表示装置の開口率を上げることができる。こ
のように、信号線Ｓと電流線ＣＬをまとめることは、別の実施の形態や実施例においても
適用できる。
【実施例４】
【０３０４】
本実施例では、カレントミラー方式の電流源回路を有する画素構成であって、実施の形
態１や、実施例１において示した構成の電流源回路とは異なる構成の電流源回路を用いた
画素構成の例を挙げる。従って図４とは異なる部分について主に説明する。同様な部分は
説明を省略する。
【０３０５】
各画素に配置した電流源回路の構成例を、図３８に示す。なお、図３８において、図３
と同じ部分は、同じ符号を用いて示す。図３８において、電流源回路１０２は、電流源容
量１１１、電流源トランジスタ１１２、カレントトランジスタ１４４５、電流入力トラン
ジスタ１４４３、電流保持トランジスタ１４４４、電流線ＣＬ、信号線ＧＮ、信号線ＧＨ
とによって構成される。
【０３０６】
電流源トランジスタ１１２のゲート電極は、電流保持トランジスタ１４４４のソース・
ドレイン端子間を介してカレントトランジスタ１４４５のゲート電極と接続されている。
電流源トランジスタ１１２のゲート電極は、電流源容量１１１の一方の電極と接続されて
いる。電流源容量１１１の他方の電極は、電流源トランジスタ１１２のソース端子及びカ
レントトランジスタ１４４５のソース端子と接続され、電流源回路１０２の端子Ａに接続
されている。また、カレントトランジスタ１４４５のゲート電極とドレン端子とは接続さ
れている。電流保持トランジスタ１４４４のゲート電極は、信号線ＧＨに接続されている
。カレントトランジスタ１４４５のドレイン端子と電流線ＣＬは、電流入力トランジスタ
１４４３のソース・ドレイン端子間を介して接続されている。電流入力トランジスタ１４
４３のゲート電極は、信号線ＧＮに接続されている。また、電流源トランジスタ１１２の
ドレイン端子は端子Ｂに接続されている。
【０３０７】
なお、上記構成において、電流入力トランジスタ１４４３を、カレントトランジスタ１
４４５と端子Ａの間に配置しても良い。つまり、カレントトランジスタ１４４５のソース
端子が電流入力トランジスタ１４４３のソース・ドレイン端子間を介して端子Ａに接続さ
れ、カレントトランジスタ１４４５のドレイン端子が電流線ＣＬに接続された構成であっ
てもよい。
【０３０８】
このように、図３８と図４とは、カレントトランジスタ１４４５のゲートとドレイン端
子が直列につながっているかどうか、及び電流源トランジスタ１１２のゲートとカレント
トランジスタ１４４５のゲートとが直接接続されているかどうかが異なり、それ以外は同
様である。つまり、電流源回路の部分は画素の設定動作時には、図６１（ａ）のようにな
り発光時には、図６１（ｂ）のようになっていればよい。つまり、そのように、配線やス
イッチが接続されていればよい。よって、図７０のようになっていてもよい。
【０３０９】
図３８に示す構成の電流源回路１０２と、図１３に示す構成のスイッチ部１０１を有す
る画素１００が、ｘ列ｙ行のマトリクス状に配置した画素領域の一部の回路図を図３９に
示す。図３９において、第ｉ（ｉは自然数）行ｊ（ｊは自然数）列、第（ｉ＋１）行ｊ列
、第ｉ行（ｊ＋１）列、第（ｉ＋１）行（ｊ＋１）列の４画素のみを代表的に示す。図３
８及び図１３と同じ部分は、同じ符号を用いて示し、説明は省略する。
【０３１０】
なお、第ｉ行、第（ｉ＋１）行それぞれの画素行に対応する、走査線ＧをＧｉ、Ｇｉ＋
１、消去用信号線をＲＧｉ、ＲＧｉ＋１、信号線ＧＮをＧＮｉ、ＧＮｉ＋１、信号線ＧＨ
をＧＨｉ、ＧＨｉ＋１と表記する。また、第ｊ列、第（ｊ＋１）列それぞれの画素列に対
応する、映像信号入力線ＳをＳｊ、Ｓｊ＋１、電源線ＷをＷｊ、Ｗｊ＋１、電流線ＣＬを
ＣＬｊ、ＣＬｊ＋１、配線ＷＣＯをＷＣＯｊ、ＷＣＯｊ＋１と表記する。電流線ＣＬｊ、
ＣＬｊ＋１には、画素領域外部より基準電流が入力される。また、発光素子１０６の画素
電極は端子Ｄに接続され、対向電極は対向電位が与えられている。
【実施例５】
【０３１１】
本実施例では、カレントミラー方式の電流源回路を有する画素構成であって、実施の形
態１や、実施例１、実施例４とは異なる構成の電流源回路を用いた画素構成の例を挙げる
。本実施例では実施例４の回路に点順次トランジスタを追加することにより画素の設定動
作を点順次で行なうようにする。従って、実施例１や実施例４と同様な部分は説明を省略
する。
【０３１２】
各画素に配置した電流源回路の構成例を、図４４に示す。なお、図４４において、図３
８と同じ部分は、同じ符号を用いて示し説明は省略する。図４４において、電流源回路１
０２は、電流源容量１１１、電流源トランジスタ１１２、カレントトランジスタ１４４５
、電流入力トランジスタ１４４３、電流保持トランジスタ１４４４、電流線ＣＬ、信号線
ＧＮ、信号線ＧＨの他に、点順次トランジスタ１４４８と点順次線ＣＬＰとを有する。ま
た、点順次トランジスタ１４４８はｎチャネル型とするが、単なるスイッチとして動作す
るためｐチャネル型でもかまわない。
【０３１３】
電流源トランジスタ１１２のゲート電極は、電流保持トランジスタ１４４４のソース・
ドレイン端子間及び点順次トランジスタ１４４８のソース・ドレイン端子間を順に介して
、カレントトランジスタ１４４５のゲート電極と接続されている。電流保持トランジスタ
１４４４のゲート電極は信号線ＧＨに接続されている。点順次トランジスタ１４４８のゲ
ート電極は、点順次線ＣＬＰに接続されている。電流源トランジスタ１１２のゲート電極
は、電流源容量１１１の一方の電極と接続されている。また、カレントトランジスタ１４
４５のゲート電極とドレン端子とは接続されている。電流源容量１１１の他方の電極は、
電流源トランジスタ１１２のソース端子及びカレントトランジスタ１４４５のソース端子
と接続され、電流源回路１０２の端子Ａに接続されている。また、電流源トランジスタ１
１２のドレイン端子は、端子Ｂに接続されている。カレントトランジスタ１４４５のドレ
イン端子と電流線ＣＬは、電流入力トランジスタ１４４３のソース・ドレイン端子間を介
して接続されている。電流入力トランジスタ１４４３のゲート電極は、信号線ＧＮに接続
されている。
【０３１４】
ここで、電流保持トランジスタ１４４４と点順次トランジスタ１４４８の配置を入れ替
えても良い。カレントトランジスタ１４４５のゲート電極と電流源容量１１１とが、電流
保持トランジスタ１４４４のソース・ドレイン端子間及び点順次トランジスタ１４４８の
ソース・ドレイン端子間を順に介して、接続されている構成であっても良いし、カレント
トランジスタ１４４５のゲート電極と電流源容量１１１とが、点順次トランジスタ１４４
８のソース・ドレイン端子間及び電流保持トランジスタ１４４４のソース・ドレイン端子
間を順に介して、接続されている構成であっても良い。
【０３１５】
図４４に示す構成の電流源回路１０２と、図１３に示す構成のスイッチ部１０１を有す
る画素１００が、ｘ列ｙ行のマトリクス状に配置した画素領域の一部の回路図を図４５に
示す。図４５において、第ｉ（ｉは自然数）行ｊ（ｊは自然数）列、第（ｉ＋１）行ｊ列
、第ｉ行（ｊ＋１）列、第（ｉ＋１）行（ｊ＋１）列の画素の４画素のみを代表的に示す
。図４４及び図１３と同じ部分は、同じ符号を用いて示し説明は省略する。
【０３１６】
なお、第ｉ行、第（ｉ＋１）行それぞれの画素行に対応する、走査線ＧをＧｉ、Ｇｉ＋
１、消去用信号線をＲＧｉ、ＲＧｉ＋１、信号線ＧＮをＧＮｉ、ＧＮｉ＋１、信号線ＧＨ
をＧＨｉ、ＧＨｉ＋１と表記する。また、第ｊ列、第（ｊ＋１）列それぞれの画素列に対
応する、映像信号入力線ＳをＳｊ、Ｓｊ＋１、電源線ＷをＷｊ、Ｗｊ＋１、電流線ＣＬを
ＣＬｊ、ＣＬｊ＋１、配線ＷＣＯをＷＣＯｊ、ＷＣＯｊ＋１、点順次線ＣＬＰをＣＬＰｊ
、ＣＬＰｊ＋１と表記する。電流線ＣＬｊ、ＣＬｊ＋１には、画素領域外部より基準電流
が入力される。また、発光素子１０６の画素電極は、端子Ｄに接続され、対向電極は、対
向電位が与えられている。
【実施例６】
【０３１７】
本実施例では、同一トランジスタ方式の電流源回路を有する画素構成であって、実施の
形態２において示した構成の電流源回路とは異なる構成の電流源回路を用いた画素構成の
例を挙げる。従って、実施の形態２とは異なる部分について主に説明する。同様な部分に
ついては説明を省略する。
【０３１８】
各画素に配置した電流源回路の構成例を、図４１に示す。なお、図４１において、図３
と同じ部分は同じ符号を用いて示す。図４１において、電流源回路１０２は、電流源容量
１１１、電流源トランジスタ１１２、電流入力トランジスタ１４８３、電流保持トランジ
スタ１４８４、電流基準トランジスタ１４８８、発光トランジスタ１４８６、電流線ＣＬ
、信号線ＧＮ、信号線ＧＨ、信号線ＧＣ、信号線ＧＥ、電流基準線ＳＣＬとによって構成
される。
【０３１９】
図４１において、電流源トランジスタ１１２をｐチャネル型とした例を示す。なお、電
流源トランジスタ１１２をｎチャネル型とする場合も、図３（Ｃ）に示した構造に従って
容易に応用することができる。そのときの回路図を図２５に示す。電流入力トランジスタ
１４８３、電流保持トランジスタ１４８４、電流基準トランジスタ１４８８、発光トラン
ジスタ１４８６はｎチャネル型とするが、単なるスイッチとして動作するためｐチャネル
型でもかまわない。
【０３２０】
図４１において、電流源トランジスタ１１２のゲート電極と、電流源容量１１１の一方
の電極は接続されている。また、電流源容量１１１の他方の電極は、電流源トランジスタ
１１２のソース端子と接続されている。電流源トランジスタ１１２のソース端子が、発光
トランジスタ１４８６のソース・ドレイン端子間を介して、電流源回路１０２の端子Ａに
接続されている。
【０３２１】
電流源トランジスタ１１２のゲート電極とドレイン端子は、電流保持トランジスタ１４
８４のソース・ドレイン端子間を介して、接続されている。電流保持トランジスタ１４８
４のゲート電極は、信号線ＧＨに接続されている。電流源トランジスタ１１２のドレイン
端子と電流基準線ＳＣＬは、電流基準トランジスタ１４８８のソース・ドレイン端子間を
介して接続されている。電流基準トランジスタ１４８８のゲート電極は、信号線ＧＣに接
続されている。電流源トランジスタ１１２のソース端子と電流線ＣＬは、電流入力トラン
ジスタ１４８３のソース・ドレイン端子間を介して接続されている。電流入力トランジス
タ１４８３のゲート電極は、信号線ＧＮに接続されている。また、電流源トランジスタ１
１２のドレイン端子は、端子Ｂに接続されている。
【０３２２】
また、上記構成において、電流保持トランジスタ１４８４のソース端子及びドレイン端
子の、電流源トランジスタ１１２のゲート電極と接続されていない側が、電流基準線ＳＣ
Ｌに直接接続されている構成でも良い。なお、これに限定されず、電流保持トランジスタ
１４８４は、導通状態となった際に、電流源トランジスタ１１２のゲート電極の電位を電
流基準線ＳＣＬの電位と等しくするように接続されていれば良い。
【０３２３】
つまり図６５のように、画素の設定動作時には図６５（ａ）となり、画像表示時には図
６５（ｂ）となっていればよい。つまり、そのように、配線やスイッチが接続されていれ
ばよい。従って図７1のようになっていてもよい。
【０３２４】
また、電流源トランジスタ１１２と端子Ｂが新たなトランジスタ（ここでは、電流停止
トランジスタと呼ぶ）を介して接続される構成であってもよい。このトランジスタは、電
流基準トランジスタ１４８８が導通状態のとき非導通状態となり、非導通状態のとき導通
状態となる。またあるいは、電流基準トランジスタ１４８８と電流基準線ＳＣＬを省いて
もよい。その場合は、画素の設定動作時には、端子Ｂを通って発光素子１０６へ電流が流
れていくことになる。
【０３２５】
次に、本実施例のスイッチ部の構成について述べる。スイッチ部の構成としては、実施
の形態１において図１３等に示したものと同様の構成とし説明は省略する。ただし、消去
トランジスタ３０４は、他のトランジスタ、例えば、発光トランジスタ１４８６や電流停
止トランジスタなどと兼用することができる。
【０３２６】
図４１に示した構成の電流源回路１０２と、図１３に示した構成のスイッチ部１０１を
有する画素１００が、マトリクス状に配置した画素領域の一部の回路図を、図４２に示す
。なお、本発明では、図１において、電流源回路とスイッチ部の接続を入れ替えてもよい
。つまり、電源線とスイッチ部１０１がつながり、それに電流源回路１０２がつながって
いてもよい。従って、図４１のように、電源線−電流源回路−スイッチ部−発光素子とい
う接続法だけでなく、例えば、電源線−スイッチ部−電流源回路−発光素子という接続法
にしてもよい。
【０３２７】
図４２において、第ｉ行ｊ列、第（ｉ＋１）行ｊ列、第ｉ行（ｊ＋１）列、第（ｉ＋１
）行（ｊ＋１）列の画素の４画素のみを代表的に示す。図４１及び図１３と同じ部分は、
同じ符号を用いて示し、説明は省略する。なお、第ｉ行、第（ｉ＋１）行それぞれの画素
行に対応する、走査線をＧｉ、Ｇｉ＋１、消去用信号線をＲＧｉ、ＲＧｉ＋１、信号線Ｇ
ＮをＧＮｉ、ＧＮｉ＋１、信号線ＧＨをＧＨｉ、ＧＨｉ＋１、信号線ＧＣをＧＣｉ、ＧＣ
ｉ＋１、信号線ＧＥをＧＥｉ、ＧＥｉ＋１と表記する。また、第ｊ列、第（ｊ＋１）列そ
れぞれの画素列に対応する、映像信号入力線ＳをＳｊ、Ｓｊ＋１、電源線ＷをＷｊ、Ｗｊ
＋１、電流線ＣＬをＣＬｊ、ＣＬｊ＋１、電流基準線ＳＣＬをＳＣＬｊ、ＳＣＬｊ＋１、
配線ＷＣＯをＷＣＯｊ、ＷＣＯｊ＋１と表記する。電流線ＣＬｊ、ＣＬｊ＋１には、画素
領域外部より基準電流が入力される。
【０３２８】
発光素子１０６の画素電極は端子Ｄに接続され、対向電極は対向電位が与えられている
。図４２では、発光素子の画素電極を陽極とし、対向電極を陰極とした構成について示し
た。つまり、電流源回路の端子Ａが電源線Ｗに接続され、端子Ｂがスイッチ部１０１の端
子Ｃに接続された構成を示した。しかし、発光素子１０６の画素電極を陰極とし、対向電
極を陽極とした構成の表示装置にも、本実施例の構成を容易に応用することもできる。
【０３２９】
また図４２において、駆動トランジスタ３０２は、単なるスイッチとして機能するので
ｎチャネル型でもｐチャネル型でもどちらでも良い。ただし、駆動トランジスタ３０２は
、そのソース端子の電位が固定された状態で動作するのが好ましい。そのため、図４２に
示すような発光素子１０６の画素電極を陽極とし、対向電極を陰極とした構成では、駆動
トランジスタ３０２はｐチャネル型のほうが好ましい。一方、発光素子１０６の画素電極
を陰極とし、対向電極を陽極とした構成では、駆動トランジスタ３０２はｎチャネル型の
ほうが好ましい。なお、図４２において、各画素の配線ＷＣＯと電源線Ｗとは、同じ電位
に保たれていてもよいため、共用することができる。また、異なる画素間の配線ＷＣＯ同
士、電源線Ｗ同士、配線ＷＣＯと電源線Ｗも共用することができる。
【０３３０】
また、電流基準線ＳＣＬは、信号線や走査線ような別の配線と共用することにより、削
除することも可能である。このとき、自分の行の配線でも、別の行の配線でも、どちらで
もよい。つまり、電流基準線ＳＣＬとして使用しないとき（画素の設定動作を行っていな
いとき）に、例えばパルス信号が入力されることがあっても、電流基準線ＳＣＬとして使
用するとき（画素の設定動作を行っているとき）に、ある一定の電位にあるような配線な
ら、どのような配線でも共用できる。
【０３３１】
なお、前述した構成のスイッチ部や電流源回路を有する画素において、各配線を共有す
る具体例を図７６、図７７に示す。図７６（Ａ）〜（Ｄ）及び図７７（Ａ）〜（Ｄ）にお
いて、信号線ＧＮと信号線ＧＣは共有され、配線ＷＣＯと電源線Ｗは共有されている。ま
た、発光トランジスタ１４８６は、消去トランジスタ３０４を用いることによって省略し
ている。特に、図７６（Ａ）では、電流保持トランジスタ１４８４のソース端子又はドレ
イン端子で、電流源容量１１１の一方の電極と接続されていない側は、電流基準線ＳＣＬ
に直接接続されている。消去トランジスタ３０４が電流源トランジスタ１１２及び駆動ト
ランジスタ３０２と直列に接続されている。図７６（Ｃ）では、図７６（Ａ）に示した構
成とは、電流基準トランジスタ１４８８及び電流入力トランジスタ１４８３の極性が異な
っている。なお、信号線ＧＨも信号線ＧＣ及び信号線ＧＮと共有されている。図７６（Ｄ
）では、電源線Ｗがスイッチ部１０１、電流源回路１０２を順に介して発光素子１０６と
接続される構成である。図７７（Ａ）では、電流源トランジスタ１１２はｎチャネル型で
ある。図７７（Ｂ）では、電流源トランジスタ１１２はｎチャネル型であり、電流保持ト
ランジスタ１４８４のソース端子又はドレイン端子で、電流源容量１１１の一方の電極と
接続されていない側は、電流線ＣＬに直接接続されている。図７７（Ｃ）では、図７７（
Ｂ）に示した構成とは、電流基準トランジスタ１４８８及び電流入力トランジスタ１４８
３の極性が異なっている。なお、信号線ＧＨも信号線ＧＣ及び信号線ＧＮと共有されてい
る。図７７（Ｄ）では、電流基準線ＳＣＬのかわりに、１本前の走査線Ｇｉ−１を用いて
いる。このように、配線の共有、トランジスタの共有や極性や位置、スイッチ部と電流源
回路の位置、スイッチ部や電流源回路の中の構成、などをいろいろと変えて、さらに、そ
の組み合わせ方を変えることにより、容易に様々な回路を実現できる。よって、図７６、
図７７の回路例に限定されず、様々な回路例を構成できる。
【０３３２】
基準電流出力回路４０５や参照電流源回路４０４に関しては、実施の形態１において説
明したものと同様であり説明は省略する。
【０３３３】
図４２に示した構成の画素を有する表示装置の駆動方法を説明する。画像表示動作につ
いては実施の形態１において図７を用いて説明したのと同様である。異なるのは、発光ト
ランジスタ１４８６、電流入力トランジスタ１４８３及び電流基準トランジスタ１４８８
についての動作である。
【０３３４】
点灯期間中は発光トランジスタ１４８６が導通状態となって、電流入力トランジスタ１
４８３が非導通状態となっている。画素への設定期間中は発光トランジスタ１４８６が非
導通状態となって電流入力トランジスタ１４８３が導通状態となっている。非点灯期間中
は（ただし画素への設定期間中は除く）、電流入力トランジスタ１４８３は非導通状態で
あり、発光トランジスタ１４８６はどちらでもよい。なお、発光トランジスタ１４８６を
消去トランジスタと兼用にして、発光トランジスタ１４８６を非導通状態にしてもよい。
そして、電流基準トランジスタ１４８８が存在する場合は、点灯期間中には電流基準トラ
ンジスタ１４８８は非導通状態になっている必要がある。その理由は電流基準線ＳＣＬの
方に電流が流れてしまい、発光素子に流れる電流量が変わってしまうためである。
【０３３５】
非点灯期間中は電流基準トランジスタ１４８８の状態は導通してもしていなくてもどち
らでもよい。ただし、電流基準線ＳＣＬと発光素子１０６の対向電極の電圧を調整するこ
とにより、発光素子１０６に逆バイアス電圧が加わるようにすることができる。
【０３３６】
また、もし電流源トランジスタ１１２と端子Ｂの間に新たなトランジスタ（ここでは、
電流停止トランジスタと呼ぶ）が入っている場合は、点灯期間中には、電流停止トランジ
スタは導通状態にしておく必要がある。なぜなら非導通状態にしておくと、発光素子１０
６に電流が流れないからである。また、画素の設定期間中は電流停止トランジスタは非導
通状態にしておく。非点灯期間中は、電流停止トランジスタは導通していてもいなくても
どちらでもよいが非導通状態にすることにより、消去トランジスタと兼用することができ
る。以上の点を除けば、実施の形態１と同様である。
【０３３７】
次に、画素の設定動作を説明する。これは、実施の形態２とほとんど同じである。例と
して、第ｉ行の画素に設定動作が行なわれるとする。電流線ＣＬに基準電流Ｉ０が流れる
。基準電流Ｉ０は、電流入力トランジスタ１４８３、電流源トランジスタ１１２、電流基
準トランジスタ１４８８が導通状態となるので、それらを介して、電流線ＣＬと電流基準
線ＳＣＬとの間を流れる。なお、このとき発光トランジスタ１４８６は非導通状態となっ
ている。また、端子Ｂにより先には、電流が流れないような状態になっているとする。あ
るいは、電流停止トランジスタがある場合はそれが非導通状態となり、端子Ｂより先には
電流が流れないようにする。こうして、電流源トランジスタ１１２に基準電流Ｉ０が流れ
る。電流源トランジスタ１１２のゲート電極とドレイン端子とは、導通状態となった電流
保持トランジスタ１４８４を介して接続されている。そのため、電流源トランジスタ１１
２は、ゲート・ソース間電圧（ゲート電圧）と、ソース・ドレイン間電圧が等しい状態、
つまり、飽和領域で動作し、ドレイン電流を流す。電流源トランジスタ１１２を流れるド
レイン電流は、電流線ＣＬを流れる基準電流Ｉ０に定まる。こうして、電流源容量１１１
は、電流源トランジスタ１１２が基準電流Ｉ０を流す際のゲート電圧を保持する。
【０３３８】
なお、電流基準線ＳＣＬと電流基準トランジスタ１４８８がない場合は、Ｉ０は端子Ｂ
から先に流れていく。よって、その場合は発光素子１０６に流れていくことになる。もし
、長期間流れると輝度に影響を与えてしまうため望ましくない。またＩ０が発光素子１０
６に流れると、発光素子１０６の電位を変化させるのに多くの時間がかかる。その結果画
素の設定動作にも時間がかかる。
【０３３９】
電流線ＣＬに流れる基準電流Ｉ０に対応した電荷を電流源容量１１１が保持し終わると
、信号線ＧＨｉの信号が変化し、電流保持トランジスタ１４８４が非導通状態となる。こ
れにより、画素の電流源容量１１１に電荷が保持される。この後、信号線ＧＮｉ及び信号
線ＧＣｉの信号が変化し、第ｉ行の画素の電流入力トランジスタ１４８３及び電流基準ト
ランジスタ１４８８は非導通状態となる。こうして、第ｉ行の画素の電流源トランジスタ
１１２は、ゲート電圧が保持されたまま、電流線ＣＬ及び電流基準線ＳＣＬとの接続が切
断される。また同時に、信号線ＧＥｉの信号が変化し、発光トランジスタ１４８６は導通
状態となる。
【０３４０】
この様にして、第ｉ行の各画素の設定動作が行われる。その後、各画素の電流源回路１
０２において、端子Ａと端子Ｂの間に電圧が印加されると、電流源トランジスタ１１２の
ソース・ドレイン間には、基準電流（画素基準電流）が流れる。
【０３４１】
なお、図４２で示した画素部の構成において、信号線ＧＮ、信号線ＧＨ、信号線ＧＣ、
信号線ＧＥ、走査線Ｇ、消去用信号線ＲＧなどは、駆動のタイミングなどを考慮して共有
することができる。例えば、信号線ＧＨｉと信号線ＧＮｉとを共有することができる。こ
の場合、電流入力トランジスタ１４８３を非導通状態とするタイミングと電流保持トラン
ジスタ１４８４を非導通状態とするタイミングが全く同じであり、画素の設定動作上問題
ない。
【０３４２】
別の例としては、信号線ＧＥｉと信号線ＧＮｉとを共有することができる。この場合、
電流入力トランジスタ１４８３の極性と異なる極性の発光トランジスタ１４８６を用いる
。こうして、電流入力トランジスタ１４８３のゲート電極と発光トランジスタ１４８６の
ゲート電極に同じ信号を入力した際に、一方のトランジスタを導通状態とし、他方のトラ
ンジスタを非導通状態とすることができる。また、電流停止トランジスタを追加した場合
は、それと電流基準トランジスタ１４８８の極性を逆にして、ゲート電極同士を接続する
ことにより配線を共有できる。
【実施例７】
【０３４３】
マルチゲート方式２の電流源回路について述べる。なお、説明には図５８を参照する。
図５８（Ａ）において図３と同じ部分は同じ符号を用いて示す。
【０３４４】
マルチゲート方式２の電流源回路の構成要素について説明する。マルチゲート方式２の
電流源回路は、電流源トランジスタ１１２と発光トランジスタ８８６を有する。また、ス
イッチとして機能する電流入力トランジスタ８８３、電流保持トランジスタ８８４、電流
基準トランジスタ８８８を有する。ここで、電流源トランジスタ１１２、発光トランジス
タ８８６、電流入力トランジスタ８８３、電流保持トランジスタ８８４、電流基準トラン
ジスタ８８８は、ｐチャネル型でもｎチャネル型でもよい。但し、電流源トランジスタ１
１２と発光トランジスタ８８６は、同じ極性である必要がある。ここでは、電流源トラン
ジスタ１１２及び発光トランジスタ８８６がｎチャネル型の例を示す。電流源トランジス
タ１１２と発光トランジスタ８８６は、電流特性が等しいことが望まれる。さらに、電流
源トランジスタ１１２のゲート電位を保持する電流源容量１１１を有する。また、電流入
力トランジスタ８８３のゲート電極に信号を入力する信号線ＧＮと、電流保持トランジス
タ８８４のゲート電極に信号を入力する信号線ＧＨを有する。更に、制御信号が入力され
る電流線ＣＬと、一定の電位に保たれる電流基準線ＳＣＬとを有する。なお、電流源容量
１１１は、トランジスタのゲート容量などを利用することにより省略することが可能であ
る。
【０３４５】
これらの構成要素の接続関係を説明する。電流源トランジスタ１１２のソース端子は端
子Ｂに接続されている。電流源トランジスタ１１２のソース端子は、電流基準トランジス
タ８８８を介して電流基準線ＳＣＬに接続されている。電流源トランジスタ１１２のドレ
イン端子は、発光トランジスタ８８６のソース端子に接続されている。電流源トランジス
タ１１２のドレイン端子は、電流入力トランジスタ８８３を介して電流線ＣＬに接続され
ている。電流源トランジスタ１１２のゲート電極とソース端子は、電流源容量１１１を介
して接続されている。電流源トランジスタ１１２のゲート電極と発光トランジスタ８８６
のゲート電極は接続され、電流保持トランジスタ８８４を介して電流線ＣＬと接続されて
いる。発光トランジスタ８８６のドレイン端子は、端子Ａに接続されている。
【０３４６】
なお、図５８（Ａ）において、電流保持トランジスタ８８４の配置を変え、図５８（Ｂ
）に示すような回路構成としてもよい。図５８（Ｂ）では、電流保持トランジスタ８８４
は、電流源トランジスタ１１２のゲート電極とドレイン端子の間に接続されている。
【０３４７】
次いで、上記マルチゲート方式２の電流源回路の設定方法について説明する。なお図５
８（Ａ）と図５８（Ｂ）では、その設定動作は同様である。ここでは図５８（Ａ）に示す
回路を例に、その設定動作について説明する。説明には図５８（Ｃ）〜図５８（Ｆ）を用
いる。マルチゲート方式２の電流源回路では、図５８（Ｃ）〜図５８（Ｆ）の状態を順に
経て設定動作が行われる。説明では簡単のため、電流入力トランジスタ８８３、電流保持
トランジスタ８８４、電流基準トランジスタ８８８をスイッチとして表記した。ここで、
電流源回路を設定する制御信号は、制御電流である例を示す。また図において、電流が流
れる経路を太矢印で示す。
【０３４８】
図５８（Ｃ）に示す期間ＴＤ１において、電流入力トランジスタ８８３、電流保持トラ
ンジスタ８８４及び電流基準トランジスタ８８８を導通状態とする。なお、この際発光ト
ランジスタ８８６は非導通状態である。これは、導通状態となった電流保持トランジスタ
８８４及び電流入力トランジスタ８８３によって、発光トランジスタ８８６のソース端子
とゲート電極の電位が等しく保たれているためである。つまり、ソース・ゲート間電圧が
ゼロのとき非導通状態となるトランジスタを発光トランジスタ８８６に用いれば、期間Ｔ
Ｄ１において発光トランジスタ８８６を自動的に非導通状態とすることができる。こうし
て、図示した経路より電流が流れて、電流源容量１１１に電荷が保持される。
【０３４９】
図５８（Ｄ）に示す期間ＴＤ２において、保持された電荷によって電流源トランジスタ
１１２のゲート・ソース間電圧が閾値電圧以上となる。すると、電流源トランジスタ１１
２にドレイン電流が流れる。
【０３５０】
図５８（Ｅ）に示す期間ＴＤ３において、十分時間が経過し定常状態となると、電流源
トランジスタ１１２のドレイン電流が制御電流に定まる。こうして、制御電流をドレイン
電流とする際のゲート電圧が、電流源容量１１１に保持される。その後、電流保持トラン
ジスタ８８４が非導通状態となると、電流源容量１１１に保持された電荷が発光トランジ
スタ８８６のゲート電極にも分配される。こうして、電流保持トランジスタ８８４が非導
通状態となると同時に、自動的に発光トランジスタ８８６が導通状態となる。
【０３５１】
図５８（Ｆ）に示す期間ＴＤ４において、電流基準トランジスタ８８８及び電流入力ト
ランジスタ８８３が非導通状態となる。こうして、画素に制御電流が入力されなくなる。
なお、電流保持トランジスタ８８４を非導通状態とするタイミングは、電流入力トランジ
スタ８８３を非導通状態とするタイミングに対して、早いか又は同時であることが好まし
い。これは、電流源容量１１１に保持された電荷を放電させないようにするためである。
期間ＴＤ４の後、端子Ａと端子Ｂの間の電圧が印加されると、電流源トランジスタ１１２
及び発光トランジスタ８８６を介して、一定の電流が出力される。つまり、電流源回路１
０２が制御電流を出力する際は、電流源トランジスタ１１２と発光トランジスタ８８６が
、１つのマルチゲート型トランジスタのように機能する。そのため、入力する制御電流に
対して、出力する一定電流の値を小さく設定することができる。こうして、電流源回路の
設定動作を速くすることができる。そのため、発光トランジスタ８８６と電流源トランジ
スタ１１２の極性は同じとする必要がある。発光トランジスタ８８６と電流源トランジス
タ１１２の電流特性は同じとすることが望ましい。これは、マルチゲート方式２を有する
各電流源回路１０２において、発光トランジスタ８８６と電流源トランジスタ１１２の特
性が揃っていない場合、出力電流にばらつきを生じるためである。
【０３５２】
なお、マルチゲート方式２の電流源回路では、制御電流が入力され対応するゲート電圧
に変換するトランジスタ（電流源トランジスタ１１２）も用いて、電流源回路１０２から
の電流を出力している。カレントミラー方式の電流源回路では、制御電流が入力され対応
するゲート電圧に変換するトランジスタ（カレントトランジスタ）と、該ゲート電圧をド
レイン電流に変換するトランジスタ（電流源トランジスタ）が全く別であった。よって、
カレントミラー方式の電流源回路よりは、トランジスタの電流特性ばらつきが電流源回路
１０２の出力電流へ与える影響を低減することができる。
【０３５３】
なお、設定動作の際の期間ＴＤ１〜期間ＴＤ３において端子Ｂに電流を流す場合は、電
流基準線ＳＣＬ及び電流基準トランジスタ８８８は必要ない。或いは、電流基準線ＳＣＬ
は、走査線ような別の配線と共用することにより、削除することも可能である。このとき
、自行の配線でも他行の配線でもどちらでもよい。つまり、電流基準線ＳＣＬとして使用
しないとき（画素の設定動作を行っていないとき）に、例えばパルス信号が入力されるこ
とがあっても、電流基準線ＳＣＬとして使用するとき（画素の設定動作を行っているとき
）に、ある一定の電位にあるような配線ならどのような配線でも共用できる。
【０３５４】
マルチゲート方式２の電流源回路の各信号線は、共有することができる。例えば、電流
入力トランジスタ８８３と電流保持トランジスタ８８４は、同じタイミングで導通状態・
非導通状態が切り替えられれば動作上問題無い。そのため、電流入力トランジスタ８８３
と電流保持トランジスタ８８４の極性を同じとし、信号線ＧＨと信号線ＧＮを共有するこ
とができる。また、電流基準トランジスタ８８８と電流入力トランジスタ８８３は、同じ
タイミングで導通状態・非導通状態が切り替えられれば動作上問題無い。そのため、電流
基準トランジスタ８８８と電流入力トランジスタ８８３の極性を同じとし、信号線ＧＮと
信号線ＧＣを共有することができる。
【０３５５】
マルチゲート方式２において、電流源回路の部分は画素の設定動作時には、図６４（ａ
）のようになり発光時には、（ｂ）のようになっていればよい。つまり、そのように、配
線やスイッチが接続されていればよい。よって、図６９のようになっていてもよい。なお
、前述した構成のスイッチ部や電流源回路を有する画素において、各配線を共有する具体
例を図７５に示す。図７５（Ａ）〜（Ｄ）において、信号線ＧＮと信号線ＧＣは共有され
、配線ＷＣＯと電源線Ｗは共有されている。特に、図７５（Ａ）では、電流保持トランジ
スタ８８４のソース端子又はドレイン端子で、電流源容量１１１の一方の電極と接続され
ていない側は、電流線ＣＬに直接接続されている。また、消去トランジスタ３０４が電流
源トランジスタ１１２及び駆動トランジスタ３０２と直列に接続されている。図７５（Ｂ
）では、電流源トランジスタ１１２のソース端子と駆動トランジスタ３０２のソース端子
又はドレイン端子との接続を選択する位置に、消去トランジスタ３０４が接続されている
。図７５（Ｃ）では、図７５（Ｂ）に示した構成とは、電流入力トランジスタ８８３と電
流基準トランジスタ８８８の極性が異なっている。なお、信号線ＧＨも信号線ＧＣ及び信
号線ＧＮと共有されている。図７５（Ｄ）では、電源線Ｗがスイッチ部１０１、電流源回
路１０２を順に介して発光素子１０６と接続される構成である。なお、電流基準線ＳＣＬ
の電位を調節することにより、電流基準トランジスタ８８８がオンのとき、発光素子１０
６に逆バイアス電圧を加えることができる。このように、配線の共有、トランジスタの共
有や極性や位置、スイッチ部と電流源回路の位置、スイッチ部や電流源回路の中の構成、
などをいろいろと変えて、さらに、その組み合わせを変えることにより容易に様々な回路
を実現できる。
【０３５６】
実施の形態１で示したようなカレントミラー方式の電流源回路では、発光素子に入力さ
れる信号は、画素に入力される制御電流を所定の倍率で増減した電流である。そのため、
制御電流をある程度大きく設定することが可能となる。よって、各画素の電流源回路の設
定動作を早く行うことが可能である。しかし、電流源回路が有するカレントミラー回路を
構成するトランジスタの電流特性がばらつくと、画像表示がばらつく問題がある。
【０３５７】
一方、同一トランジスタ方式の電流源回路では、発光素子に入力される信号は、画素に
入力される制御電流の電流値と等しい。同一トランジスタ方式の電流源回路では、制御電
流が入力されるトランジスタと、発光素子に電流を出力するトランジスタが同一である。
そのため、トランジスタの電流特性のばらつきによる画像むらは低減される。
【０３５８】
これに対してマルチゲート方式の電流源回路では、発光素子に入力される信号は、画素
に入力される制御電流を所定の倍率で増減した電流である。そのため、制御電流をある程
度大きく設定することが可能となる。よって、各画素の電流源回路の設定動作を早く行う
ことが可能である。また、制御電流が入力されるトランジスタと、発光素子に電流を出力
するトランジスタの一部を共有している。そのため、トランジスタの電流特性のばらつき
による画像むらは、カレントミラー方式の電流源回路と比較して低減される。
【０３５９】
次いで、マルチゲート方式の電流源回路の場合の設定動作と、スイッチ部の動作との関
連を以下に示す。マルチゲート方式の電流源回路の場合、制御電流が入力される間は、一
定電流を出力することができない。そのため、スイッチ部の動作と電流源回路の設定動作
を同期させて行う必要が生じる。例えば、スイッチ部がオフの状態にのみ、電流源回路の
設定動作を行うことが可能である。つまり、同一トランジスタ方式とほぼ同様である。従
って、画像表示動作（スイッチ部の駆動動作）と、電流源回路の設定動作（画素の設定動
作）も、同一トランジスタ方式とほぼ同様であるため説明は省略する。
【実施例８】
【０３６０】
本実施例では、同一トランジスタ方式の電流源回路を有する画素構成であって、実施例
６で述べた回路を点順次可能にした場合について説明する。従って、重複する部分の説明
を省略する。
【０３６１】
各画素に配置した電流源回路の構成例を、図４７に示す。なお、図４７において、図４
１と同じ部分は、同じ符号を用いて示し説明は省略する。図４７において、電流源回路１
０２は、電流源容量１１１、電流源トランジスタ１１２、電流入力トランジスタ１４８３
、電流保持トランジスタ１４８４、電流基準トランジスタ１４８８、発光トランジスタ１
４８６、電流線ＣＬ、信号線ＧＮ、信号線ＧＨ、信号線ＧＣ、信号線ＧＥ、電流基準線Ｓ
ＣＬの他に、点順次トランジスタ１４９０と点順次線ＣＬＰとを有する。また、点順次ト
ランジスタ１４９０はｎチャネル型とするが、単なるスイッチとして動作するためｐチャ
ネル型でもかまわない。
【０３６２】
電流源トランジスタ１１２のゲート電極は、電流源容量１１１の一方の電極は接続され
ている。また、電流源容量１１１の他方の電極は、電流源トランジスタ１１２のソース端
子と接続されている。電流源トランジスタ１１２のソース端子が、発光トランジスタ１４
８６のソース・ドレイン端子間を介して、電流源回路１０２の端子Ａに接続されている。
【０３６３】
電流源トランジスタ１１２のゲート電極は、そのドレイン端子と、電流保持トランジス
タ１４８４のソース・ドレイン端子間及び点順次トランジスタ１４９０のソース・ドレイ
ン端子間を順に介して、接続されている。電流保持トランジスタ１４８４のゲート電極は
、信号線ＧＨに接続されている。点順次トランジスタ１４９０のゲート電極は、点順次線
ＣＬＰに接続されている。電流源トランジスタ１１２のドレイン端子と電流基準線ＳＣＬ
は、電流基準トランジスタ１４８８のソース・ドレイン端子間を介して接続されている。
電流基準トランジスタ１４８８のゲート電極は、信号線ＧＣに接続されている。電流源ト
ランジスタ１１２のソース端子と電流線ＣＬは、電流入力トランジスタ１４８３のソース
・ドレイン端子間を介して接続されている。電流入力トランジスタ１４８３のゲート電極
は、信号線ＧＮに接続されている。また、電流源トランジスタ１１２のドレイン端子は、
端子Ｂに接続されている。
【０３６４】
上記構成において、点順次トランジスタ１４９０のソース端子及びドレイン端子の電流
保持トランジスタ１４８４のソース及びドレイン端子と接続されていない側が、電流基準
線ＳＣＬに直接接続された構成であっても良い。勿論、これに限定されず、電流保持トラ
ンジスタ１４８４及び点順次トランジスタ１４９０は、その両方共が導通状態となった際
に、電流源トランジスタ１１２のゲート電極の電位を電流基準線ＳＣＬの電位と等しくす
るように接続されていれば良い。
【０３６５】
電流保持トランジスタ１４８４と点順次トランジスタ１４９０の配置を入れ替えても良
い。電流源容量１１１は、電流保持トランジスタ１４８４のソース・ドレイン端子間及び
点順次トランジスタ１４９０のソース・ドレイン端子間を順に介して、電流源トランジス
タ１１２のドレイン端子と接続されている構成であっても良いし、電流源容量１１１は、
点順次トランジスタ１４９０のソース・ドレイン端子間及び電流保持トランジスタ１４８
４のソース・ドレイン端子間を順に介して、電流源トランジスタ１１２のドレイン端子と
接続されている構成であっても良い。
【０３６６】
図４７に示す構成の電流源回路１０２と、図１３に示す構成のスイッチ部１０１を有す
る画素１００が、ｘ列ｙ行のマトリクス状に配置した画素領域の一部の回路図を図４８に
示す。図４８において、第ｉ行ｊ列、第（ｉ＋１）行ｊ列、第ｉ行（ｊ＋１）列、第（ｉ
＋１）行（ｊ＋１）列の４画素のみを代表的に示す。図４１及び図１３と同じ部分は、同
じ符号を用いて示し、説明は省略する。
【０３６７】
なお、第ｉ行、第（ｉ＋１）行それぞれの画素行に対応する、走査線をＧｉ、Ｇｉ＋１
、消去用信号線をＲＧｉ、ＲＧｉ＋１、信号線ＧＮをＧＮｉ、ＧＮｉ＋１、信号線ＧＨを
ＧＨｉ、ＧＨｉ＋１、信号線ＧＣをＧＣｉ、ＧＣｉ＋１、信号線ＧＥをＧＥｉ、ＧＥｉ＋
１と表記する。また、第ｊ列、第（ｊ＋１）列それぞれの画素列に対応する、映像信号入
力線ＳをＳｊ、Ｓｊ＋１、電源線ＷをＷｊ、Ｗｊ＋１、電流線ＣＬをＣＬｊ、ＣＬｊ＋１
、電流基準線ＳＣＬをＳＣＬｊ、ＳＣＬｊ＋１、配線ＷＣＯをＷＣＯｊ、ＷＣＯｊ＋１、
点順次線ＣＬＰをＣＬＰｊ、ＣＬＰｊ＋１と表記する。電流線ＣＬｊ、ＣＬｊ＋１には、
画素領域外部より基準電流が入力される。１０６は発光素子である。発光素子１０６の画
素電極は端子Ｄに接続され、対向電極は、対向電位が与えられている。なお、本実施例で
は、同一トランジスタ方式の電流源回路の構成例を示したが、マルチゲート方式の電流源
回路にも適用できる。すなわち、図５８（Ａ）（Ｂ）において、電流保持トランジスタ８
８４と直列に点順次トランジスタを配置すればよい。
【実施例９】
【０３６８】
本実施例では、実施の形態２において図１４で示した画素構成に関し、各画素の電流源
トランジスタ１１２をｎチャネル型で構成した例を示す。ここでは、発光素子１０６の画
素電極を陽極とし、対向電極を陰極とした例を示す。従って実施の形態２と重複する部分
の説明は省略する。
【０３６９】
図５２に、本実施例の画素構成を示す回路図を示す。なお、図５２において、図１４と
同じ部分は同じ符号を用いて示す。図５２において電流源回路１０２は、電流源容量１１
１、電流源トランジスタ１１２、電流入力トランジスタ２０３、電流保持トランジスタ２
０４、電流停止トランジスタ２０５、電流線ＣＬ、信号線ＧＮ、信号線ＧＨ、信号線ＧＳ
とによって構成される。
【０３７０】
電流源トランジスタ１１２のゲート電極と、電流源容量１１１の一方の電極は接続され
ている。また、電流源容量１１１の他方の電極は、電流源トランジスタ１１２のソース端
子と接続されている。電流源トランジスタ１１２のソース端子が電流停止トランジスタ２
０５を介して、電流源回路１０２の端子Ｂに接続されている。電流停止トランジスタ２０
５のゲート電極は、信号線ＧＳに接続されている。
【０３７１】
電流源トランジスタ１１２のゲート電極とドレイン端子は、電流保持トランジスタ２０
４のソース・ドレイン端子間を介して、接続されている。電流保持トランジスタ２０４の
ゲート電極は、信号線ＧＨに接続されている。電流源トランジスタ１１２のソース端子と
電流線ＣＬは、電流入力トランジスタ２０３のソース・ドレイン端子間を介して接続され
ている。電流入力トランジスタ２０３のゲート電極は、信号線ＧＮに接続されている。ま
た、電流源トランジスタ１１２のドレイン端子は、端子Ａに接続されている。
【０３７２】
この際図３で説明したように、電流源容量１１１の接続先を変更してもよい。つまり、
画素への設定動作により電流源容量１１１の保持したＶｇｓと実際に発光するときのＶｇ
ｓがかわらないようにすればよい。そのための一例としては、電流源トランジスタ１１２
のゲート電極とソース端子の間に電流源容量１１１を接続すればよい。つまり、電流源回
路の部分は画素の設定動作時には、図６６（ａ）のようになり発光時には、図６６（ｂ）
のようになっていればよい。
【０３７３】
図５２においてスイッチ部１０１は、実施の形態１で図１３で示した構成とほぼ同じで
あるが、駆動トランジスタ３０２もｎチャネル型で構成した例を示した。このように、本
実施例において図５２で示した構成の画素では、画素を構成するトランジスタを全てｎチ
ャネル型とすることができる。このように、単極性のトランジスタで回路を構成すれば、
トランジスタを作製する上での手順を省きコストを低くすることが可能となる。
【０３７４】
本実施例は、他の実施の形態及び実施例と自由に組み合わせて実施することが可能であ
る。
【実施例１０】
【０３７５】
本実施例では、実施の形態１において図５で示した画素構成において、各画素に配置し
たカレントトランジスタ１４０５を複数の画素で共有した例を示す。
【０３７６】
図５３は、本実施例の画素構成を示す回路図である。なお、図５３において図５と同じ
部分は同じ符号を用いて示し、説明は省略する。図５３において、第ｉ行ｊ列の画素と、
第（ｉ＋１）行ｊ列の画素のカレントトランジスタ１４０５を共有している。また、第ｉ
行（ｊ＋１）列の画素と、第（ｉ＋１）行（ｊ＋１）列の画素のカレントトランジスタ１
４０５を共有している。
【０３７７】
図５３では、２画素でカレントトランジスタ１４０５を共有した例を示した。なお、こ
れに限定されず、一般に、複数の画素でカレントトランジスタ１４０５を共有することが
できる。上記構成によって、１画素あたりに配置されたトランジスタの数及び信号線の数
を減らすことができる。こうして、開口率の高い表示装置が得られる。
【０３７８】
本実施例は、他の実施の形態や実施例と自由に組み合わせて実施することが可能である
。
【実施例１１】
【０３７９】
本実施例では、本発明の表示装置の画素に信号を入力する、駆動回路の構成例を示す。
図５４は、信号線駆動回路の構成を示すブロック図である。図５４において信号線駆動回
路５４００は、シフトレジスタ５４０１と、第１のラッチ回路５４０２と、第２のラッチ
回路５４０３とによって構成されている。シフトレジスタ５４０１の出力したサンプリン
グパルスに従って、第１のラッチ回路５４０２は映像信号ＶＤを保持する。ここで、第１
のラッチ回路５４０２に入力される映像信号ＶＤは、表示装置に入力されたデジタルビデ
オ信号を、時間分割階調方式で表示を行うために加工した信号である。表示装置に入力さ
れたデジタルビデオ信号は、時分割階調映像信号処理回路５４１０によって映像信号ＶＤ
に変換され、信号線駆動回路５４００の第１のラッチ回路５４０２に入力される。第１の
ラッチ回路５４０２に、１水平期間分の映像信号ＶＤが保持されると、第２のラッチ回路
５４０３にラッチパルスＬＰが入力される。こうして、第２のラッチ回路５４０３は、１
水平期間分の映像信号ＶＤを一斉に保持すると同時に各画素の映像信号入力線Ｓへ出力す
る。
【０３８０】
以下に、信号線駆動回路５４００の構成例を図５５に示す。なお、図５５において、図
５４と同じ部分は同じ符号を用いて示す。ここで図５５においては、第１列の映像信号入
力線Ｓ１に対応する、第１のラッチ回路５４０２の一部、５４０２ａと、第２のラッチ回
路５４０３の一部、５４０３ａのみを代表で示す。シフトレジスタ５４０１は、複数のク
ロックドインバータと、インバータと、スイッチと、ＮＡＮＤ回路によって構成されてい
る。シフトレジスタ５４０１には、クロックパルスＳ＿ＣＬＫ及びクロックパルスＳ＿Ｃ
ＬＫの極性が反転した反転クロックパルスＳ＿ＣＬＫＢ、スタートパルスＳ＿ＳＰ、走査
方向切り替え信号Ｌ／Ｒが入力される。こうして、シフトレジスタ５４０１は、複数のＮ
ＡＮＤ回路より順にシフトしたパルス（サンプリングパルス）を出力する。シフトレジス
タ５４０１より出力されたサンプリングパルスは、第１のラッチ回路５４０２ａに入力さ
れる。サンプリングパルスが入力されると、第１のラッチ回路５４０２ａは、映像信号Ｖ
Ｄを保持する。第１のラッチ回路５４０２が、全ての映像信号入力線Ｓに入力する映像信
号（１水平期間分の映像信号）ＶＤを保持したら、第２のラッチ回路５４０３にラッチパ
ルスＬＰ及びラッチパルスＬＰの極性が反転した反転ラッチパルスＬＰＢが入力される。
こうして、第２のラッチ回路５４０３は、全ての映像信号入力線Ｓに一斉に映像信号ＶＤ
を出力する。
【０３８１】
図５６は、走査線駆動回路の構成例を示す回路図である。図５６において、走査線駆動
回路３６１０は、複数のクロックドインバータと、インバータと、スイッチと、ＮＡＮＤ
回路とによって構成されるシフトレジスタ３６０１を有する。シフトレジスタ３６０１に
は、クロックパルスＧ＿ＣＬＫ及びクロックパルスＧ＿ＣＬＫの極性が反転した反転クロ
ックパルスＧ＿ＣＬＫＢ、スタートパルスＧ＿ＳＰ、走査方向切り替え信号Ｕ／Ｄが入力
される。こうして、シフトレジスタ３６０１は、複数のＮＡＮＤ回路より順にシフトした
パルス（サンプリングパルス）を出力する。サンプリングパルスは、バッファを介して、
走査線Ｇに出力される。こうして、走査線Ｇに信号を入力する。
【０３８２】
本実施例では、信号線駆動回路及び走査線駆動回路は、シフトレジスタを有する構成と
したが、デコーダ等を用いたものであっても良い。なお、本発明の表示装置の駆動回路と
しては、公知の構成の駆動回路を自由に用いることができる。
【実施例１２】
【０３８３】
本実施例では、時間階調方式で表示動作を行う場合の画素の設定動作の一例を示す。
【０３８４】
リセット期間において、各画素行を順に選択し非表示期間が始まる。ここで、走査線を
順に選択する周波数と同じ周波数で、各画素行の設定動作を行うことができる。例えば、
図１３に示した構成のスイッチ部を用いる場合に注目する。走査線Ｇや消去用信号線ＲＧ
を順に選択する周波数と同じ周波数で、各画素行を選択し画素の設定動作を行うことがで
きる。ただし、１行分の選択期間の長さでは、画素の設定動作を十分に行うことが難しい
場合がある。そのときは、複数行分の選択期間を用いて、ゆっくりと画素の設定動作を行
ってもよい。ゆっくりと画素の設定動作を行うとは、電流源回路が有する電流源容量に、
所定の電荷を蓄積する動作を長い時間をかけて行うことを示す。
【０３８５】
このように、複数行分の選択期間を用いて、且つ、リセット期間での消去用信号線ＲＧ
等を選択する周波数と同じ周波数を用いて、各行を選択していくため、行をとびとびに選
択していくことになる。よって、全ての行の画素の設定動作を行うためには、複数の非表
示期間において設定動作を行う必要がある。
【０３８６】
次いで、上記手法を用いる際の表示装置の構成及び駆動方法について詳細に説明する。
まず、複数本の走査線が選択される期間と同じ長さの期間を用いて、１行の画素の設定動
作を行う駆動方法について図５９を用いて説明する。図５９では例として、１０本の走査
線が選択される期間に１行の画素の設定動作を行うタイミングチャートを示した。
【０３８７】
図５９（Ａ）に、各フレーム期間における各行の動作を示す。なお、実施の形態１にお
いて図７で示したタイミングチャートと同じ部分は、同じ符号を用いて示し説明は省略す
る。ここでは、１フレーム期間を３つのサブフレーム期間ＳＦ１〜ＳＦ３に分割した例を
示した。なお、サブフレーム期間ＳＦ２及びＳＦ３においてそれぞれ、非表示期間Ｔｕｓ
が設けられる構成とする。非表示期間Ｔｕｓ中に、画素の設定動作が行われる（図中期間
Ａ及び期間Ｂ）。
【０３８８】
次いで、期間Ａ及び期間Ｂの動作について、詳細に説明する。説明には、図５９（Ｂ）
を用いる。なお図中では、画素の設定動作を行う期間を、信号線ＧＮが選択される期間で
示した。一般に、ｉ（ｉは自然数）行目の画素の信号線ＧＮをＧＮｉで示した。まず、第
１のフレーム期間Ｆ１の期間Ａにおいて、ＧＮ１、ＧＮ１１、ＧＮ２１、・・・ととびと
びに選択される。こうして、１行目、１１行目、２１行目、・・・の画素の設定動作が行
われる（期間１）。次いで、第１のフレーム期間Ｆ１の期間Ｂにおいて、ＧＮ２、ＧＮ１
２、ＧＮ２２、・・・が選択される。こうして、２行目、１２行目、２２行目、・・・の
画素の設定動作が行われる（期間２）。上記動作を５フレーム期間繰り返すことによって
、全ての画素の設定動作が一通り行われる。
【０３８９】
ここで、１行の画素の設定動作に用いることができる期間をＴｃと表記する。上記駆動
方法を用いる場合、Ｔｃを走査線Ｇの選択期間の１０倍に設定することが可能である。こ
うして、１画素あたりの設定動作に用いる時間を長くすることができ、効率良く正確に画
素の設定動作を行うことができる。なお、一通りの設定動作では十分でない場合に、上記
動作を複数回繰り返しても良い。こうして、徐々に画素の設定動作を行っても良い。
【０３９０】
次いで、上記駆動方法を用いる際の駆動回路の構成について説明する。説明には、図６
０を用いる。なお、図６０では信号線ＧＮに信号を入力する駆動回路を示した。しかし、
電流源回路が有するその他の信号線に入力される信号についても同様である。画素の設定
動作を行うための駆動回路の構成例を２つ挙げる。
【０３９１】
第１の例は、シフトレジスタの出力を切り替え信号によって切り替え、信号線ＧＮに出
力する構成の駆動回路である。この駆動回路（設定動作用駆動回路）の構成の例を、図６
０（Ａ）に示す。設定動作用駆動回路５８０１は、シフトレジスタ５８０２と、ＡＮＤ回
路と、インバータ回路（ＩＮＶ）等によって構成される。なおここでは、シフトレジスタ
５８０２のパルス出力期間の４倍の期間、１本の信号線ＧＮを選択する構成の駆動回路を
例に示した。設定動作用駆動回路５８０１の動作について説明する。シフトレジスタ５８
０２の出力は、切り替え信号５８０３によって選択され、ＡＮＤ回路を介して信号線ＧＮ
に出力される。
【０３９２】
第２の例は、シフトレジスタの出力により、特定の行を選択する信号をラッチする構成
の駆動回路である。この駆動回路（設定動作用駆動回路）の構成の例を図６０（Ｂ）に示
す。設定動作用駆動回路５８１１は、シフトレジスタ５８１２と、ラッチ１回路５８１３
と、ラッチ２回路５８１４とを有する。
【０３９３】
設定動作用駆動回路５８１１の動作について説明する。シフトレジスタ５８１２の出力
により、ラッチ１回路５８１３は行選択信号５８１５を順に保持する。ここで、行選択信
号５８１５は任意の行を選択する信号である。ラッチ１回路５８１３に保持された信号は
、ラッチ信号５８１６によってラッチ２回路５８１４に転送される。こうして、特定の信
号線ＧＮに信号が入力される。こうして、非表示期間において電流源回路の設定動作を行
うことができる。
【０３９４】
なお、表示期間中であっても、カレントミラー方式の電流源回路の場合は、設定動作を
行うことができる。また、同一トランジスタ方式の電流源回路やマルチゲート方式の電流
源回路でも、表示期間を一旦中断して、電流源回路の設定動作を行い、その後、表示期間
を再開するような駆動方法を用いても良い。
【０３９５】
本実施の形態は、実施の形態１〜実施の形態３や、実施例１〜実施例１１と自由に組み
合わせて実施することが可能である。
【実施例１３】
【０３９６】
本実施例では、画素の設定動作に関して、他の実施例とは異なる方法について説明する
。
【０３９７】
実施の形態１等では画素１行ずつ選択し、画素の設定動作を行っていた。あるいは、と
びとびの行を選択して、画素の設定動作を行っていた。どちらの場合も、ある行の画素の
設定動作を行っている間は、同時に別の行の画素の設定動作を行うことはなかった。本実
施例では、上述した手法とは異なる画素の設定動作の手法について説明する。つまり、あ
る瞬間において、１本の電流線を用いて、同時に複数の画素に対して画素の設定動作を行
ってもよい。その場合、各々の画素の電流源回路には、複数の画素の電流源回路によって
平均化された電流が流れることとなる。従って、電流が入力される複数の画素間で、それ
ら画素の電流源回路の特性がばらつくと、そのばらつきの影響をうけ、各画素の電流源回
路が各々流すように設定される電流値がばらついてしまう。しかし、複数の画素で同時に
画素の設定動作を行うと、１本の電流線に接続された画素分、該電流線に流す電流の値を
大きくする必要がある。このように、電流線に流す電流値が大きくなるため、画素の設定
動作を素早く行うことができる。このとき、同時に画素の設定動作が行われる行を、重複
させておこなってもよい。例えば、１行目と２行目を同時に行い、２行目と３行目を同時
に行い、３行目と４行目を同時に行うというように重複させてもよい。
【０３９８】
また、同時に画素の設定動作が行われる行を、ある任意の時間ごとに、変更してもよい
。例えば、あるときは、ダミー行と１行目を同時に行い、２行目と３行目を同時に行い、
４行目と５行目を同時に行いというように、また別の時には、１行目と２行目を同時に行
い、３行目と４行目を同時に行い、５行目と６行目を同時に行いというようにしてもよい
。この手法により、特性のバラツキを時間的に平均化させることができる。
【０３９９】
なお、本実施例に示した画素の設定動作の手法は、電流源回路の構成には依存しないた
め、全ての構成に適用できる。
【実施例１４】
【０４００】
本実施例では、電流線に関して、他の実施例とは異なる構成について述べる。実施例１
３を省く他の実施例では、１列分の画素には１本の電流線が配置されていた。この場合、
同時には、１本の電流線につき１個の画素の設定動作しかできなかったが、１列分の画素
に複数本の電流線を設けるようにしてもよい。
【０４０１】
例えば、１本目の電流線には、偶数行目の画素が接続され、２本目の電流線には、奇数
行目の画素が接続されるようにする。すると、偶数行目と奇数行目とで、同時に２行分の
画素の設定動作を行うことができる。従って、１画素分の画素の設定動作を行う期間を長
くしたり、全画素の画素の設定動作を行う期間を短くすることが出来る。
【０４０２】
その他にも、画面を複数の領域にわけて、その領域の画素にのみ電流線が接続されてい
るようにしてもよい。その結果、同時に複数行の画素に対して、画素の設定動作を行うこ
とが出来る。従って、１画素分の画素の設定動作を行う期間を長くしたり、全画素の画素
の設定動作を行う期間を短くすることが出来るようになる。
【０４０３】
例えば、画面を上下の２つに分け、上半分は、その上に配置された基準電流出力回路と
接続された電流線が配置されている。下半分は、その下に配置された基準電流出力回路と
接続された電流線が配置されている。上半分の画素に配置された電流線と下半分の画素に
配置された電流線とは、接続されていないとする。その結果、上半分の画素と下半分の画
素とで、同時に画素の設定動作を行うことが出来る。
【０４０４】
なお、本実施例は、電流源の回路の構成には依存しないため、全ての構成に適用できる
。
【実施例１５】
【０４０５】
本実施例では、実施の形態２において図７３（Ａ）で示した構成の画素を実際に作製し
た例を図７８で示す。図７８（Ａ）には、画素を実際に作製した際の上面図を示す。また
、図７８（Ｂ）には、図７８（Ａ）に対応する回路図を示す。なお、図７３（Ａ）と同じ
部分は同じ符号を用いて示し説明は省略する。また、図７８（Ａ）において発光素子１０
６として、画素電極のみを示した。図７８では、消去トランジスタ３０４、電流保持トラ
ンジスタ２０４及び電流入力トランジスタ２０３は、それぞれ、ダブルゲート型のトラン
ジスタで形成されている。
【実施例１６】
【０４０６】
本実施例では、実施の形態３において図５７（Ａ）や図５７（Ｂ）で示した構成の電流
源回路を有する画素の作製例を図７９に示す。図７９（Ａ）には、画素の上面図を示し、
それに対応する等価回路図を図７９（Ｂ）に示す。なお、図７４と同じ部分は同じ符号を
用いて示し説明は省略する。図７９では、図７４（Ａ）と異なり、消去トランジスタ３０
４は、保持容量３０３と並列に接続されている。また、電流停止トランジスタ８０５のソ
ース端子又はドレイン端子のうち、駆動トランジスタ３０２のソース端子又はドレイン端
子と接続されていない側は、直接電源線Ｗと接続されている。
【実施例１７】
【０４０７】
本実施例では、本発明の表示装置において、各画素に制御電流を入力する駆動回路の構
成について説明する。各画素に入力する制御電流がばらつくと、各画素の電流源回路が出
力する電流の電流値もばらついてしまう。そのため、各電流線にほぼ一定の制御電流を出
力する構成の駆動回路が必要となる。そのような駆動回路の例を以下に示す。例えば、日
本特願２００１―３３３４６２号、特願２００１―３３３４６６号、特願２００１―３３
３４７０号、特願２００１―３３５９１７号又は特願２００１―３３５９１８号に示す構
成の信号線駆動回路を用いることができる。つまり、該信号線駆動回路の出力電流を制御
電流として各画素に入力することができる。本発明の表示装置において、上記の信号線駆
動回路を適用することによって、各画素にほぼ一定の制御電流を入力することができる。
こうして、画像の輝度のばらつきを更に低減することが可能である。
【０４０８】
本実施例は、他の実施の形態や実施例と自由に組み合わせて実施することが可能である
。
【実施例１８】
【０４０９】
本実施例では、本発明を応用した表示システムについて説明する。ここで表示システム
とは、表示装置に入力される映像信号を記憶するメモリや、表示装置の各駆動回路に入力
する制御信号（クロックパルス、スタートパルス等）を出力する回路、それらを制御する
コントローラ等を含んでいる。
【０４１０】
表示システムの例を図２に示す。表示システムは、表示装置の他に、Ａ／Ｄ変換回路、
メモリ選択スイッチＡ、メモリ選択スイッチＢ、フレームメモリ１、フレームメモリ２、
コントローラ、クロック信号発生回路、電源発生回路を有する。
【０４１１】
表示システムの動作について説明する。Ａ／Ｄ変換回路は、表示システムに入力された
映像信号をデジタルの映像信号に変換する。フレームメモリＡ又はフレームメモリＢは、
該デジタルの映像信号が記憶される。ここで、フレームメモリＡ又はフレームメモリＢを
期間毎（１フレーム期間毎、サブフレーム期間毎）に使い分けることによって、メモリへ
の信号の書き込み及びメモリからの信号の読み出しに余裕を持たせることができる。ここ
で、フレームメモリＡ又はフレームメモリＢの使い分けは、コントローラによってメモリ
選択スイッチＡ及びメモリ選択スイッチＢを切りかえることによって行われる。また、ク
ロック発生回路はコントローラからの信号によってクロック信号等を発生させる。電源発
生回路はコントローラからの信号によって、所定の電源を発生させる。メモリから読み出
された信号、クロック信号、電源等は、ＦＰＣを介して表示装置に入力される。
【０４１２】
なお、本発明を応用した表示システムは、図２に示した構成に限定されず、公知のあら
ゆる構成の表示システムにおいて本発明を応用することができる。
【０４１３】
本実施例は、他の実施の形態や実施例と自由に組み合わせて実施することが可能である
。
【実施例１９】
【０４１４】
本実施例では、本発明の表示装置を利用した電子機器について図４６を用いて説明する
。図４６（Ａ）に本発明の表示装置を用いた携帯情報端末の模式図を示す。携帯情報端末
は、本体４６０１ａ、操作スイッチ４６０１ｂ、電源スイッチ４６０１ｃ、アンテナ４６
０１ｄ、表示部４６０１ｅ、外部入力ポート４６０１ｆによって構成されている。本発明
の表示装置は、表示部４６０１ｅに用いることができる。図４６（Ｂ）に本発明の表示装
置を用いたパーソナルコンピュータの模式図を示す。パーソナルコンピュータは、本体４
６０２ａ、筐体４６０２ｂ、表示部４６０２ｃ、操作スイッチ４６０２ｄ、電源スイッチ
４６０２ｅ、外部入力ポート４６０２ｆによって構成されている。本発明の表示装置は、
表示部４６０２ｃに用いることができる。図４６（Ｃ）に本発明の表示装置を用いた画像
再生装置の模式図を示す。画像再生装置は、本体４６０３ａ、筐体４６０３ｂ、記録媒体
４６０３ｃ、表示部４６０３ｄ、音声出力部４６０３ｅ、操作スイッチ４６０３ｆによっ
て構成されている。本発明の表示装置は、表示部４６０３ｄに用いることができる。図４
６（Ｄ）に本発明の表示装置を用いたテレビの模式図を示す。テレビは、本体４６０４ａ
、筐体４６０４ｂ、表示部４６０４ｃ、操作スイッチ４６０４ｄによって構成されている
。本発明の表示装置は、表示部４６０４ｃに用いることができる。図４６（Ｅ）に本発明
の表示装置を用いたヘッドマウントディスプレイの模式図を示す。ヘッドマウントディス
プレイは、本体４６０５ａ、モニター部４６０５ｂ、頭部固定バンド４６０５ｃ、表示部
４６０５ｄ、光学系４６０５ｅによって構成されている。本発明の表示装置は、表示部４
６０５ｄに用いることができる。図４６（Ｆ）に本発明の表示装置を用いたビデオカメラ
の模式図を示す。ビデオカメラは、本体４６０６ａ、筐体４６０６ｂ、接続部４６０６ｃ
、受像部４６０６ｄ、接眼部４６０６ｅ、バッテリー４６０６ｆ、音声入力部４６０６ｇ
、表示部４６０６ｈによって構成されている。本発明の表示装置は、表示部４６０６ｈに
用いることができる。
【０４１５】
本発明は、上記応用電子機器に限定されず、様々な電子機器に応用することができる。
本実施例は、実施の形態１〜実施の形態３及び実施例１〜実施例１８と自由に組み合わせ
て実施することが可能である。
【図１】
2020060772.tif 000003
【図２】
2020060772.tif 000004
【図３】
2020060772.tif 000005
【図４】
2020060772.tif 000006
【図５】
2020060772.tif 000007
【図６】
2020060772.tif 000008
【図７】
2020060772.tif 000009
【図８】
2020060772.tif 000010
【図９】
2020060772.tif 000011
【図１０】
2020060772.tif 000012
【図１１】
2020060772.tif 000013
【図１２】
2020060772.tif 000014
【図１３】
2020060772.tif 000015
【図１４】
2020060772.tif 000016
【図１５】
2020060772.tif 000017
【図１６】
2020060772.tif 000018
【図１７】
2020060772.tif 000019
【図１８】
2020060772.tif 000020
【図１９】
2020060772.tif 000021
【図２０】
2020060772.tif 000022
【図２１】
2020060772.tif 000023
【図２２】
2020060772.tif 000024
【図２３】
2020060772.tif 000025
【図２４】
2020060772.tif 000026
【図２５】
2020060772.tif 000027
【図２６】
2020060772.tif 000028
【図２７】
2020060772.tif 000029
【図２８】
2020060772.tif 000030
【図２９】
2020060772.tif 000031
【図３０】
2020060772.tif 000032
【図３１】
2020060772.tif 000033
【図３２】
2020060772.tif 000034
【図３３】
2020060772.tif 000035
【図３４】
2020060772.tif 000036
【図３５】
2020060772.tif 000037
【図３６】
2020060772.tif 000038
【図３７】
2020060772.tif 000039
【図３８】
2020060772.tif 000040
【図３９】
2020060772.tif 000041
【図４０】
2020060772.tif 000042
【図４１】
2020060772.tif 000043
【図４２】
2020060772.tif 000044
【図４３】
2020060772.tif 000045
【図４４】
2020060772.tif 000046
【図４５】
2020060772.tif 000047
【図４６】
2020060772.tif 000048
【図４７】
2020060772.tif 000049
【図４８】
2020060772.tif 000050
【図４９】
2020060772.tif 000051
【図５０】
2020060772.tif 000052
【図５１】
2020060772.tif 000053
【図５２】
2020060772.tif 000054
【図５３】
2020060772.tif 000055
【図５４】
2020060772.tif 000056
【図５５】
2020060772.tif 000057
【図５６】
2020060772.tif 000058
【図５７】
2020060772.tif 000059
【図５８】
2020060772.tif 000060
【図５９】
2020060772.tif 000061
【図６０】
2020060772.tif 000062
【図６１】
2020060772.tif 000063
【図６２】
2020060772.tif 000064
【図６３】
2020060772.tif 000065
【図６４】
2020060772.tif 000066
【図６５】
2020060772.tif 000067
【図６６】
2020060772.tif 000068
【図６７】
2020060772.tif 000069
【図６８】
2020060772.tif 000070
【図６９】
2020060772.tif 000071
【図７０】
2020060772.tif 000072
【図７１】
2020060772.tif 000073
【図７２】
2020060772.tif 000074
【図７３】
2020060772.tif 000075
【図７４】
2020060772.tif 000076
【図７５】
2020060772.tif 000077
【図７６】
2020060772.tif 000078
【図７７】
2020060772.tif 000079
【図７８】
2020060772.tif 000080
【図７９】
2020060772.tif 000081